(57)【要約】  特に患者の骨組織内への埋入のための歯科インプラント（１）であって、歯根尖端（４）、歯冠端（６）及び前記歯根尖端（４）と前記歯冠端（６）の間に長手方向に沿って延在する外面（８）を有する芯体（２）；ならびに少なくとも前記外面（８）のねじ状部分に配置される少なくとも１つのねじ山（１２）；を含む、前記歯科インプラント（１）は、一次及び二次固定に関して優れた特性を有することが望ましい。本発明によれば、これは、前記芯体（２）が、好ましくは前記歯冠端（６）に隣接する芯成形ゾーン（２２）であって、前記芯成形ゾーン（２２）で、前記芯体（２）の前記断面が複数の主方向を有し、これらの主方向で、前記断面の前記中心（５０）とその外側輪郭の間の距離に相当する半径が相対的な最大値になり、したがって隣接する方位より高い値になる、芯成形ゾーン（２２）；好ましくは前記歯根尖端（４）に隣接する芯円形ゾーン（２０）であって、前記芯円形ゾーン（２０）で、前記芯体（２）の前記断面が基本的に円形に成形される、芯円形ゾーン（２０）；及び前記長手方向で見て、前記芯成形ゾーン（２２）と前記芯円形ゾーン（２０）の間に配置される移行ゾーン（２６）であって、前記移行ゾーン（２６）で、前記芯体（２）の前記断面形状が、前記長手方向の座標に特有なパラメータの関数として、前記芯円形ゾーン（２０）に隣接する基本的に円形形状から、前記芯成形ゾーン（２２）の前記断面形状に対応する前記芯体（２）の前記断面の形状へ連続的に変化する、移行ゾーン（２６）；を含むという点で達成される。本発明は更に、患者の骨組織内に歯科インプラント（１、２０１、４０１）を埋入するための埋入ツール（２００）に関する。更に本発明は、このようなインプラント（１、２０１、４０１）及びこのような埋入ツール（２００）の組み合わせにも関する。【選択図】図１５
2019503236.tif 000002
【特許請求の範囲】
【請求項１】
特に患者の骨組織内への埋入のための歯科インプラント（１）であって、前記歯科インプラント（１）が、
−歯根尖端（４）、歯冠端（６）及び前記歯根尖端（４）と前記歯冠端（６）の間に長手方向に沿って延在する外面（８）を有する芯体（２）；
−前記芯体（２）から外向きに延在する少なくとも１つのねじ山（１２）；ならびに
−前記芯体（２）によって、または前記ねじ山（１２）によって画定されるねじ山外部容積（２８）によって画定される特有インプラント容積であって、前記インプラントの長手方向の座標に特有なパラメータの各値について、前記特有インプラント容積の断面が、その中心からこの断面の輪郭までの最小距離に対するその中心からこの断面の輪郭までの最大距離の比率として定義される、偏心パラメータによって特徴づけられる、特有インプラント容積；を含み、
前記特有容積が、
−少なくとも１つの歯冠ゾーンであって、前記偏心パラメータが最大の、好ましくは一定の値を有し、前記歯冠ゾーンが前記インプラントの全長の少なくとも１０％の前記歯冠ゾーンの長さにわたって前記インプラントの長手方向軸に沿って延在する、歯冠ゾーン；
−少なくとも１つの歯根尖ゾーンであって、前記偏心パラメータが最小の、好ましくは一定の値を有し、前記歯根尖ゾーンが前記インプラントの全長の少なくとも３０％の前記歯根尖ゾーンの長さにわたって前記インプラントの長手方向軸に沿って延在する、歯根尖ゾーン；及び
−前記歯冠ゾーンと前記歯根尖ゾーンの間に配置された少なくとも１つの移行ゾーンであって、前記偏心パラメータが、前記長手方向の座標に特徴的なパラメータの関数として、前記歯根尖ゾーンに隣接する最小値から前記歯冠ゾーンに隣接する最大値まで連続的に、好ましくは直線的に変化し、前記移行ゾーンが前記インプラントの前記全長の少なくとも１０％の前記移行ゾーンの長さにわたって前記インプラントの長手方向軸に沿って延在する、移行ゾーン；を含む、歯科インプラント（１）。
【請求項２】
前記歯根尖ゾーンで、前記特有インプラント容積の前記断面が基本的に円形形状を有する、請求項１に記載の歯科インプラント（１）。
【請求項３】
前記歯冠ゾーン及び／または前記成形ゾーンで、前記特有インプラント容積の前記断面が複数の主方向を有し、これらの主方向で、前記断面の前記中心とその外側輪郭の間の距離に相当する半径が相対的な最大値になり、したがって隣接する方位より高い値になる、請求項１，２のいずれか一項に記載の歯科インプラント（１）。
【請求項４】
特に患者の骨組織内への埋入のための歯科インプラント（１）であって、前記歯科インプラント（１）が、
−歯根尖端（４）、歯冠端（６）及び前記歯根尖端（４）と前記歯冠端（６）の間に長手方向に沿って延在する外面（８）を有する芯体（２）；ならびに
−前記芯体（２）から外向きに延在する少なくとも１つのねじ山（１２）；を含み、
前記芯体（２）が、
−第１の芯成形ゾーン（２２）であって、前記第１の芯成形ゾーン（２２）で、前記芯体（２）の断面が複数の主方向を有し、これらの主方向で、前記断面の中心（５０）とその外側輪郭の間の距離に相当する半径が相対的な最大値になり、したがって隣接する方位より高い値になる、第１の芯成形ゾーン（２２）；
−芯円形ゾーン（２０）であって、前記芯円形ゾーン（２０）で、前記芯体（２）の前記断面が基本的に円形に成形される、芯円形ゾーン（２０）；及び
−前記芯成形ゾーン（２２）と前記芯円形ゾーン（２０）の間に配置される芯移行ゾーン（２６）であって、前記芯移行ゾーン（２６）で、前記芯体（２）の断面形状が、前記長手方向の座標に特有なパラメータの関数として、前記芯円形ゾーン（２０）に隣接する基本的に円形形状から、前記芯成形ゾーン（２２）の断面形状に対応する前記芯体（２）の前記断面の形状へ連続的に変化する、芯移行ゾーン（２６）；を含む、歯科インプラント（１）。
【請求項５】
前記長手方向の座標に特有なパラメータの各値について、前記芯体（２）の前記断面が、その最小半径に対するこの断面の最大半径の比率として定義される偏心パラメータによって特徴づけられる、請求項３に記載の歯科インプラント（１）。
【請求項６】
特に請求項３に記載の、特に患者の骨組織内への埋入のための歯科インプラント（１）であって、前記歯科インプラント（１）が、
−歯根尖端（４）、歯冠端（６）及び前記歯根尖端（４）と前記歯冠端（６）の間に長手方向に沿って延在する外面（８）を有する芯体（２）；ならびに
−前記芯体（２）から外向きに延在する少なくとも１つのねじ山（１２）；を含み、
前記芯体（２）が、
−第１の芯成形ゾーン（２２）であって、前記第１の芯成形ゾーン（２２）で、前記芯体（２）の前記断面が複数の主方向を有し、これらの主方向で、前記断面の前記中心（５０）とその外側輪郭の間の距離に相当する半径が相対的な最大値になり、したがって隣接する方位より高い値になる、第１の芯成形ゾーン（２２）；
−芯円形ゾーン（２０）であって、前記芯円形ゾーン（２０）で、前記芯体（２）の前記断面が基本的に円形に成形される、芯円形ゾーン（２０）；及び
−第２の芯成形ゾーン（２６’）であって、前記第２の芯成形ゾーン（２６’）で、前記芯体（２）の前記断面が複数の主方向を有し、これらの主方向で、前記断面の前記中心（５０）とその外側輪郭の間の距離に相当する半径が相対的な最大値になり、したがって隣接する方位より高い値になる、第２の芯成形ゾーン（２６’）；を含み、
前記第１の芯成形ゾーン（２２）で、その最小半径に対する前記芯体（２）の前記断面の最大半径の前記比率として定義される芯偏心パラメータが、前記第２の芯成形ゾーン（２６’）より大きい、歯科インプラント（１）。
【請求項７】
前記芯円形ゾーン（２０）が、前記長手方向で見て、前記歯根尖端（４）に隣接して配置される、請求項１〜３のいずれか一項に記載の歯科インプラント（１）。
【請求項８】
特に請求項１〜４のいずれか一項に記載の、特に患者の骨組織内への埋入のための歯科インプラント（１）であって、前記歯科インプラント（１）が、
−歯根尖端（４）、歯冠端（６）及び前記歯根尖端（４）と前記歯冠端（６）の間に長手方向に沿って延在する外面（８）を有する芯体（２）；ならびに
−前記芯体（２）から外向きに延在する少なくとも１つのねじ山（１２）であって、前記ねじ山（１２）がねじ山外側容積（２８）を画定する、ねじ山（１２）；を含み、
前記ねじ山（１２）が、
−第１のねじ山成形ゾーン（３０）であって、前記ねじ山成形ゾーン（３０）で、前記ねじ山外側容積（２８）の前記外側断面が複数の主方向を有し、これらの主方向で、前記断面の前記中心とその外側輪郭の間の距離に相当する半径が相対的な最大値になり、したがって隣接する方位より高い値になる、ねじ山成形ゾーン（３０）；
−好ましくは前記歯根尖端（４）に隣接するねじ山円形ゾーン（３２）であって、前記ねじ山円形ゾーン（３２）で、前記ねじ山外側容積（２８）の前記外側断面が基本的に円形に成形される、ねじ山円形ゾーン（３２）；及び
−前記ねじ山成形ゾーン（３０）と前記ねじ山円形ゾーン（３２）の間に配置されるねじ山移行ゾーン（３４）であって、前記ねじ山移行ゾーン（３４）で、前記ねじ山外側容積（２８）の前記外側断面形状が、前記長手方向の座標に特有なパラメータの関数として、前記ねじ山円形ゾーン（３２）に隣接する基本的に円形形状から、前記ねじ山成形ゾーン（３０）の前記外側断面形状に対応する前記ねじ山外側容積（２８）の前記外側断面の形状へ連続的に変化する、ねじ山移行ゾーン（３４）；を含む、歯科インプラント（１）。
【請求項９】
前記長手方向の座標に特有なパラメータの各値について、前記ねじ山外側容積（２８）の前記外側断面が、その最小半径に対するこの外側断面の前記最大半径の前記比率として定義されるねじ山偏心パラメータによって特徴づけられる、請求項４に記載の歯科インプラント（１）。
【請求項１０】
特に請求項１〜９のいずれか一項に記載の、特に患者の骨組織内への埋入のための歯科インプラント（１）であって、前記歯科インプラント（１）が、
−歯根尖端（４）、歯冠端（６）及び前記歯根尖端（４）と前記歯冠端（６）の間に長手方向に沿って延在する外面（８）を有する芯体（２）；ならびに
−前記芯体（２）から外向きに延在する少なくとも１つのねじ山（１２）であって、前記ねじ山（１２）がねじ山外側容積（２８）を画定する、ねじ山（１２）；を含み、
前記ねじ山（１２）が、
−第１のねじ山成形ゾーン（３０）であって、前記第１のねじ山成形ゾーン（３０）で、前記ねじ山外側容積（２８）の前記外側断面が複数の主方向を有し、これらの主方向で、前記断面の前記中心とその外側輪郭の間の距離に相当する半径が相対的な最大値になり、したがって隣接する方位より高い値になる、第１のねじ山成形ゾーン（３０）；
−好ましくは前記歯根尖端（４）に隣接するねじ山円形ゾーン（３２）であって、前記ねじ山円形ゾーン（３２）で、前記ねじ山外側容積（２８）の前記外側断面が基本的に円形に成形される、ねじ山円形ゾーン（３２）；及び
−第２のねじ山成形ゾーン（３４’）であって、前記第２のねじ山成形ゾーン（３４’）で、前記ねじ山外側容積（２８）の前記外側断面が複数の主方向を有し、これらの主方向で、前記断面の前記中心とその外側輪郭の間の距離に相当する半径が相対的な最大値になり、したがって隣接する方位より高い値になる、第２のねじ山成形ゾーン（３４’）；を含み、
前記第１のねじ山成形ゾーン（３０）で、その最小半径に対する前記ねじ山外側容積（２８）の前記外側断面の前記最大半径の前記比率として定義される芯偏心パラメータが、前記第２のねじ山成形ゾーン（３４’）より大きい、歯科インプラント（１）。
【請求項１１】
前記芯成形ゾーン（２２）及び／または前記ねじ山成形ゾーン（３０）が、前記歯冠端（６）に隣接する頂プラットホームゾーン（２４）である、請求項４〜１０のいずれか一項に記載の歯科インプラント（１）。
【請求項１２】
前記主方向が、前記芯体（２）の長手方向中心軸（６４）に対して対称に配置される、請求項３〜１０のいずれか一項に記載の歯科インプラント（１）。
【請求項１３】
前記芯体（２）の長手方向中心軸に対して及び極大値または極小値に対して、前記ねじ山外側容積（２８）の前記外側輪郭が、前記芯体（２）の前記外側輪郭に適合する、請求項３〜１１のいずれか一項に記載の歯科インプラント（１）。
【請求項１４】
前記芯成形ゾーン（２２）の及び／または前記移行ゾーン（２６）の少なくとも一部の前記芯体（２）が三方楕円断面を有する、請求項３〜１２のいずれか一項に記載の歯科インプラント（１）。
【請求項１５】
前記移行ゾーン（２６）の前記芯体（２）が、好ましくは１度〜１２度の範囲の円錐角を有する先細形状である、請求項１〜１４のいずれか一項に記載の歯科インプラント（１）。
【請求項１６】
前記移行ゾーン（２６）が、前記長手方向で見て、前記歯根尖端（４）から約２〜４ｍｍの距離で始まる、請求項１〜１５のいずれか一項に記載の歯科インプラント（１）。
【請求項１７】
前記ねじ山（１２）が平坦なねじ山である、請求項１〜１６のいずれか一項に記載の歯科インプラント（１）。
【請求項１８】
前記平坦なねじ山の自由幅（５８）が、前記長手方向の座標パラメータへ依存して及び前記芯体（２）の前記歯根尖端（４）を起点として、前記歯根尖端（４）からの距離の増加と共に連続的に増加している、請求項１４に記載の歯科インプラント（１）。
【請求項１９】
複数の切削溝（４６）が少なくとも１つの前記移行ゾーン（２６）に提供される、請求項１〜１８のいずれか一項に記載の歯科インプラント（１）。
【請求項２０】
前記切削溝（４６）の前記数が主方向の前記数に等しい、請求項１６に記載の歯科インプラント（１）。
【請求項２１】
前記切削溝（４６）が前記芯体（２）の長手方向中心軸に対して対称に配置される、請求項１〜２０のいずれか一項に記載の歯科インプラント（１）。
【請求項２２】
前記各切削溝（４６）が、前記芯体（２）の前記長手方向中心軸の周囲の配向方向で見て、隣接した主方向に対して所与の回転ずれで配置される、請求項１９〜２１のいずれか一項に記載の歯科インプラント（１）。
【請求項２３】
前記芯体（２）が、前記歯冠端（６）に対して開いて、及び前記歯冠端（６）から前記歯根尖端（４）に向かって前記インプラント（１）の前記長手方向に沿って延在するチャネル（１０）を含み、ならびに
前記芯体（２）が駆動ゾーンを有し、前記駆動ゾーンで、前記インプラント（１）の前記長手方向に垂直な前記チャネル（１０）の前記断面が、前記断面の円周に沿って配置される複数の放射状凸部を有し、そこで前記放射状凸部の前記放射状の最外側点のそれぞれが、前記断面の中央（５０）周辺の対応する円にあり、前記これらの円の少なくとも２つが互いに異なる半径を有する、請求項１〜２２のいずれか一項に記載の歯科インプラント（１）。
【請求項２４】
特に患者の骨組織内への埋入のための歯科インプラント（２０１）であって、前記歯科インプラント（２０１）が、
−歯根尖端（２０７）及び歯冠端（２０９）を有する芯体（２０５）を含み、
前記芯体（２０５）が、前記歯冠端（２０９）に対して開いて、及び前記歯冠端（２０９）から前記歯根尖端（２０７）に向かって前記インプラント（２０１）の長手方向に沿って延在するチャネル（２３６）を含み、ならびに
前記芯体（２０５）が駆動ゾーン（２４２）を有し、前記駆動ゾーン（２４２）で、前記インプラント（２０１）の前記長手方向に垂直な前記チャネル（２３６）の断面が、前記断面の円周に沿って配置される複数の放射状凸部を有し、そこで前記放射状凸部の前記放射状の最外側点のそれぞれが、前記断面の中央周辺の対応する円にあり、前記これらの円の少なくとも２つが互いに異なる半径を有する、歯科インプラント（２０１）。
【請求項２５】
前記芯体（２０５）が駆動部分（２４０）を更に有し、前記駆動部分（２４０）で、前記インプラント（２０１）の前記長手方向に垂直な前記チャネル（２３６）の前記断面が複数の主方向を有し、これらの主方向で、前記断面の中心とその外部輪郭の間の距離に相当する半径が相対的な最大値になり、したがって隣接する方位より高い値になる、請求項２３または２４に記載の歯科インプラント（２０１）。
【請求項２６】
前記駆動ゾーン（２４２）が前記駆動部分（２４０）の頂端に配置される、請求項２５に記載の歯科インプラント（２０１）。
【請求項２７】
前記駆動部分（２４０）が先細形状を有し、その結果、前記駆動部分（２４０）で、前記インプラント（２０１）の前記長手方向に垂直な前記チャネル（２３６）の前記断面の横方向寸法が、前記歯冠端（２０９）から前記歯根尖端（２０７）に向かう方向に沿って減少する、請求項２５または２６に記載の歯科インプラント（２０１）。
【請求項２８】
前記主方向の数が３つ以上である、請求項２５〜２６のいずれか一項に記載の歯科インプラント（２０１）。
【請求項２９】
前記放射状凹部の前記放射状の最内側点が、前記断面の前記中央周辺の単一の円にある、請求項２３〜２８のいずれか一項に記載の歯科インプラント（２０１）。
【請求項３０】
前記放射状凸部が第１の放射状凸部及び第２の放射状凸部を含み、
前記第１の放射状凸部の前記放射状の最外側点が、前記断面の前記中央周辺の単一の第１の円にあり、
前記第２の放射状凸部の前記放射状の最外側点が、前記断面の前記中央周辺の単一の第２の円にあり、
前記第２の円が、前記第１の円より小さい半径を有し、ならびに
前記第１の放射状凸部及び前記第２の放射状凸部が、それらの間に配置された前記対応する放射状凹部と共に、前記断面の前記円周に沿って交互に配置される、請求項２３〜２９のいずれか一項に記載の歯科インプラント（２０１）。
【請求項３１】
前記芯体（２０５）が、前記歯根尖端（２０７）と前記歯冠端（２０９）の間で前記インプラント（２０１）の前記長手方向に沿って延在する外面を有し、
前記インプラント（２０１）が、前記芯体（２０５）から外向きに延在する少なくとも１つのねじ山（２０３）を更に含み、
前記ねじ山（２０３）が、前記芯体（２０５）の前記歯根尖端（２０７）に向いている歯根尖面、及び前記芯体（２０５）の前記歯冠端（２０９）に向いている歯冠面を有し、
前記ねじ山（２０３）がその内部に形成される縦溝を有し、前記縦溝が前記ねじ山（２０３）の歯根尖端から前記ねじ山（２０３）の歯冠端に向かって延在し、ならびに
前記ねじ山（２０３）が、その歯根尖部で、その歯冠面に形成された凹部を有し、前記凹部が、前記ねじ山（２０３）の厚みの一部に沿って前記歯冠面から前記歯根尖面に向かう方向に延在し、前記凹部が前記縦溝に対して開いている、請求項２３〜３０のいずれか一項に記載の歯科インプラント（２０１）。
【請求項３２】
特に患者の骨組織内への埋入のための歯科インプラント（４０１）であって、前記歯科インプラント（４０１）が、
−歯根尖端（４０４）、歯冠端（４０６）、及び前記歯根尖端（４０４）と前記歯冠端（４０６）の間で前記インプラント（４０１）の長手方向に沿って延在する外面（４０８）を有する芯体（４０２）；及び、
−前記芯体（４０２）から外向きに延在する少なくとも１つのねじ山（４１２）；を含み、
前記ねじ山（４１２）が、前記芯体（４０２）の前記歯根尖端（４０４）に向いている歯根尖面（４１４）、及び前記芯体（４０２）の前記歯冠端（４０６）に向いている歯冠面（４１６）を有し、
前記ねじ山（４１２）がその内部に形成される縦溝（４１８）を有し、前記縦溝（４１８）が前記ねじ山（４１２）の歯根尖端から前記ねじ山（４１２）の歯冠端に向かって延在し、ならびに
前記ねじ山（４１２）が、その歯根尖部で、その歯冠面（４１６）に形成された凹部（４２０）を有し、前記凹部４２０が、前記ねじ山（４１２）の厚みの一部に沿って前記歯冠面（４１６）から前記歯根尖面（４１４）に向かう方向に延在し、前記凹部（４２０）が前記縦溝（４１８）に対して開いている、歯科インプラント（４０１）。
【請求項３３】
前記凹部（４２０）が、前記ねじ山（４１２）の厚みの２０％〜９０％に沿って前記歯冠面（４１６）から前記歯根尖面（４１４）に向かう方向に延在する、請求項３１または３２に記載の歯科インプラント（４０１）。
【請求項３４】
前記歯冠面（４１６）から前記歯根尖面（４１４）に向かう方向への前記凹部（４２０）の延伸が、前記凹部（４２０）が開いている前記縦溝（４１８）から円周方向に離れる前記方向に沿って減少する、請求項３１〜３３のいずれか一項に記載の歯科インプラント（４０１）。
【請求項３５】
前記凹部（４２０）が、前記凹部（４２０）の幅方向に、前記ねじ山（４１２）の幅の５０％〜９０％にわたって延在する、請求項３１〜３４のいずれか一項に記載の歯科インプラント（４０１）。
【請求項３６】
前記凹部（４２０）が、前記ねじ山（４１２）の最歯根尖での完全な回転で、前記ねじ山（４１２）の前記歯冠面（４１６）に形成される、請求項２８〜３２のいずれか一項に記載の歯科インプラント（４０１）。
【請求項３７】
前記ねじ山角度が１５度以下である、請求項３１〜３４のいずれか一項に記載の歯科インプラント（４０１）。
【請求項３８】
前記インプラント（１’’’’）の歯冠面（１００）が、前記インプラント（１’’’’）の前記歯冠端（６）の前記円周に沿って交互に配置される前記歯冠面（１００）の最高点及び最小点を備えた、波状輪郭を有し、ならびに
前記歯冠面（１００）の前記最高点で、前記インプラント（１’’’’）の前記歯冠端（６）が先細形状を有し、その結果、インプラント（１’’’’）の前記長手方向に垂直な前記歯冠端（６）の前記断面の前記横方向寸法が、前記インプラント（１’’’’）の前記歯根尖端（４）から前記インプラント（１’’’’）の前記歯冠端（６）に向かう方向に沿って減少する、請求項１〜３７のいずれか一項に記載の歯科インプラント（１’’’’）。
【請求項３９】
前記芯体（５０２）が、前記歯冠端（５０６）に対して開いて、及び前記歯冠端（５０６）から前記歯根尖端（５０４）に向かって前記インプラント（５０１）の前記長手方向に沿って延在するチャネル（５１０）を含み、ならびに前記チャネル（５１０）が円錐部分（５１４）を含む、請求項１〜３８のいずれか一項に記載の歯科インプラント（５０１）。
【請求項４０】
前記円錐部分（５１４）が、前記インプラント（５０１）の前記長手方向に沿って前記インプラント（５０１）の前記歯冠端（５０６）から延在するように、配置される、請求項３６に記載の歯科インプラント（５０１）。
【請求項４１】
患者の骨組織内に歯科インプラントを、特に請求項１〜４０のいずれか一項に記載の歯科インプラント（１、２０１、４０１）を埋入するための埋入ツール（２００）であって、
前記埋入ツール（２００）が近位部分（２０２）及び遠位部分（２０４）を含み、前記遠位部分（２０４）が前記インプラント（１、２０１、４０１）と協調するためにあり、
前記遠位部分（２０４）が保持要素（２０６）を有し、
前記保持要素（２０６）が、前記埋入ツール（２００）を前記歯科インプラント（１、２０１、４０１）に取り付けるための取付部分（２０８）を含み、
前記保持要素（２０６）が、前記埋入ツール（２００）の前記長手方向に対して垂直な全方向に、少なくとも弾性変形可能であり、ならびに
前記取付部分（２０８）が、前記埋入ツール（２００）の前記長手方向に対して実質的に垂直な１つ以上の方向に延在する、少なくとも１つの突起部（２１０）を含む、埋入ツール（２００）。
【請求項４２】
患者の骨組織内に歯科インプラントを、特に請求項１〜４０のいずれか一項に記載の歯科インプラント（１、２０１、４０１）を埋入するための埋入ツール（２００）であって、
前記埋入ツール（２００）が近位部分（２０２）及び遠位部分（２０４）を含み、前記遠位部分（２０４）が前記インプラント（１、２０１、４０１）と協調するためにあり、ならびに
前記遠位部分（２０４）が駆動領域（２１４）を有し、前記駆動領域（２１４）で、前記埋入ツール（２００）の前記長手方向に垂直な前記遠位部分（２０４）の前記断面が複数の主方向を有し、これらの主方向で、前記断面の前記中心とその外側輪郭の間の距離に相当する半径が相対的な最大値になり、したがって隣接する方位より高い値になる、埋入ツール（２００）。
【請求項４３】
患者の骨組織内に歯科インプラントを、特に請求項１〜４０のいずれか一項に記載の歯科インプラント（１、２０１、４０１）を埋入するための埋入ツール（２００）であって、
前記埋入ツール（２００）が近位部分（２０２）及び遠位部分（２０４）を含み、前記遠位部分（２０４）が前記インプラント（１、２０１、４０１）と協調するためにあり、ならびに
前記遠位部分（２０４）が駆動セクション（２１６）を有し、前記駆動セクション（２１６）で、前記埋入ツール（２００）の前記長手方向に垂直な遠位部分（２０４）の前記断面が、前記断面の前記円周に沿って交互に配置される、複数の放射状凸部（２１８）及び複数の放射状凹部（２２０）を有し、そこで前記放射状凸部（２１８）の前記放射状の最外側点（２２２、２２４）のそれぞれが、前記断面の前記中央周辺の対応する円にあり、前記これらの円の少なくとも２つが互いに異なる半径を有する、埋入ツール（２００）。
【請求項４４】
前記遠位部分（２０４）が更に駆動領域（２１４）を有し、前記駆動領域（２１４）で、前記埋入ツール（２００）の前記長手方向に垂直な前記遠位部分（２０４）の前記断面が複数の主方向を有し、これらの主方向で、前記断面の前記中心とその外側輪郭の間の距離に相当する半径が相対的な最大値になり、したがって隣接する方位より高い値になる、請求項４１に記載の埋入ツール（２００）。
【請求項４５】
前記駆動領域（２１４）が先細形状を有し、その結果、前記駆動領域（２１４）で、前記埋入ツール（２００）の前記長手方向に垂直な前記遠位部分（２０４）の前記断面の前記横方向寸法が、前記埋入ツール（２００）の近位端から前記埋入ツール（２００）の遠位端に向かう方向に沿って減少する、請求項４２または４４に記載の埋入ツール（２００）。
【請求項４６】
主方向の数が３つ以上である、請求項４２、４４及び４５のいずれか一項に記載の埋入ツール（２００）。
【請求項４７】
前記遠位部分（２０４）が更に駆動セクション（２１６）を有し、前記駆動セクション（２１６）で、前記埋入ツール（２００）の前記長手方向に垂直な遠位部分（２０４）の前記断面が、前記断面の前記円周に沿って交互に配置される、複数の放射状凸部（２１８）及び複数の放射状凹部（２２０）を有し、そこで前記放射状凸部（２１８）の前記放射状の最外側点（２２２、２２４）のそれぞれが、前記断面の前記中央周辺の対応する円にあり、前記これらの円の少なくとも２つが互いに異なる半径を有する、請求項４１及び４４〜４６のいずれか一項に記載の埋入ツール（２００）。
【請求項４８】
前記駆動セクション（２１６）、前記保持要素（２０６）及び前記駆動領域（２１４）が、前記埋入ツール（２００）の遠位端から前記埋入ツール（２００）の近位端に向かう方向にこの順序で配置される、請求項４１〜４３のいずれか一項に従属する請求項４７に記載の埋入ツール（２００）。
【請求項４９】
前記遠位部分（２０４）が更に駆動セクション（２１６）を有し、前記駆動セクション（２１６）で、前記埋入ツール（２００）の前記長手方向に垂直な遠位部分（２０４）の前記断面が、前記断面の前記円周に沿って交互に配置される、複数の放射状凸部（２１８）及び複数の放射状凹部（２２０）を有し、そこで前記放射状凸部（２１８）の前記放射状の最外側点（２２２、２２４）のそれぞれが、前記断面の前記中央周辺の対応する円にあり、前記これらの円の少なくとも２つが互いに異なる半径を有する、請求項４２、４５及び４６のいずれか一項に記載の埋入ツール（２００）。
【請求項５０】
前記埋入ツール（２００）が２つの分離部（２３０、２３２）からなり、それが互いに取り付けられている、特に互いに取り外し可能に取り付けられている、請求項４１〜４９のいずれか一項に記載の埋入ツール（２００）。
【請求項５１】
前記２つの分離部（２３０）のうちの１つが前記駆動セクション（２１６）を含み、ならびに前記２つの分離部（２３２）のうちの他のものが前記保持要素（２０６）及び前記駆動領域（２１４）を含む、請求項４７または４５に従属する請求項５０に記載の埋入ツール（２００）。
【請求項５２】
前記保持要素（２０６）が、前記保持要素（２０６）の遠位端から前記保持要素（２０６）の近位端まで延在する少なくとも１つの切欠部を有する、請求項４１及び４４〜５１のいずれか一項に記載の埋入ツール（２００）。
【請求項５３】
前記保持要素（２０６）が中空体であり、及び前記少なくとも１つの切欠部が前記保持要素（２０６）の外壁を貫通する、請求項５２に記載の埋入ツール（２００）。
【請求項５４】
請求項１〜４０のいずれか一項に記載の歯科インプラント（１、２０１、４０１）及び請求項４１〜５３のいずれか一項に記載の埋入ツール（２００）の組み合わせ。
【発明の詳細な説明】
【技術分野】
【０００１】
本発明は、特に患者の骨組織内への埋入のための歯科インプラントであって、歯根尖端、歯冠端及び前記歯根尖端と前記歯冠端の間に長手方向に沿って延在する外面を有する芯体、ならびに少なくとも前記外面のねじ状部分に配置され、前記芯体から外向きに延在する少なくとも１つのねじ山を含む、前記歯科インプラントに関する。本発明は更に、特に患者の骨組織内への埋入のための歯科インプラントであって、歯根尖端及び歯冠端を有する芯体を含み、芯体が、歯冠端に対して開いて、歯冠端から歯根尖端に向かってインプラントの長手方向に延在するチャネルを含む、前記歯科インプラントに関する。更に本発明は、患者の骨組織内に歯科インプラントを埋入するための埋入ツールに関する。本発明は、このようなインプラント及びこのような埋入ツールの組み合わせにも関する。
【背景技術】
【０００２】
歯科インプラントは、歯の脱落を補うために、再建治療で広く使用されている。それらは、約４〜１２週間の治癒期後、歯科補綴またはクラウンとして機能する補綴部分をそこで保持するために、引き抜かれたまたは脱落した歯の場所の顎骨内に通常埋入される。この目的ために、このような歯科インプラントは、意図した場所にねじ込むことによって顎骨または骨組織内に埋入される、適切に成形した金属体として通常構成される。原則として歯科インプラントの歯根尖端は、ねじ山、ほとんどの場合、それによって歯科インプラントが対応して作製されたインプラント床に埋入される自己穿孔式ねじ山を含む。
【０００３】
歯科インプラントは、顎骨内へ埋入の後、歯科補綴が直接インプラントに接合する、一体型で構成されてもよい。代替例で、特に患者の口内への埋入を容易にするために、特に例えば歯科技工室での患者の処置以前にインプラントに固定する前に、補綴の特に広範囲な準備を可能にするために、歯科インプラントシステムは多部品型構成でもあり得る。特に概ね二部品型構造が提供されることができ、歯科インプラントシステムは、実際のインプラントまたは支柱部と称される第１のインプラント部品、及びこれに加えて、それによりその上に補綴など提供される歯の補綴部分を取り付けることができる、取付部分またはアバットメントと称される、これと関連する第２のインプラント部品を含む。
【０００４】
実際のインプラントまたは支柱部の外面は通常ねじ山を備えており、それは、自己穿孔式ねじ山、または自己穿孔式ねじ山ではない他のものとして設計されることができる。インプラントまたは支柱部は、通常顎骨の対応して作製されたインプラント床に固定される。歯科インプラントの外部領域に提供される、ねじ山の構造は、配置の高一次固定、及び顎骨への歯科インプラントの咀嚼荷重下で生じる力の均一な転送を得るように通常構成される。
【０００５】
この目的のため、特にインプラントの骨組織への埋入後の高一次固定のために、ねじ山及びインプラント本体を構成する種々の方法は従来技術から既知である。種々のねじ山の形状及びこれらの組み合わせ、例えばインプラント本体の異なるゾーンの異なるねじ山型または異なるねじ山パラメータのねじ山を形成することを提供してもよい。国際特許出願第ＷＯ２００８／１２８７５７Ａ２号から、上述の型のインプラントは、各ねじ山の外面上の及び／または直接２つの隣接するねじ山間のインプラント本体上の、追加の螺旋状溝を特徴とすることが周知である。他のシステムで、狭い溝を特徴とする、圧縮型ねじ山が提供されてもよい。高一次固定は、インプラントを提供する部位で患者の骨内に穿孔する孔を普通より小さくすることによっても達成することができる。その結果、インプラントがその上に提供されるねじ山と共にインプラントの芯体にねじ込められるとき、周囲の骨材料を圧縮する。しかし、あまりに強い圧縮は骨圧壊中に血管を作って、それによって埋入後の骨の回復を妨げる可能性がある。
【０００６】
インプラント及びその上に提供されるねじ山の特別設計における別の広範囲な目的は、いわゆる二次固定または骨結合であり、それはインプラント表面に直接接触する骨材料の再生である。
【０００７】
米国特許第２００７／０１９０４９１Ａ１号には、インプラント本体の非円形断面の形状を備えたインプラント設計が開示されている。この設計で、大部分の天然歯は断面が非円形であり、したがってインプラント本体の類似の断面構造は、骨組織の血管の自然の位置に良好に適合して、その結果、良好かつ迅速な骨結合を支援すると推察されると認識されている。
【０００８】
前述したもののような歯科インプラントは、埋入ツール（例えば、インプラントドライバー）によって患者の骨組織内に一般に埋入される。この目的のため、埋入ツールの遠位部分は、インプラントの歯冠部分に提供される窩内に導入される。この遠位部分は、その長手方向軸の周囲の埋入ツールの回転に応じて、インプラントが骨組織内にねじ込まれるように、インプラント窩と協働する。骨組織のインプラントの確実かつ正確な配置を達成するために、埋入ツールは、インプラントに完全に固定される、すなわち完全に嵌入されなければならない。埋入ツールと歯科インプラントの間のいかなる不適合または不整合も、インプラントの骨組織への埋入を複雑にさせ得て、インプラントの不適当な配置のリスクの原因となり得る。
【０００９】
更に埋入ツールは、インプラントを拾いあげて、それが骨組織内に埋め入れられることになっている埋入部位へ運ぶために使用してもよい。この場合、ツールとインプラントの間に不適合または不整合が生じる場合、それが所望の場所に到着する前に、インプラントは埋入ツールから落ちる可能性がある。このような出来事は、インプラントが嚥下されるまたは吸引される場合、患者の健康に重大な危険性を引き起こす場合もあり得る。
【００１０】
埋入ツールとインプラントの間の摩擦嵌合を達成するために、米国特許第７，１３１，８４０Ｂ２号は、インプラントドライバーの遠位部分でのＯリングの使用を教示する。しかし、この明細書で教示する構成では、埋入ツール及びインプラントが互いに適切に嵌合するか臨床医が確実に判断することができない。
【００１１】
埋入ツールをインプラントに接続するための保持部を使用して、埋込とインプラントとの間の接続を改善する別の方法は、米国特許第８，８６４，４９４Ｂ２号に開示される。インプラントが骨組織に埋入された後、保持部はインプラントから取り外されなければならない。したがってこの方法は、保持部の形で追加の歯科要素の使用を必要とし、臨床医に追加の工程を求め、その結果、インプラント埋入処置を複雑かつ煩雑にする。
【００１２】
したがって、埋入ツール（例えばインプラントドライバー）を歯科インプラントに取り付けるための、確実で、効率的及び単純な方法の必要性が残っている。それは、埋入ツール及び歯科インプラントが互いに適切に取り付けられているか明確な表示を提供する。
【００１３】
更に、骨組織へのインプラントの確実な埋入と共に、インプラント、特にその窩の損傷または破損の危険性を最小限度に抑えることを提供する、埋入ツールの必要性が残っている。
【００１４】
骨組織へのその確実な埋入と共に、インプラント、特にその窩もしくはチャネルの損傷または破損の危険性を最小限度に抑えることを提供する、歯科インプラントの必要性も残っている。
【００１５】
上述されるように、歯科インプラントは通常、意図した場所にねじ込むことによって、患者の顎骨または骨組織内に埋入される。この目的のため、歯科インプラントの歯根尖端は、ねじ山、ほとんどの場合、それによって歯科インプラントが対応して作製されたインプラント床に埋入される自己穿孔式ねじ山を含む。
【００１６】
ねじ山は、顎骨または骨組織への、インプラントの確実かつ正確な配置ならびに嵌合のための重要な役割を果たす。特にねじ山は、顎骨または骨組織へのインプラントの円滑かつ正確な埋入を可能にして、埋入の後、インプラントと顎骨または骨組織との安定な嵌合を確実にしなければならない。
【００１７】
この目的のため、国際特許出願第ＷＯ２０１６／１２５１７１号は、ねじ山の歯根尖面が、ねじ山の歯冠面に向かって近位に延在する歯根尖面の凹部を有する、ねじ状歯科インプラントの使用を教示する。しかし、この明細書で開示する構成では、制限された範囲のねじ山の角度、すなわち約１５度超のねじ山角度に対してのみ、インプラント配置及び安定性の改善を提供する。したがって、多種多様なインプラントのねじ山角度、特に小さなねじ山角度において、顎骨または骨組織の確実かつ正確な配置及びその嵌合を可能にする、歯科インプラントの必要性が残っている。
【発明の概要】
【００１８】
上述したようにこれらの態様を考慮して、一次及び二次固定に関して上述のタイプの歯科インプラントに優れた特性を提供することが、本発明の目的である。骨組織へのその確実な埋入と共に、インプラント、特にその窩もしくはチャネルの損傷または破損の危険性を最小限度に抑えることを提供することは、本発明の更なる目的である。更に、多種多様なインプラントのねじ山角度、特に小さなねじ山角度において、顎骨または骨組織の確実かつ正確な配置及びその嵌合を可能にする歯科インプラントを提供することを、本発明は目的とする。
【００１９】
更に、埋入ツール及び歯科インプラントが互いに適切に取り付けられているか確実な表示を効率的に提供する、患者の骨組織内に歯科インプラントを埋入するための埋入ツールを提供することが、本発明の目的である。本発明は、確実な埋入を可能にする患者の骨組織内に歯科インプラントを埋入すると共に、インプラント、特にその窩もしくはチャネルの損傷または破損の危険性を最小限度に抑えるための埋入ツールを提供することも目的とする。本発明は、このような埋入ツール及び歯科インプラントの組み合わせも提供する。
【００２０】
これらの目的は、請求項１の技術的特徴を有する歯科インプラントによって、請求項４の技術的特徴を有する歯科インプラントによって、請求項８の技術的特徴を有する歯科インプラントによって、請求項２４の技術的特徴を有する歯科インプラントによって、請求項３２の技術的特徴を有する歯科インプラントによって、請求項４１の技術的特徴を有する埋入ツールによって、請求項４２の技術的特徴を有する埋入ツールによって、請求項４３の技術的特徴を有する埋入ツールによって、及び請求項５４の技術的特徴との組み合わせによって達成される。本発明の好ましい実施形態については、従属クレームから得られる。
【００２１】
本発明によれば、実施形態において、本目的は、
−歯根尖端（４）、歯冠端（６）及び前記歯根尖端（４）と前記歯冠端（６）の間に長手方向に沿って延在する外面（８）を有する芯体（２）；
−前記芯体（２）から外向きに延在する少なくとも１つのねじ山（１２）；ならびに
−前記芯体（２）によって、または前記ねじ山（１２）によって画定されるねじ山外側容積（２８）によって画定される特有インプラント容積；を含む、特に患者の骨組織への埋入のための歯科インプラント（１）により達成される。そこでは、インプラントの長手方向の座標に特有なパラメータの各値について、前記特有インプラント容積の断面は、その中心からこの断面の輪郭までの最小距離に対するその中心からこの断面の輪郭までの最大距離の比率として定義される、偏心パラメータによって特徴づけられる。前記特有容積は、
−少なくとも１つの歯冠ゾーンであって、前記偏心パラメータが最大の、好ましくは一定の値を有し、前記歯冠ゾーンがインプラントの全長の少なくとも１０％の歯冠ゾーンの長さにわたってインプラントの長手方向軸に沿って延在する、歯冠ゾーン；
−少なくとも１つの歯根尖ゾーンであって、前記偏心パラメータが最小の、好ましくは一定の値を有し、前記歯根尖ゾーンがインプラントの全長の少なくとも３０％の歯根尖ゾーンの長さにわたってインプラントの長手方向軸に沿って延在する、歯根尖ゾーン；及び
前記歯冠ゾーンと前記歯根尖ゾーンの間に配置された少なくとも１つの移行ゾーンであって、前記偏心パラメータが、前記長手方向の座標に特有なパラメータの関数として、前記歯根尖ゾーンに隣接する最小値から前記歯冠ゾーンに隣接する最大値まで連続的に、好ましくは直線的に変化し、前記移行ゾーンがインプラントの全長の少なくとも１０％の移行ゾーンの長さにわたってインプラントの長手方向軸に沿って延在する、移行ゾーン、を含む。
【００２２】
換言すれば、本実施形態では、その芯体によってまたはそのねじ山外側容積によって画定されるインプラントは、少なくとも３つの機能的部分を含み、そのそれぞれは、割り当てられた機能を提供するために特定の最小限の機能的長さを有する。これらの機能的ゾーンまたは部分の第１のものは、芯体及び／またはねじ山外側容積がその形状に特定の偏心を有する歯冠ゾーンであり、断面に示されるように半径に多くの最大値及び最小値を備える。第２の機能的ゾーンまたは部分は、芯体またはねじ山外側容積が最小の偏心距離、好ましくはほぼ円形断面を有する歯根尖ゾーンである。第１と第２ゾーンの間に位置する第３の機能的ゾーンは、第１と第２ゾーンの間のその長さにわたって偏心距離の円滑な移行を提供する移行ゾーン（したがって、断面対称）である。この設計によって、低偏心、好ましくはその歯根尖端のインプラントの均一な円形断面に起因して、骨材料へのインプラントの円滑かつ簡単な埋入は支援される。これに対し、埋入の最終段階、インプラントが骨材料に深く固定されるとき、その偏心が原因で、インプラントの比較的高偏心の歯冠ゾーンは、ねじ込められる際、周囲の骨材料に交互の圧縮及び弛緩期を提供する。同様に移行ゾーンは非常に望ましい円滑な移行を提供し、したがって埋入の際、骨材料の交互の圧縮／弛緩期の円滑な増加を提供する。
【００２３】
好ましい実施形態において、その偏心部で、インプラントは、ねじ込められる際、骨材料の圧縮と弛緩期の間の特に円滑な振動のために設計される。この目的のため、前記歯冠ゾーン及び／または前記成形ゾーン及び／または前記移行ゾーンの好ましい実施形態では、前記特有インプラント容積の断面は複数の主方向を有し、これらの主方向で、断面の中心とその外側輪郭の間の距離に相当する半径は相対的な最大値になり、したがって隣接する方位より高い値になる。本発明によれば、一実施形態において、この目的は、インプラントの芯体が少なくとも第１の芯ゾーン、特に成形した芯ゾーンとして設計されたものを含む、設計によって達成される。第１の芯ゾーンで、芯体の断面は複数の主方向を有し、これらの主方向で、断面の中心とその外側輪郭の間の距離に相当する半径は相対的な最大値になり、したがって隣接する方位より高い値になる。更に本実施形態において、芯体は第２の芯ゾーン、特に円形芯ゾーンを含む。第２のゾーンで、前記芯体の断面は基本的に円形であり、インプラントの長手方向で見て、前記第１の成形ゾーンと前記第２の円形ゾーンの間に配置した移行ゾーンである。移行ゾーンで、前記芯体の断面形状は、長手方向の座標に特有なパラメータの関数として、前記第２の円形ゾーンに隣接する基本的に円形形状から、前記芯体の断面が、特に断面の一般的形状及び／またはその特有なパラメータの値に関して、前記第１または成形ゾーンの断面形状に対応する、形状へ変化する。
【００２４】
換言すれば、本発明による歯科インプラントは、円形または基本的に円形の断面を有する円形ゾーンを含み、好ましい実施形態では、それはインプラントの歯根尖端に近接してまたはそれに隣接して配置される。この文脈において及び更に下記の内容において「基本的に円形」とは、公差などに起因する、最小の歪曲または偏差、例えば軽微な偏心距離を可能にする、高度に円形形状に近くなっている形状を定義する。その断面円形に起因するこの円形ゾーンは、インプラントが骨材料内にねじ込められる第１の時間中、骨組織に過剰な応力を加えずにねじ山と骨材料との比較的簡単な嵌合を可能にする。それに対し、インプラントの別のゾーンで、インプラントの中心領域に更に近くにまたはインプラントの他端付近に配置される好ましい実施形態では、芯体は、多くの丸い突出部または半径の極大値を特徴とする非円形断面を有して設計される。この領域で、インプラント本体が骨組織内にねじ込められるとき、骨組織に加わる圧縮力は、断面の局所半径が最大になるとき（インプラント本体の回転移動に起因）の最大圧縮と、断面の局所半径が最小になるときの最小圧縮の間の振動方法で変化する。特に比較的堅い骨組織を特徴とする頂ゾーンで、埋入の後、極小値を特徴とするこの成形輪郭は、最小値の近くに低骨応力の領域をもたらし、それによって骨材料の強化された再生を可能にして、血管への過剰に強力な圧縮の悪影響を著しく最小化する。
【００２５】
これらのゾーンの異なる２つの間の円滑かつ有用な移行を可能にするために、本発明によるインプラントは、一対の１つの円形ゾーンと１つの非円形ゾーンの間に位置する芯体の追加のゾーンを提供する。この移行ゾーンは、それぞれの円形ゾーンに近接した範囲のそれぞれの円形ゾーンの断面に適合する円形断面から、このゾーンに近接した範囲の非円形断面のそれぞれのゾーンの断面に適合する非円形突出部のある断面に変化する（長手方向で見られる）一時的な断面を備える。この移行ゾーンに起因して、形状の即時かつ突然の変化、骨組織への剪断効果及び骨組織への他の損傷効果を回避し得る。組み合わせで、及び特に円形ゾーンがインプラントの歯根尖端に近接してまたはその近くに配置される好ましい実施形態では、インプラントはしたがって、その後の段階で骨組織への振動的圧縮効果によってねじ込められる第１期の骨組織とねじ山との比較的簡単な嵌合を提供する。
【００２６】
本発明の代替的実施形態では、類似または同等の効果は、円形ゾーンと成形ゾーンの間の移行が段階的に遂行される、芯体の設計によって達成することができる。この代替的実施形態はしたがって独創的だとみなされて、第１の実施形態から分離した本発明に従って、またはそれと組み合わせて使用してもよい。
【００２７】
本発明のこの代替的実施形態では、上で明らかになった目的は、インプラントの芯体が少なくとも第１の成形芯ゾーンを含む、設計によって達成される。第１の成形芯ゾーンで、芯体の断面は複数の主方向を有し、これらの主方向で、断面の中心とその外側輪郭の間の距離に相当する半径は相対的な最大値になり、したがって隣接する方位より高い値になる。更に本実施形態において、芯体は第２の芯ゾーン、特に円形芯ゾーンを含む。第２のゾーンで、前記芯体の断面は基本的に円形であり、好ましい実施形態では、インプラントの歯根尖端及び第２の芯成形ゾーンに近接して、またはその近くに配置されている。第２の芯成形ゾーンで、芯体の断面は複数の主方向を有し、これらの主方向で、断面の中心とその外側輪郭の間の距離に相当する半径は相対的な最大値になり、したがって隣接する方位より高い値になる。前記第１の芯成形ゾーンで、前記芯体の断面の最大半径対その最小半径の比率として定義される芯偏心パラメータは、前記第２の芯成形ゾーンより大きい。換言すれば、この実施形態では、基本的に円形または丸い形状から、成形または非円形形状への移行は、異なる偏心パラメータによって２つ以上の非円形成形ゾーンを提供することによって、段階的に遂行されることができる。
【００２８】
本発明の更に別の代替的実施形態では、類似または同等の効果は、芯について上述した実施形態の１つまたは両方の設計に類似したねじ山の外側輪郭の設計によって達成することができる。この代替的実施形態はしたがって独創的だとみなされて、第１の実施形態から分離した本発明に従って、またはそれと組み合わせて使用してもよい。
【００２９】
特に説明のために、ねじ山の外側輪郭は、ねじ山によって画定される外側容積または包絡容積を利用して記載することができる。本発明のこの代替的実施形態では、上で明らかになった目的は、インプラントのねじ山が、特に第１のねじ山成形ゾーンとして設計された第１のねじ山ゾーンを含む、設計によって達成される。第１のねじ山成形ゾーンで、ねじ山を囲む外側容積は複数の主方向を有し、これらの主方向で、断面の中心とその外側輪郭の間の距離に相当する半径は相対的な最大値になり、したがって隣接する方位より高い値になる。更に、この実施形態では、ねじ山はねじ山円形ゾーンを含み、好ましい実施形態では、それはインプラントの歯根尖端に隣接して配置される。ねじ山円形ゾーンで、前記外面包囲容積の断面は基本的に円形であり、インプラントの長手方向で見て、前記第１の成形ゾーンと前記円形ゾーンの間に配置した移行ゾーンである。移行ゾーンで、ねじ山を包囲する前記外側容積の断面形状は、長手方向の座標に特有なパラメータの関数として、前記ねじ山円形ゾーンに隣接する基本的に円形形状から、前記包囲容積の断面が、特に断面の一般的形状及び／またはその特有なパラメータの値に関して、前記第１の成形ゾーンの断面形状に対応する、形状へ変化する。別の方法としてまたは更に、第１のねじ山成形ゾーンとは異なる偏心距離を備える第２のねじ山成形ゾーンを提供することによる段階的移行も、提供されてよい。
【００３０】
本発明の有利な実施形態は、従属クレームの主題である。
【００３１】
好ましい実施形態において、芯体の及び／またはねじ山の前記第１のまたは成形ゾーンは、頂プラットホームゾーンとして構成されて、インプラントの歯冠端に隣接して配置される。特に頂プラットホームゾーンは、歯科補綴に直接接続するように、すなわちインプラントの一体型用として、または歯科補綴を保持するアバットメントに直接接続するように、すなわちインプラントの二部品もしくは多部品型用として設計されてもよい。それ自体が独立の発明とみなされる更なる好ましい実施形態では、芯体及び／またはねじ山の外側輪郭により提供される前記形成された頂プラットホームゾーンは、インプラントの長手方向で見て、少なくとも２．５ｍｍ、好ましくは少なくとも３ｍｍの長さを有する。驚くことに、成形した非円形ゾーンは、円形形状の輪郭と比較して、極小値で骨組織により少ないまたは低下した応力を誘発し、インプラントの埋入後、より少ない細胞死及びより少ない骨の再形成、頂プレート、頬側壁及び舌壁と定義される重要な骨構造の迅速な骨付着ならびに改善した保守をもたらす。その結果、骨材料の再生、更には骨結合は、重要な骨構造の領域の成形ゾーンの極小値を提供することによって大幅に向上する。骨結合の目的のために、これらの効果を、頂プレートの少なくとも２．５ｍｍまたは好ましくは少なくとも３ｍｍの最上層に提供することは非常に有用であるとみなされる。
【００３２】
芯体及び／またはねじ山を包囲する外側容積の断面は、円形形状からのそれぞれの断面の偏差に特有の偏心パラメータによって特徴づけられることができる。この説明及び開示の目的のために及び本発明によれば、この偏心パラメータは、その最小半径に対する断面の最大半径の比率として定義され、その結果、偏心パラメータは円形形状において値１になる。この偏心パラメータは、前記長手方向、例えばインプラントの長手方向軸（ｙ）の座標に特有な各パラメータ値について評価されることができる。先端ゾーン（＝円形断面、偏心パラメータ＝１）と第１または成形ゾーン（＝突出したまたは非円形面、偏心パラメータ＞１）の間に特に円滑な移行を提供するために、好ましい実施形態では、芯体及び／または外側ねじ山の前記移行ゾーンの偏心パラメータは、長手方向の座標パラメータへの線形従属がある。
【００３３】
断面の各半径が極大値を有する、回転方向の移行ゾーンの、及び／または芯体の及び／またはねじ山の第１または成形ゾーンの主方向は、骨組織への所望の効果によって、特に個別に選択した角度によって配置されることができる。しかし、別の好ましい実施形態では、それらは、前記芯体または前記外面包囲容積の長手方向中心軸に対してそれぞれ対称に配置される（軸対称）。この設計は、工程中のねじり込みの結果として周囲の骨組織に加えた圧縮の程度での比較的円滑かつ規則的な変化を可能にする。
【００３４】
特に好ましいとみなされる実施形態では、前記芯体の長手方向中心軸に対して及び極大値または極小値に対して、ねじ山の外部形状または外面包囲容積として定義される、インプラントの外側プロファイルは、前記芯体の外側輪郭に適合する。換言すれば、この好ましい実施形態では、芯体の半径が極大値を有する長手方向軸に対するその配向で、ねじ山を包囲する外側容積の外側輪郭は、同様に極大値をとる。この輪郭への適合は、好ましくは＋／−２０度の許容差範囲内の各主方向の重なりにより達成され得て、好ましい実施形態では正確であり得る。「適合」設計は、インプラントを骨組織内に埋入すると共に、芯体の外面及びねじ山の外面両方のインプラントの外側形状に従って、骨が凝縮かつ弛緩する、具体的な利点を有する。（芯体の外面及びねじ山の外面両方の）主方向の間の最小半径上の骨組織の弛緩は、特に高い骨対インプラント接触、及び強化した初期安定性を可能にする。
【００３５】
都合のよいことに、移行ゾーン及び／または成形ゾーンの主方向の数は３つであり、すなわち成形ゾーン及び／または移行ゾーンの芯体は三方楕円断面を有する。長手方向に対する主方向の対称な配置の好ましい実施形態と組み合わせて、この三方楕円形は、１２０度の２つの隣接した主方向の間の回転オフセット角をもたらす。
【００３６】
インプラントは、その移行ゾーンに起因して、圧縮を変化させることにより（成形ゾーンで、好ましくは頂プラットホームゾーンで）骨組織の成形及び直接処置への骨組織（円形ゾーンの）のねじ山の第１の嵌合の間に、円滑かつ有用な移行（工程のねじ込め中）のために特異的に設計される。これらのゾーン間の円滑な移行は、特に有利な実施形態で更に改善されることができ、そこで移行ゾーンの芯体は、１度と１２度の間の、好ましくは４度と８度の間の円錐／テーパ角を好ましくは備えた円錐または先細形状である。特に好ましい実施形態では、円錐／テーパ角は、インプラントの全長及び直径に従って選択される。
【００３７】
骨環境の必要条件に関してインプラントの適切かつ便利な寸法を考慮して、好ましい実施形態では、移行ゾーンは、長手方向で見て、インプラントの歯根尖端から約２〜４ｍｍの距離で始まる。換言すれば、代替のまたは追加の好ましい実施形態では、インプラントの歯根尖部の円形芯及び／またはねじ山ゾーンの位置決めは、高一次固定の可能性を最大にするために、非常に有用であるとみなされる。これは原則として有用であるが、更に具体的には抜歯窩にあり、即時の荷重プロトコルが好ましい可能性がある。有意な歯根尖の嵌合を提供するために、円形ゾーンは、インプラントの長手方向で見て、少なくとも２．５ｍｍの長さを好ましくは有する。
【００３８】
芯体の幾何学的設計に加えて、特に好ましい実施形態では、高一次固定での骨組織との確実な嵌合を支援するために、したがってねじ山も特に設計される。この目的のため、ねじ山は好ましくは平坦なねじ山である。更により有利なことに、平坦なねじ山の自由幅は、インプラントの長手方向の座標パラメータへ依存して及び芯体の歯根尖端を起点として、前記歯根尖端からの距離の増加と共に連続的に増加している。この設計で、歯根尖端に近接した領域のねじ山は、比較的鋭角で小さな外側幅を特徴とすることができ、それによって、ねじ山が骨組織に入るとき、高切削能力を提供する。骨組織の特定の位置にインプラントがねじ込められる（すなわちより遠くの骨組織に入るインプラント）工程で、平坦なねじ山の幅は連続的に増加し、それによって、骨組織のそれぞれの局所間隙を連続的に広げて、骨組織とインプラントの間の接触領域を常に強化する。インプラントの性質の更なる改善は、代替のまたは追加の好ましい実施形態のねじ山輪郭の追加の変形によって得られてもよい。それ自体も独創的とみなされている、特に独立の発明とみなされている、この変形で、ねじ山は、歯根尖面及び歯冠面を有する輪郭を好ましくは有する。そこで歯根尖面は、インプラントの長手方向軸に基本的に直交するように配置され、すなわち、歯根尖面の面法線はインプラントの長手方向軸と基本的に平行に配向される。この設計によって、歯根尖面と周囲の骨材料との確実な接触は、非円形外部面輪郭の結果として−ねじ山の歯根尖面の横方向の延伸が最小半径と最大半径の間を変化する場合であっても、維持できる。この実施形態では、歯冠面は、周囲の骨構造の要求に従って好ましくは選択される。好ましくは、それは、長手方向軸に対してある角度で、好ましくは約６０度で配向され、すなわち頂面の面法線は、インプラントの長手方向軸に対してある角度で、好ましくは約３０度で配向され、それによってねじ山全体がバットレスねじ山を形成する。この発明の形状、特に歯根尖面の配向が原因で、歯根尖面は、非常に効率的に咬合力の荷重を吸収できる。同様に頂面は、この形状で、骨を切削する工程を改善する、比較的小さくかつ鋭利な自由端、及びインプラントが嵌入される際に圧縮を提供する、より強力なねじ山のための比較的広くかつ大きな基部を提供する。
【００３９】
特にねじ山の輪郭のこの設計は、芯体の外側輪郭の断面形状及び／またはねじ山を包囲する外側容積と組み合わせる際に有用である。この成形輪郭、特に三方楕円断面は、インプラントが骨材料にねじ込められるとき、インプラントの長手方向に骨圧縮の振動効果を生じさせる。その効果は、歯根尖面の配向を使用して制限されてもよい、または減少してもよい。代替のまたは追加の好ましい実施形態では、好ましくは主方向の数に等しい、複数の切削溝はインプラントの移行ゾーン及び／または成形ゾーンに提供される。これらの切削溝は、ねじ込まれる際にインプラント本体の強化された切削能力を可能にする。好ましくはこれらの切削溝は、芯体の長手方向中心軸に対して対称に配置される。特に独立発明と考えられ及び本発明に従った実施形態では、それは他の切削溝システムを改善するためにも使用され得る。各切削溝は、芯体の長手方向中心軸の周囲の配向方向で見て、隣接した主方向に対して所与の回転ずれで配置される。
【００４０】
好ましくは配向方向の切削溝は、インプラントがねじ込まれる際、主方向と関連する極大値が骨材料の最大圧縮をもたらすことを考慮して、芯体及び／または外側ねじ山の隣接する主方向に対して配置される。一方で最大を過ぎた後の弛緩は、骨材料がある程度までインプラントの中央軸に向かって逆戻りするのを可能にする。本発明のこの態様による弛緩は、切削溝の切削効果を選択的に改善するために使用される。好ましくは、極大値と関連する切削溝の位置は、骨の正常化効果を達成するためのものである。換言すれば、回転方向に切削溝を配置することにより、その結果、骨材料を弛緩することは、軟骨ではなく硬骨を切削するとき、特に高効率で切削することによって嵌合され、そうしてより軟性の骨特性でのインプラントの安定性を保持する。
【００４１】
好適な発明の実施形態では、これは、各主方向に対するオフセット角αに切削溝を配置することによって達成される。この実施形態では、角αは、それ自体が独立した発明とみなされる選択基準に従って選択される。この選択基準によれば、インプラントの長手方向軸から切削端の放射状延長部の外側限界によって画定される切削端の半径が、対応する主方向の最大半径未満の２０と７５μｍの間になるように、切削縁４８は配置されなければならない。この基準は、圧縮後このおおよその量によって、その密度が元に戻るまたは弛緩することによる、骨の特異的弾性を考慮する。好ましい実施形態では、切削端の半径は最大半径より小さい約３５μｍになるように選択され、そこでは芯体の残りの形状パラメータに従って、約１０６度の好ましいオフセット角αに転換される。インプラントを顎骨にねじ込めるとき、骨組織の通常の特性及び通常の寸法及び回転速度に関して、隣接する主方向に対する縦溝の配置の回転ずれは好ましくは８０度〜１２０度、特に約１０８度である。
【００４２】
特に高一次固定及び高二次固定の両方を含む本発明で達成される利点は、特定の幾何学的設計によって達成することができる。本発明によるインプラントは、芯体及び／またはねじ山について、基本的に円形断面を有する円形ゾーンを特徴とする。それは、骨組織を連続して圧縮し、弛緩させることを可能にして、それによって頂領域または歯冠領域で頬側骨を保持するのを助ける、非円形、好ましくは三方楕円断面を有する成形ゾーンと組み合わせて、インプラントの減少した回転またはぐらつきでねじ山と骨組織との円滑な嵌合を可能にする。これらのゾーン間に提供される異なる偏心を有する、移行ゾーン及び／または追加の成形ゾーンは、円滑な移行を可能にし、骨組織が圧縮効果に穏やかに適応するのを可能にし、骨の摩擦及び不必要な研削または切削を低減する。
【００４３】
本発明の一態様によれば、患者の骨組織内に歯科インプラントを、特に本発明による歯科インプラントを埋入するための埋入ツールを提供する。埋入ツールは近位部分及び遠位部分を含み、遠位部分はインプラントと協調するためにある。遠位部分は保持要素を有し、保持要素は、埋入ツールを歯科インプラントに取り付けるための取付部分を含む。保持要素は、埋入ツールの長手方向に対して垂直な全方向に、少なくとも弾性変形可能である。取付部分は、埋入ツールの長手方向に対して実質的に垂直な１つ以上の方向に、延在する少なくとも１つの突起部を含む。
【００４４】
保持要素は、埋入ツール（例えば、埋入ツールの残部）と一体化して形成されてよい、またはそれに一体化して取り付けられてもよい。
【００４５】
埋入ツールの保持要素全体は、弾性変形可能である。保持要素は、その全体の長さに沿って弾性変形可能である。保持要素の長さは、その長手方向（すなわちその軸方向）に沿って、つまり埋入ツールの長手方向（すなわち、埋入ツールの近位部分から埋入ツールの遠位端部に向かう方向）に沿って延在する。
【００４６】
埋入ツールの近位部分は、埋入ツールを使用する際、臨床医により近い部分である。埋入ツールの遠位部分は、埋入ツールを使用する際、埋入部位により近い部分である。
【００４７】
埋入ツールの遠位部分は、インプラントとの協調のためにある。特に遠位部分は、インプラントの歯冠部分の対応する部分（例えば窩）と協働してもよい。遠位部分は、少なくとも部分的に窩内に導入されてもよい。埋入ツールの遠位部分は、その長手方向軸の周囲の埋入ツールの回転に応じて、インプラントが骨組織内にねじ込まれるように、インプラントと、例えばインプラント窩と協働する。遠位ツール部分とインプラントの間の協調または相互作用により、その長手方向軸周囲に、例えば手動でまたはモーターを使用して適用される回転力は、インプラントを骨組織にねじり込むために、インプラントへ移される。
【００４８】
埋入ツールの遠位部分は、インプラントと協働する部分として、駆動部を有してもよい。駆動部は、抗回転構造を含んでもよい、またをそれでもよい。抗回転構造は、ツールとインプラントが、例えば少なくとも部分的に、ツールの遠位部分をインプラント窩内に導入することによって、互いに嵌合するとき、ツールの長手方向軸周囲で埋入ツールとインプラントの間の相対回転を回避するように構成される。こうして、その長手方向軸周囲で埋入ツールに適用される回転力は、インプラントへ移される。埋入ツールの抗回転構造は、回転対称ではない（例えば、非円形）埋入ツールの長手方向に対して垂直な断面（すなわち、外側断面）を有してもよい。埋入ツールの遠位部分の抗回転構造は、インプラントの対応する抗回転構造と協働してもよい。インプラントの抗回転構造は、回転対称ではない（例えば、非円形）インプラントの長手方向に対して垂直な断面（例えば、内側断面）を有してもよい。ツール及びインプラントの抗回転構造の断面は、実質的に同一でもよい、または同一もしくは対応する形状を有してもよい。
【００４９】
例えば、埋入ツールの遠位部分の駆動部は、下で更に詳述されるように駆動領域及び／または駆動部分でもよい。埋入ツールの駆動領域及び／または駆動セクションは、それぞれインプラントの駆動部分及び／または駆動ゾーンと協働できる。
【００５０】
したがって保持要素全体は、埋入ツールの長手方向に対して少なくとも垂直な全方向にまたはそれに沿って、すなわち保持要素の全横断方向（すなわち保持要素の全半径方向）に、またはそれに沿って、弾性的に変形することができる。
【００５１】
埋入ツールの長手方向に対して垂直な方向の埋入ツールの遠位部分の残部の弾性変形性は、保持要素のそれより低くてもよい。埋入ツールの遠位部分の残部は、埋入ツールの長手方向に対して垂直な方向に弾性変形可能でなくてもよい。
【００５２】
保持要素は、埋入ツール（例えば、埋入ツールの残部）と一体化して形成されてよい、またはそれに一体化して取り付けられてもよい。したがって保持要素は、埋入ツールの一体部分を形成してもよい。
【００５３】
保持要素の取付部分は、埋入ツールの長手方向に対して実質的に垂直な１つ以上の方向に、保持要素の残部の外面から延在する少なくとも１つの突起部または凸部を含む。
【００５４】
取付部分の少なくとも１つの突起部または凸部は、歯科インプラントの歯冠部分に形成される対応する空洞に受容されるように構成される。
【００５５】
埋入ツールは、保持要素の取付部分を歯科インプラントに取り付けることによって歯科インプラントに取り付けられる。
【００５６】
保持要素の取付部分を歯科インプラントに取り付けるとき、保持要素は、保持要素の横断方向に沿って、すなわち半径方向に沿って、最初に弾性的に変形する、すなわち弾性的に圧縮されて、少なくとも１つの突起部または凸部が歯科インプラントの対応する空洞に受容されるとき、保持要素の復元力が原因で、その後その最初の形状に回復する。したがって取付部分は、確実かつ効率的な方法のスナップ嵌めによって、歯科インプラントに取り付けられることができる。取付部分の少なくとも１つの突起部または凸部と、歯科インプラントの対応する空洞と嵌合は、ユーザー（例えば歯科技工室の臨床医または技師）に、保持要素及びしたがって埋入ツールも歯科インプラントに適切に取り付けられたことが明白かつ明確であることを提供する、可聴及び／または触覚フィードバックを提供する。
【００５７】
その部分だけよりも保持要素全体が、その横断方向に沿って弾性的に変形可能である。このように保持要素の特に高度の可撓性は、得られる。更に保持要素全体は、歯科インプラントへの埋入ツールの取り付けの際、弾性的に変形し、そうして保持部品が異なる歯科インプラントに繰り返し嵌合して、それから取り外される場合でも、保持要素の摩耗または破損のリスクを最小限度に抑える。
【００５８】
したがって本発明の埋入ツールは、埋入ツールが歯科インプラントに適切に取り付けられているかの確実かつ効率的な表示を提供する。
【００５９】
保持要素は、埋入ツール（例えば、埋入ツールの残部）と一体化して形成されてよい。本明細書で「一体化して形成される」という用語は、保持要素及び埋入ツール（例えば、埋入ツールの残部）が一体型構成で形成されることを意味する。一体型構成で保持要素及び埋入ツールを形成することは、埋入ツールが、特に単純かつ効率的な方法、例えば射出成形、フライス削り（例えばＣＮＣフライス削り）などによって製造されるのを可能にする。保持要素は、埋入ツール（例えば、埋入ツールの残部）に一体化して取り付けられてもよい。本明細書で「一体化して取り付けられる」とは、保持要素及び／または埋入ツールを損傷する及び／または破壊することなく、保持要素が埋入ツールから取りはずすまたは分離することができないように、保持要素が埋入ツールに取り付けられることを意味する。
【００６０】
保持要素が埋入ツールと一体化して形成される、またはそれに一体化して取り付けられる場合、埋入ツールの特に頑丈かつ安定的構成が得られる。
【００６１】
保持要素は、例えば埋入ツールの長手方向に対して実質的に円形断面を有する、実質的に円筒状形状を有してもよい。
【００６２】
保持要素の取付部分の少なくとも１つ以上の突起部または凸部は、埋入ツールの長手方向に対して実質的に垂直な１つ以上の方向に、すなわちその１つ以上の横断方向に延在する。特に取付部分は、保持要素の複数の横断方向に、すなわち保持要素の円周方向の保持要素の残部の外面の一部に沿って延在する、少なくとも１つの突起部または凸部を含むことができる。少なくとも１つの突起部または凸部は、保持要素の残部の外周の１％以上、１．５％以上、２％以上、５％以上、１０％以上、２０％以上または３０％以上に沿って延在してもよい。
【００６３】
埋入ツールは、例えば、金属（例えばステンレス鋼）、ポリマーまたは複合材料から作製されてもよい。
【００６４】
保持要素及び埋入ツールの残部は、同一材料からまたは異なる材料から作製されてもよい。保持要素が埋入ツールの残部と異なる材料で作製される場合、保持要素により提供される保持力は、特に単純な方法で設定されることができる。
【００６５】
保持要素は、保持要素の遠位端から保持要素の近位端まで延在する少なくとも１つの部分を有してもよく、少なくとも１つの部分は保持要素の残部より可撓性である。保持要素のこの可撓部分は、保持要素の弾性変形性に寄与する、またはそれを提供する。したがって保持要素は、単純かつ効率的な方法の弾性的に変形可能なやり方で構成されることができる。
【００６６】
保持要素の遠位端から保持要素の近位端へ延在する少なくとも１つの部分は、保持要素の残部の材料より可撓性である材料から作製され得る、またはそれから形成され得る。代替的にまたは追加的に少なくとも１つの部分は、保持要素の残部の構成もしくは構造より高度の可撓性を備えた、構成または構造を有することができる。例えば少なくとも１つの部分は、例えばその内部に穿孔、凹部、開口部などを提供することによって、より可撓性になり得る。また例えば少なくとも１つの部分は、保持要素の残部より薄い厚み（すなわち、壁厚）を有してもよい。
【００６７】
保持要素は、保持要素の遠位端から保持要素の近位端まで延在する、２つ以上、３つ以上の、または４つ以上の部分を有してもよく、これらの部分は保持要素の残部より可撓性である。
【００６８】
保持要素は、保持要素の遠位端から保持要素の近位端まで延在する、少なくとも１つの切欠部または凹部を有してもよい。少なくとも１つの切欠部または凹部は、保持要素の弾性変形性に寄与する、またはそれを提供する。このような少なくとも１つの切欠部または凹部を備える保持要素を形成することは、特に保持要素の可撓性構造を提供する。更に、保持要素は特に単純な構造を有する。
【００６９】
保持要素は中空及び／または管状体でもよく、少なくとも１つの切欠部または凹部は保持要素の外壁を貫通する。保持要素は、保持要素の長手方向に（すなわち、埋入ツールの長手方向）に垂直な断面に、開口環形または円環形（すなわちその円周に開口部を有する環形状、または実質的にＣ形状）有することができる。
【００７０】
保持要素は、閉環形または閉円環形（すなわち、その円周に開口部のない環形状）を有してもよい。
【００７１】
保持要素は埋入ツール（例えば、埋入ツールの残部）と、保持要素と埋入ツール（例えばその残部）の間に配置される１つ以上の連結部によって、一体化して形成されてよい、またはそれに一体化して取り付けられてもよい。１つ以上の連結部は、保持要素と保持要素の長手方向の埋入ツールの間に配置されてもよい。１つ以上の連結部のそれぞれは、保持要素の円周方向に保持要素の一部のみに沿って延在してもよい。
【００７２】
このように保持要素は、特に単純かつ確実な方法で埋入ツールと一体化されることができる。
【００７３】
１つ以上の連結部のうちの少なくとも１つまたはいくつかは、保持要素の円周の１％以上、１．５％以上、２％以上、５％以上、１０％以上、２０％以上、３０％以上または４０％以上に沿って延在してもよい。１つ以上の連結部のそれぞれは、保持要素の円周の１０％以上、２０％以上、３０％以上または４０％以上に沿って延在してもよい。
【００７４】
保持要素は、複数の連結部によって、例えば２つは連結部、３つの連結部、４つの連結部または５つの連結部によって、埋入ツールと一体化して形成されてよい、またはそれに一体化して取り付けられてもよく、連結部は保持要素と埋入ツール（例えばその残部）の間に配置される。連結部は、保持要素の円周方向の隣接する連結部の間に間隙があるように、保持要素の円周方向に互いから分離されてもよい、すなわちそれぞれ配置されてもよい。連結部は、保持要素の円周方向に互いから等距離を隔てて分離されてもよい、または保持要素の円周方向に異なる間隔で互いから分離されてもよい。連結部は、保持要素の円周に沿って、すなわち保持要素の円周方向に、同じまたは異なる延伸を有することができる。
【００７５】
保持要素は、単一の連結部によって、埋入ツール（例えばその残部）と一体化して形成されてよい、またはそれに一体化して取り付けられてもよい。保持要素は、保持要素の遠位端から保持要素の近位端まで延在する、単一の部分を有してもよく、単一の部分は保持要素の残部より可撓性である。単一の連結部は、保持要素の半径方向の単一の部分に対して反対に配置されてもよい、または保持要素の円周方向の単一の部分に隣接して配置されてもよい。
【００７６】
保持要素は、単一の連結部によって、埋入ツールと一体化して形成されてよい、またはそれに一体化して取り付けられてもよい。保持要素は、保持要素の遠位端から保持要素の近位端まで延在する、単一の切欠部または凹部を有してもよい。単一の連結部は、保持要素の半径方向の切欠部もしくは凹部に対して反対に配置されてもよい、または保持要素の円周方向の切欠部もしくは凹部に隣接して配置されてもよい。
【００７７】
保持要素は、単一の連結部によって、埋入ツールと一体化して形成されてよい、またはそれに一体化して取り付けられてもよい。単一の連結部は、保持要素の半径方向の取付部分の少なくとも１つの切欠部もしくは凹部に対して反対に配置されてもよい、または保持要素の円周方向の取付部分の少なくとも１つの切欠部もしくは凹部に隣接して配置されてもよい。
【００７８】
保持要素は、少なくとも２つの連結部によって、埋入ツールと一体化して形成されてよい、またはそれに一体化して取り付けられてもよい。少なくとも２つの連結部は、保持要素の半径方向で互いに対して反対に配置されてもよい。
【００７９】
埋入ツールの取付部分は、複数の、例えば２つ以上、３つ以上、４つ以上または５つ以上の突起部または凸部を含んでもよく、それぞれは埋入ツールの長手方向に対して実質的に垂直な１つ以上の方向に延在する。
【００８０】
複数の突起部または凸部は、保持要素の円周方向に同じまたは異なる延伸を有することができる。複数の突起部または凸部は、保持要素の残部の外面から同一のまたは異なる隆起する高さ、すなわち、埋入ツールの長手方向に実質的に垂直な１つ以上の方向のこの外面からの高さを有してもよい。
【００８１】
取付部分の複数の突起部または凸部は、保持要素の円周方向に順次または連続的に配置されてもよく、すなわち、その結果、１つはこの円周方向の他の後配列される。複数の突起部または凸部は、保持要素の円周方向に互いから等距離を隔て分離されてもよい、または異なる間隔で互いから分離されてもよい。
【００８２】
取付部分の複数の突起部または凸部は、歯科インプラントの歯冠部分に形成される対応する空洞（複数可）に受容されるように構成される。
【００８３】
上述されるように、保持要素は、保持要素の遠位端から保持要素の近位端まで延在する少なくとも１つの部分を有してもよく、少なくとも１つの部分は保持要素の残部より可撓性である。保持要素は、保持要素の遠位端から保持要素の近位端まで延在する、少なくとも１つの切欠部または凹部を有してもよい、またはそれを画定してもよい。埋入ツールの取付部分の少なくとも１つの突起部または凸部は、保持要素の少なくとも１つ以上の可撓部、または少なくとも１つの切欠部もしくは凹部に隣接して配置されてもよい。このように、保持要素と歯科インプラント間の特に確実かつ効果的なスナップ嵌め接続は、確実にされることができる。
【００８４】
埋入ツールは視覚インジケータ（例えばマーキング）を有してもよく、それは、埋入ツール及び歯科インプラントが互いに適切に取り付けられているか更なる表示を提供するように構成される。例えば、視覚インジケータは、コーティング、レーザーマーク、溝などを含んでもよい、またはそれであり得る。視覚インジケータは、埋入ツールの遠位部分に提供されてもよい。
【００８５】
保持要素は単一物質から形成され得る。保持要素は、例えば、金属（例えばチタン、チタン合金またはステンレス鋼）、ポリマーまたは複合材料から作製されてもよい。このように保持要素は、特に単純かつ確実な方法の弾性的に変形可能なやり方で構成されることができる。
【００８６】
保持要素の材料は、金属、超弾性、非晶質などでもよい。
【００８７】
保持要素は、例えば射出成形、フライス削り（例えばＣＮＣフライス削り）などによって製造されてもよい。例えば保持要素は、例えば標識として色分けを提供するように、着色したプラスチックを用いた射出成形により製造されてもよい。保持要素が金属（例えばチタン、チタン合金またはステンレス鋼）から作製される場合、保持要素は陽極酸化されてもよい。
【００８８】
本発明の一態様によれば、患者の骨組織内に歯科インプラントを、特に本発明による歯科インプラントを埋入するための埋入ツールを提供する。埋入ツールは近位部分及び遠位部分を含み、遠位部分はインプラントと協調するためにある。遠位部分は駆動領域を有し、駆動領域で、埋入ツールの長手方向に垂直な遠位部分の断面は複数の主方向を有し、これらの主方向で、断面の中心とその外側輪郭の間の距離に相当する半径は相対的な最大値になり、したがって隣接する方位より高い値になる。
【００８９】
埋入ツールの遠位部分の駆動領域は、インプラントと協調する。駆動領域は、抗回転構造、例えば上述される抗回転構造を構成する。駆動領域は、ツールとインプラントが、例えば少なくとも部分的に、ツールの遠位部分をインプラント窩内に導入することによって、互いに嵌合するとき、ツールの長手方向軸周囲で埋入ツールとインプラントの間の相対回転を回避するように構成される。
【００９０】
上述の駆動領域の断面形状は、その長手方向軸周囲で埋入ツールに適用される回転力のインプラントへの効率的、確実及び均一な移行を可能にする。そうして埋入ツールは、患者の骨組織へのインプラントの確実な埋入と共に、インプラント、特にその窩の損傷または破損の危険性を最小限度に抑えることを可能にする。
【００９１】
埋入ツールの遠位部分の駆動領域は、インプラントの対応する抗回転構造、特に駆動部分と協働するように構成される。インプラントの駆動部分で、インプラントの長手方向に対して垂直なインプラントの窩またはチャネルの断面、すなわち内側断面は、複数の主方向を有し、これらの主方向で、断面の中心とその外側輪郭の間の距離に相当する半径は相対的な最大値になり、したがって隣接する方位より高い値になる。埋入ツールの駆動領域とインプラントの駆動部分の断面は、実質的に同一でもよい。
【００９２】
埋入ツールの駆動領域の断面は、円形形状からのそれぞれの断面の偏差に特有の偏心パラメータによって特徴づけられることができる。この説明及び開示の目的のために及び本発明によれば、この偏心パラメータは、その最小半径に対する断面の最大半径の比率として定義され、その結果、偏心パラメータは円形形状において値１になる。埋入ツールの駆動領域の断面の偏心パラメータは、１超である。偏心パラメータは、例えば、１．１〜１．６、１．２〜１．５または１．３〜１．４の範囲でもよい。
【００９３】
この偏心パラメータは、埋入ツールの長手方向の座標に特有なパラメータの各値について評価されることができる。駆動領域の偏心パラメータは、埋入ツールの長手方向で一定でもよい。あるいは駆動領域の偏心パラメータは、埋入ツールの長手方向で変化してもよく、例えばツールの近位端からツールの遠位端に向かう方向に減少してもよい。駆動領域の偏心パラメータには、埋入ツールの長手方向の座標パラメータへの線形従属を有してもよい。
【００９４】
いくつかの実施形態において、断面の各半径が極大値を有する、埋入ツールの駆動領域の主方向は、埋入ツールの長手方向中心軸に対して対称に、特に軸方向に対称に配置される。
【００９５】
埋入ツールの駆動領域の主方向の数は、３つ以上、４つ以上、５つ以上または６つ以上でもよい。
【００９６】
いくつかの実施形態では、埋入ツールの駆動領域の主方向の数は３つであり、すなわち駆動領域は三方楕円断面を有する。上述のとおり、埋入ツールの長手方向に対する主方向の対称な配置と組み合わせて、この三方楕円形は、１２０度の２つの隣接した主方向の間の回転オフセット角をもたらす。
【００９７】
駆動領域は先細形状を有してもよく、その結果、駆動領域で、埋入ツールの長手方向に垂直な遠位部分の断面の横方向寸法または延伸は、埋入ツールの近位端から埋入ツールの遠位端に向かう方向に沿って減少する。
【００９８】
駆動領域で、埋入ツールの長手方向に垂直な遠位部分の断面の領域、すなわち遠位部分の断面領域は、埋入ツールの近位端から埋入ツールの遠位端に向かう方向に沿って減少してもよい。
【００９９】
本発明の一態様によれば、患者の骨組織内に歯科インプラントを、特に本発明による歯科インプラントを埋入するための埋入ツールを提供する。埋入ツールは近位部分及び遠位部分を含み、遠位部分はインプラントと協調するためにある。遠位部分は、駆動部を有する。駆動セクションで、埋入ツールの長手方向に垂直な遠位部分の断面は、断面の円周に沿って交互に配置される、複数の放射状凸部及び複数の放射状凹部を有する。放射状凸部の放射状の最外側点のそれぞれは、断面の中央周辺の対応する円にある。これらの円の少なくとも２つは、互いに異なる半径を有する。
【０１００】
埋入ツールの遠位部分の駆動セクションは、インプラントと協調する。駆動セクションは、抗回転構造、例えば上述される抗回転構造を構成する。駆動セクションは、ツールとインプラントが、例えば少なくとも部分的に、ツールの遠位部分をインプラント窩内に導入することによって、互いに嵌合するとき、ツールの長手方向軸周囲で埋入ツールとインプラントの間の相対回転を回避するように構成される。上述の駆動セクションの断面形状は、その長手方向軸周囲で埋入ツールに適用される回転力のインプラントへの効率的、確実及び均一な移行を可能にする。そうして埋入ツールは、患者の骨組織へのインプラントの確実な埋入と共に、インプラント、特にその窩の損傷または破損の危険性を最小限度に抑えることを可能にする。
【０１０１】
埋入ツールの遠位部分の駆動セクションは、インプラントの対応する抗回転構造、特に駆動セクションと協働するように構成される。インプラントの駆動ゾーンで、インプラントの長手方向に垂直なインプラントの窩またはチャネルの断面、すなわち内側断面は、断面の円周に沿って交互に配置される、複数の放射状凸部及び複数の放射状凹部を有する。そこで放射状凸部の放射状の最外側点のそれぞれは、断面の中央周辺の対応する円にあり、これらの円の少なくとも２つは、互いに異なる半径を有する。埋入ツールの駆動セクションとインプラントの駆動ゾーンの断面は、実質的に同一でもまたは互いに対応してもよい。放射状凹部の放射状の最内側点は、断面の中央周辺の単一の円にあってもよい。したがって放射状凹部のすべての放射状の最内側点は、断面の中央周辺の同じ円にあってもよい。あるいは、放射状凹部の放射状の最内側点のうちの少なくとも２つは、互いに異なる半径を有する、断面の中央周辺の異なる円にあってもよい。
【０１０２】
駆動セクションの埋入ツールの遠位部分の断面は、同数の放射状凸部と放射状凹部を有してもよい。放射状凸部及び／または放射状凹部の数は、２つ以上、３つ以上、４つ以上、５つ以上、６つ以上、７つ以上、８つ以上または９以上でもよい。特に好ましい実施形態では、断面は、６つの放射状凸部及び６つの放射状凹部を有する。
【０１０３】
放射状凸部は、１つ以上の第１の放射状凸部及び１つ以上の第２の放射状凸部を含んでもよい。そこで、１つ以上の第１の放射状凸部の１つ以上の放射状の最外側点のすべては、断面の中央周辺の単一の第１の円にあり、及び１つ以上の第２の放射状凸部の１つ以上の放射状の最外側点のすべては、断面の中央周辺の単一の第２の円にある。
【０１０４】
第２の円は、第１の円より小さい半径を有してもよい。第１の放射状凸部及び第２の放射状凸部は、それらの間に配置された対応する放射状凹部と共に、断面の円周に沿って交互に配置される。
【０１０５】
第１の放射状凸部の数は、第２の放射状凸部の数と同じでもよい。
【０１０６】
駆動セクションの埋入ツールの遠位部分の断面の放射状凸部は、第１の放射状凸部及び第２の放射状凸部のみを含んでもよい。すなわち第１及び第２の放射状凸部以外、これ以上放射状凸部は断面に存在しなくてもよい。
【０１０７】
駆動セクションの断面の放射状凸部及び／または放射状凹部はそれぞれ、曲線形状、例えば少なくとも部分的に円形形状、少なくとも部分的に楕円形状、少なくとも部分的に卵形状などを有してもよい。
【０１０８】
駆動セクションの断面の放射状凸部及び放射状凹部は、互いに直接的にまたは直に隣接して配置されてもよい。放射状凸部は、２つの放射状凹部と直接的にまたは直に隣接してもよく、逆もまた同様である。
【０１０９】
本発明の埋入ツールの遠位部分は、上述のとおり、駆動領域及び駆動セクションを有してもよい。駆動領域は、駆動セクションの近位に配置されてもよい。
【０１１０】
埋入ツールの遠位部分に駆動領域及び駆動セクションの両方を提供することによって、インプラントの骨組織への埋入の際、インプラント、特にその窩へのいかなる損傷または破損も、特に確実に回避されることができる。特に、インプラントの２つの対応する抗回転構造（例えば駆動領域及び駆動セクション）と協働できる、埋入ツールの遠位部分の２つの抗回転構造（すなわち駆動領域及び駆動セクション）の存在に起因して、骨組織へのその埋入の際、インプラントに適用される回転力または荷重は、２つの構造により分担されることができる。したがって、インプラントのこれらの２つの構造のいずれかへの任意の損傷を最小限度に抑えることができる。そうしてインプラントのこれらの構造の１つまたは両方は、インプラントの骨組織への埋入後、アバットメント、スキャンポスト、インプレッションポストなどについての指標として確実かつ効率的に使用することができる。
【０１１１】
本発明の埋入ツールの遠位部分は、上述のとおり、保持要素及び駆動領域を有してもよい。駆動領域は、保持要素の近位に配置されてもよい。
【０１１２】
本発明の埋入ツールの遠位部分は、上述のとおり、保持要素及び駆動セクションを有してもよい。駆動セクションは、保持要素の遠位に配置されてもよい。
【０１１３】
本発明の埋入ツールの遠位部分は、上述のとおり、保持要素、駆動領域及び駆動セクションを有してもよい。駆動セクションは、保持要素の遠位に配置されてもよい。駆動領域は、保持要素の近位に配置されてもよい。駆動セクション、保持要素及び駆動領域は、埋入ツールの遠位端から埋入ツールの近位端に向かう方向にこの順序で配置されてもよい。
【０１１４】
埋入ツールは材料の単一片からなってもよい。この場合、埋入ツールのすべての要素は、互いに一体化して形成される。
【０１１５】
埋入ツールは、２つの分離部、例えば遠位部及び近位部からなってもよく、それは互いに取り付けられている、特に互いに取り外し可能に取り付けられている。
【０１１６】
埋入ツールの２つの分離部は、互いに恒久的に取り付けられてもよい。
【０１１７】
例えば埋入ツールの遠位部は、埋入ツールの近位部の対応する凹部に適合する凸部を有してもよい。遠位部及び近位部は、凸部を凹部内に挿入することによって、互いに取り付けられてもよい、特に互いに取り外し可能に取り付けられてもよい。凸部及び凹部は、埋入ツールの長手方向軸の周囲で互いに対して遠位部及び近位部の任意の回転を防ぐために、対応する抗回転形状または構造を有してもよい。
【０１１８】
遠位部の抗回転構造は、回転対称ではない埋入ツールの長手方向に対して垂直な断面（例えば、凸部の外側断面）を有してもよく、例えばそれは非円形、例えば楕円形、卵形、多角形（例えば長方形、正方形、六角形）などである。埋入ツールの遠位部の抗回転構造は、埋入ツールの近位部の対応する抗回転構造と協働することができる。埋入ツールの近位部の抗回転構造は、回転対称ではない埋入ツールの長手方向に対して垂直な断面（例えば、凹部の内側断面）を有してもよく、例えばそれは非円形、例えば楕円形、卵形、多角形（例えば長方形、正方形、六角形）などである。遠位部及び近位部の抗回転構造の断面は、実質的に同一でもよい。
【０１１９】
上述のとおり２つの分離部、例えば遠位部及び近位部の形態で埋入ツールを提供することは、埋入ツールの製造、特に保持要素の製造をより単純かつより容易にする。特に保持要素が埋入ツールの近位部に提供されている場合、これが当てはまる。例えば保持要素の製造は、フライス削りによって実施することができる。
【０１２０】
埋入ツールの２つの分離部のうちの１つ、特に遠位部は、駆動セクションを含んでもよく、２つの分離部のうちの他のもの、特に近位部は、保持要素及び駆動領域を含んでもよい。このように埋入ツールの製造、特に保持要素の製造は、更に単純化されることができる。
【０１２１】
保持要素は、２つの分離部のうちの他のもの、特に近位部と一体化して形成されてもよい。
【０１２２】
保持要素は、２つの分離部のうちの他のもの、特に近位部に一体化して取り付けられてもよい。
【０１２３】
本発明は、本発明による歯科インプラントと本発明による埋入ツールの組み合わせを更に提供する。
【０１２４】
本発明の歯科インプラント及び埋入ツールについての上に提供した説明、特徴ならびに定義は、本発明の組み合わせに十分に当てはまる。
【０１２５】
本発明の組み合わせは、本発明の歯科インプラント及び埋入ツールについて既に上述した効果及び利点を提供する。
【０１２６】
歯科インプラントは、保持部品の取付部分の少なくとも１つの突起部または凸部を受容するために、その歯冠部分に形成される少なくとも１つの空洞を有することができる。
【０１２７】
本発明の一態様によれば、特に患者の骨組織への埋入のために、歯根尖端及び歯冠端を有する芯体を含む、歯科インプラントが提供される。芯体は、歯冠端に対して開いて、歯冠端から歯根尖端に向かうインプラントの長手方向に延在するチャネル及び窩を含む。芯体は駆動ゾーンを有し、その駆動ゾーンに、インプラントの長手方向に垂直なチャネルの断面は、断面の円周に沿って配置される複数の放射状凸部を有する。放射状凸部の放射状の最外側点のそれぞれは、断面の中央周辺の対応する円にある。これらの円の少なくとも２つは、互いに異なる半径を有する。インプラントの長手方向に垂直なインプラントの窩またはチャネルの内側断面は、断面の円周に沿って交互に配置される、複数の放射状凸部及び複数の放射状凹部を有することができる。
【０１２８】
歯科インプラントの長手方向は、インプラントの歯冠端からインプラントの歯根尖端に向かって延在する。インプラントの長手方向に垂直なチャネルの断面は、チャネルの内側断面である。
【０１２９】
インプラントの芯体の駆動ゾーンは、埋入ツール、特に上述の本発明の埋入ツール、すなわちその駆動セクションと協働する。駆動ゾーンは、抗回転構造、例えば上述される抗回転構造を構成する。駆動ゾーンは、ツールとインプラントが、例えば少なくとも部分的に、ツールの遠位部分をインプラントのチャネルまたは窩内に導入することによって、互いに嵌合するとき、ツールの長手方向軸周囲で埋入ツールとインプラントの間の相対回転を回避するように構成される。
【０１３０】
上述の駆動ゾーンの断面形状は、その長手方向軸周囲で埋入ツールに適用される回転力のインプラントへの効率的、確実及び均一な移行を可能にする。そうしてインプラントは、患者の顎骨または骨組織へのその確実な埋入と共に、インプラント、特にそのチャネルもしくは窩の損傷または破損の危険性を最小限度に抑えることを可能にする。
【０１３１】
インプラントの駆動ゾーンは、埋入ツールの遠位部分の対応する抗回転構造、特に駆動セクションと協働するように構成される。インプラントの駆動ゾーンと埋入ツールの駆動セクションの断面は、実質的に同一でもよい。
【０１３２】
駆動ゾーンのチャネル断面の放射状凹部の放射状の最内側点は、断面の中央周辺の単一の円にあってもよい。したがって放射状凹部のすべての放射状の最内側点は、断面の中央周辺の同じ円にあってもよい。あるいは、放射状凹部の放射状の最内側点のうちの少なくとも２つは、互いに異なる半径を有する、断面の中央周辺の異なる円にあってもよい。
【０１３３】
駆動ゾーンのチャネルの断面は、同数の放射状凸部と放射状凹部を有してもよい。放射状凸部及び／または放射状凹部の数は、２つ以上、３つ以上、４つ以上、５つ以上、６つ以上、７つ以上または８つ以上でもよい。特に好ましい実施形態では、断面は、６つの放射状凸部及び６つの放射状凹部を有する。
【０１３４】
放射状凸部は、１つ以上の第１の放射状凸部及び１つ以上の第２の放射状凸部を含んでもよい。そこで、１つ以上の第１の放射状凸部の１つ以上の放射状の最外側点のすべては、断面の中央周辺の単一の第１の円にあり、及び１つ以上の第２の放射状凸部の１つ以上の放射状の最外側点のすべては、断面の中央周辺の単一の第２の円にある。
【０１３５】
第２の円は、第１の円より小さい半径を有してもよい。
【０１３６】
１つ以上の第１の放射状凸部の１つ以上の放射状の最外側点のうちの少なくとも１つは、角度許容差範囲内で、歯科インプラントの芯の極大値の角位置に適合する角位置に位置することができる。許容差範囲は、約＋−１０度、好ましくは＋−５度であり得る。１つ以上の第１の放射状凸部の放射状の最外側点は、歯科インプラントの芯の極大値と同じ（または実質的に同じ）角位置に位置することができる。
【０１３７】
１つ以上の第１の放射状凸部の放射状の最外側点の数は、インプラント芯体の極大値の数と同じであり得る。
【０１３８】
１つ以上の第２の放射状凸部の１つ以上の放射状の最外側点のうちの少なくとも１つは、角度許容差範囲内で、歯科インプラントの芯の極小値の角位置に適合する角位置に位置することができる。許容差範囲は、約＋−１０度、好ましくは＋−５度であり得る。１つ以上の第２の放射状凸部の放射状の最外側点は、歯科インプラントの芯の極大値と同じ（または実質的に同じ）角位置に位置することができる。
【０１３９】
駆動ゾーンの最外側点の上述した構成は、最大の材料が、所与の断面の前記最外側点とインプラントの芯体の周辺の間に存在することを確実にする。
【０１４０】
第１の放射状凸部及び第２の放射状凸部は、それらの間に配置された対応する放射状凹部と共に、断面の円周に沿って交互に配置される。
【０１４１】
第１の放射状凸部の数は、第２の放射状凸部の数と同じでもよい。
【０１４２】
駆動ゾーンのチャネルの断面の放射状凸部は、第１の放射状凸部及び第２の放射状凸部のみを含んでもよい。すなわち第１及び第２の放射状凸部以外、これ以上放射状凸部は断面に存在しなくてもよい。
【０１４３】
駆動ゾーンのチャネルの断面の放射状凸部及び／または放射状凹部はそれぞれ、曲線形状、例えば少なくとも部分的に円形形状、少なくとも部分的に楕円形状、少なくとも部分的に卵形状などを有してもよい。
【０１４４】
駆動ゾーンのチャネルの断面の放射状凸部及び放射状凹部は、互いに直接的にまたは直に隣接して配置されてもよい。放射状凸部は、２つの放射状凹部と直接的にまたは直に隣接してもよく、逆もまた同様である。
【０１４５】
芯体は駆動部分を更に有してもよく、駆動部分で、インプラントの長手方向に垂直なチャネルの断面は複数の主方向を有し、これらの主方向で、断面の中心とその外側輪郭の間の距離に相当する半径は相対的な最大値になり、したがって隣接する方位より高い値になる。
【０１４６】
インプラントの芯体の駆動部分は、埋入ツール、特に上述の本発明の埋入ツール、すなわちその駆動領域と協働する。駆動部分は、抗回転構造、例えば上述される抗回転構造を構成する。駆動部分は、ツールとインプラントが、例えば少なくとも部分的に、ツールの遠位部分をインプラントのチャネルまたは窩内に導入することによって、互いに嵌合するとき、ツールの長手方向軸周囲で埋入ツールとインプラントの間の相対回転を回避するように構成される。
【０１４７】
上述の駆動部分の断面形状は、その長手方向軸周囲で埋入ツールに適用される回転力のインプラントへの効率的、確実及び均一な移行を可能にする。そうしてインプラントは、患者の顎骨または骨組織へのその確実な埋入と共に、インプラント、特にそのチャネルもしくは窩の損傷または破損の危険性を最小限度に抑えることを可能にする。
【０１４８】
インプラントの駆動部分は、埋入ツールの遠位部分の対応する抗回転構造、特に駆動領域と協働するように構成される。インプラントの駆動部分と埋入ツールの駆動領域の断面は、実質的に同一でもよい。
【０１４９】
インプラントの駆動部分の断面は、円形形状からのそれぞれの断面の偏差に特有の偏心パラメータによって特徴づけられることができる。この説明及び開示の目的のために及び本発明によれば、この偏心パラメータは、その最小半径に対する断面の最大半径の比率として定義され、その結果、偏心パラメータは円形形状において値１になる。インプラントの駆動部分の断面の偏心パラメータは、１超である。偏心パラメータは、例えば、１．１〜１．６、１．２〜１．５または１．３〜１．４の範囲でもよい。
【０１５０】
この偏心パラメータは、歯科インプラントの長手方向の座標に特有なパラメータの各値について評価されることができる。駆動部分の偏心パラメータは、インプラントの長手方向で一定でもよい。あるいは駆動部分の偏心パラメータは、インプラントの長手方向で変化してもよく、例えばインプラントの歯冠端からインプラントの歯根尖端に向かう方向に減少してもよい。駆動部分の偏心パラメータは、インプラントの長手方向の座標パラメータへの線形従属を有してもよい。
【０１５１】
いくつかの実施形態では、断面の各半径が極大値を有する、インプラントの駆動部分の主方向は、インプラントの長手方向中心軸に対して対称に、特に軸方向に対称に配置される。
【０１５２】
インプラントの駆動部分の主方向の数は、３つ以上、４つ以上、５つ以上または６つ以上でもよい。
【０１５３】
いくつかの実施形態では、インプラントの駆動部分の主方向の数は３つであり、すなわち駆動部分は三方楕円断面を有する。上述のとおり、インプラントの長手方向に対する主方向の対称な配置と組み合わせて、この三方楕円形は、１２０度の２つの隣接した主方向の間の回転オフセット角をもたらす。
【０１５４】
駆動部分は先細形状を有してもよく、その結果、駆動部分で、インプラントの長手方向に垂直なチャネルの断面の横方向寸法または延伸は、芯体の歯冠端から芯体の歯根尖端に向かう方向に沿って減少する。
【０１５５】
駆動部分で、インプラントの長手方向に垂直なチャネルの断面の領域、すなわちチャネルの断面領域は、芯体の歯冠端から芯体の歯根尖端に向かう方向に沿って減少してもよい。
【０１５６】
本発明のインプラントの芯体はしたがって、上述のとおり駆動ゾーン及び駆動部分を有してもよい。駆動領域は、駆動部分の頂端に配置されてもよい。
【０１５７】
インプラントの芯体に駆動ゾーン及び駆動部分の両方を提供することによって、インプラントの顎骨または骨組織への埋入の際、インプラント、特にそのチャネルもしくは窩へのいかなる損傷または破損も、特に確実に回避されることができる。特に、埋入ツールの遠位部分の２つの対応する抗回転構造（例えば駆動セクション及び駆動領域）と協働できる、インプラントの芯体の２つの抗回転構造（すなわち駆動ゾーン及び駆動部分）の存在に起因して、骨組織へのその埋入の際、インプラントに適用される回転力または荷重は、２つの構造により分担されることができる。したがって、インプラントのこれらの２つの構造のいずれかへの任意の損傷を最小限度に抑えることができる。そうしてインプラントのこれらの構造の１つまたは両方は、インプラントの顎骨または骨組織への埋入後、アバットメント、スキャンポスト、インプレッションポストなどについての指標として確実かつ効率的に使用することができる。
【０１５８】
芯体は、歯根尖端と歯冠端の間でインプラントの長手方向に沿って延在する外面を有してもよい。
【０１５９】
歯科インプラントは、芯体から外向きに延在する少なくとも１つのねじ山を更に含んでもよく、ねじ山は、芯体の歯根尖端に向いている歯根尖面、及び芯体の歯冠端に向いている歯冠面を有する。
【０１６０】
ねじ山は、その内部に形成される縦溝、すなわち切削溝を有してもよく、縦溝は、ねじ山の歯根尖端からねじ山の歯冠端に向かって延在する。
【０１６１】
ねじ山は、その歯根尖部で、その歯冠面に形成された凹部を有してもよく、凹部は、ねじ山の厚みの一部に沿って歯冠面から歯根尖面に向かう方向に延在する。凹部は縦溝に対して開いている、すなわち縦溝に開いている。
【０１６２】
本発明の一態様によれば、特に患者の骨組織への埋入のために、歯根尖端、歯冠端、及び歯根尖端と歯冠端の間でインプラントの長手方向に沿って延在する外面を有する芯体を含む、歯科インプラントが提供される。インプラントは、芯体から外向きに延在する少なくとも１つのねじ山を更に含む。ねじ山は、芯体の歯根尖端に向いている歯根尖面、及び芯体の歯冠端に向いている歯冠面を有する。ねじ山は、その内部に形成される縦溝、すなわち切削溝を有する。縦溝は、ねじ山の歯根尖端からねじ山の歯冠端に向かって延在する。ねじ山は、その歯根尖部で、その歯冠面に形成された凹部を有し、凹部は、ねじ山の厚みの一部に沿って歯冠面から歯根尖面に向かう方向に延在する。凹部は縦溝に対して開いている、すなわち縦溝に開いている。
【０１６３】
ねじ山の厚さは、ねじ山の歯冠面からねじ山の歯根尖面に向かう方向に延在する。ねじ山の幅は、芯体から外側に放射状方向に延在する。ねじ山の長さは、インプラントの長手方向に延在する。
【０１６４】
上述のとおり、ねじ山に縦溝及び凹部を提供することによって、インプラントは自己穿孔式になる。更に縦溝及び凹部の配置は、インプラントを顎骨または骨組織に嵌入するのに必要な埋入トルクまたは回転力を低減するのを助ける。これは、特に硬骨の場合に有利である。インプラントを嵌入するとき、その軸方向の加圧は必要とされない。むしろインプラントは、その回転に応じて、埋入部位内にそれ自体を効率的かつ確実に入れる。
【０１６５】
凹部は、切削機能、すなわち骨組織を切削する機能を有する。したがって凹部は、効率的に骨材料を切削し、除去して、更に芯体の歯冠端の方へ除去された骨材料を輸送するのを助ける。
【０１６６】
特にインプラントを埋入部位、例えば抜歯部位に埋め込むとき、例えばインプラントと骨組織の間の傾斜したまたは角度のある配置が原因で、そこでインプラントは横向きに切断しなければならず、本発明のインプラントは骨にその円滑かつ正確な配置を確実にする。更に凹部は、骨壁が均一ではなく、したがって通常穿孔から生じる円筒形状の骨切断を作製することができない、骨組織の準備不足の孔または抜歯窩へのインプラントの埋入に大いに役立つ。
【０１６７】
本発明のインプラントはしたがって、低減した力及び高度な精度で骨組織へのその埋入を可能にする。このように、インプラントと骨組織の特に安定かつ頑丈な接続または嵌合、すなわち高い埋入安定性は、達成されることができる。
【０１６８】
ねじ山の歯冠面の凹部の配置に起因して、上述の効果は、広範囲のインプラントのねじ山角度にわたって、すなわち実質的にすべてのインプラントのねじ山角度について、特に小さなインプラントのねじ山角度について、達成されることができる。
【０１６９】
したがって本発明は、多種多様なインプラントのねじ山角度、特に小さなねじ山角度において、顎骨または骨組織の確実かつ正確な配置及びその嵌合を可能にする、歯科インプラントを提供する。歯科インプラントは、少なくとも１つのねじ山を含む。歯科インプラントは、複数のねじ山、例えば２つ以上のねじ山、３つ以上のねじ山または４つ以上のねじ山を含んでもよい。
【０１７０】
少なくとも１つのねじ山は、その内部に形成される少なくとも１つの縦溝、すなわち少なくとも１つの切削溝を有する。少なくとも１つの縦溝は、少なくとも１つの縦溝の長さ方向に、ねじ山の歯根尖端からねじ山の歯冠端に向かって延在する。したがって少なくとも１つの縦溝は、ねじ山の歯根尖端で開始して、そこからねじ山の歯冠端に向かって延在する。少なくとも１つの縦溝は、ねじ山の長さの２０％以上、３０％以上、４０％以上、５０％以上または６０％以上にわたって延在してもよい。
【０１７１】
少なくとも１つの縦溝は、インプラントの長手方向に実質的に平行な方向に、またはインプラントの長手方向に対して傾いたもしくは傾斜した方向に延在してもよい。後者の場合、少なくとも１つの縦溝の延伸方向とインプラントの長手方向の間の角度は、２度〜２０度、５度〜１５度、または８度〜１２度の範囲でもよい。
【０１７２】
少なくとも１つの縦溝は、少なくとも１つの縦溝の幅方向に、芯体の円周の一部に沿って延在する。少なくとも１つの縦溝は、芯体の円周の１０％〜３０％、１５％〜２５％、または１８％〜２２％にわたって延在してもよい。ねじ山は、その内部に形成された複数の縦溝、すなわち複数の切削溝を有してもよい。複数の縦溝のうちの１つは、ねじ山の歯根尖端からねじ山の歯冠端に向かって延在する。ねじ山は、その内部に形成された２つ以上の縦溝、３つ以上の縦溝または４つ以上の縦溝を有してもよい。
【０１７３】
複数の縦溝は、ねじ山の長さに沿って及び／またはねじ山の円周に沿って、すなわち芯体の円周に沿って千鳥配列または位置をずらした配置で配置されてもよい。
【０１７４】
ねじ山は、その歯冠面に形成された少なくとも１つの凹部を有し、少なくとも１つの凹部は、ねじ山の厚みの一部に沿って歯冠面から歯根尖面に向かう方向に延在する。したがって少なくとも１つの凹部は、ねじ山の歯冠面で開始して、そこからねじ山の歯根尖面に向かって延在する。少なくとも１つの凹部は、ねじ山の厚さ方向でねじ山に完全には貫通しない。少なくとも１つの凹部は、ねじ山の歯冠面に対して開いている、すなわちそれに開いている。
【０１７５】
更に凹部は縦溝に対して開いている、すなわち縦溝に開いている。凹部は縦溝に隣接して、すなわち直接または直に隣接して提供される。
【０１７６】
少なくとも１つの凹部は、ねじ山の厚みの２０％〜９０％、３０％〜８０％、４０％〜７０％または５０％〜６０％に沿って歯冠面から歯根尖面に向かう方向に延在してもよい。このように、インプラントの十分な安定性を維持しつつ、凹部が骨切削工程に効率的に役立つことできることが確保され得る。
【０１７７】
利用可能な骨が低容量の場合（例えば、抜歯窩）、第１のねじ山が骨に切り込まれる際、穿設孔は小型であり得て、その結果先端から得られるインプラントの良好な安定性が得られる。歯冠面から歯根尖面（すなわち、少なくとも１つの凹部の深さ）に向かう方向への少なくとも１つの凹部の延伸は、歯冠または歯根尖面に平行な方向に沿って一定でもよい。
【０１７８】
歯冠面から歯根尖面（すなわち、少なくとも１つの凹部の深さ）に向かう方向への少なくとも１つの凹部の延伸は、歯冠または歯根尖面に平行な方向に沿って変化してもよい。この場合、歯冠面から歯根尖面に向かう方向への少なくとも１つの凹部の最大延伸は、ねじ山の厚みの２０％〜９０％、３０％〜８０％、４０％〜７０％または５０％〜６０％の範囲でもよい。歯冠面から歯根尖面に向かう方向への少なくとも１つの凹部の最大延伸は、縦溝に直接隣接して配置される凹部の部分に存在してもよい。
【０１７９】
歯冠面から歯根尖面に向かう方向への少なくとも１つの凹部の延伸は、凹部が開いている縦溝から円周方向に離れる方向に沿って減少してもよい。このように、凹部の特に効果的な切削機能を得ることができる。
【０１８０】
少なくとも１つの凹部は、湾曲した形状を有してもよい。例えば少なくとも１つの凹部は、球体もしくは楕円体の一部または部分、例えば４分の１の球体または４分の１の楕円体の形状を有してもよい。少なくとも１つの凹部のこのような湾曲形状は、凹部及びしたがって更にインプラントが特に単純かつ費用効率の高い方法で製造されるのを可能にする。
【０１８１】
少なくとも１つの凹部は、ねじ山の幅方向に、ねじ山の幅の５０％〜９０％、６０％〜８０％、または６５％〜７５％にわたって延在してもよい。
【０１８２】
少なくとも１つの凹部は、インプラントの回転方向の縦溝の上流側に配置されてもよい。インプラントの回転方向は、インプラントが骨組織内にねじ込められる方向である。
【０１８３】
少なくとも１つの凹部は、ねじ山の第１の完全または最大限の回転で、ねじ山の歯冠面に形成されてもよい。ねじ山の第１の完全または最大限の回転は、完全な回転がねじ山の歯根尖端から始まってねじ山の歯冠端に向かって進んで計数されるとき、第１の完全な回転である。ねじ山の第１の完全な回転は、したがってねじ山の最歯根尖での完全な回転である。少なくとも１つの凹部のこのような配置は、インプラントの顎骨または骨組織との特に安定かつ頑丈な嵌合を可能にする。
【０１８４】
少なくとも１つの凹部は、ねじ山の第２の完全または最大限の回転で、ねじ山の歯冠面に形成されてもよい。少なくとも１つの凹部は、ねじ山の第３の完全または最大限の回転で、ねじ山の歯冠面に形成されてもよい。
【０１８５】
ねじ山は、その歯冠面に形成された複数の凹部を有する。例えば複数の凹部のうちの１つは、ねじ山の第１及び第２の完全または最大限の回転で、ねじ山の歯冠面のそれぞれに形成されてもよい。複数の凹部のうちの１つは、ねじ山の第１、第２及び第３の完全または最大限の回転で、ねじ山の歯冠面のそれぞれに形成されてもよい。
【０１８６】
ねじ山角度、すなわち、インプラントの長手方向に対して垂直な平面に対するねじ山の傾斜角度は、２５度以下、２０度以下、１５度以下、１２度以下または１０度以下でもよい。特に好ましい実施形態では、ねじ山角度は１０度以下である。
【０１８７】
このような小さなねじ山角度は、インプラントの特に円滑かつ正確な配置を可能にする、インプラントが、よりゆっくり、すなわちインプラントの回転当たりのより少ない前進運動で骨組織内に導入されるという利点を提供する。
【０１８８】
上述のように、本発明のインプラントの凹部は、このような小さなねじ山角度を有するねじ山と組み合わせて特に良好に働く。特にねじ山の歯冠面の凹部の配置は、凹部の存在に起因して、ねじ山角度の局所増加を提供できる。例えばねじ山角度は、局所的に２０度〜４０度、または２５度〜３５度に増大してもよい。
【０１８９】
したがって凹部は、骨組織の切削に大いに寄与することができる。
【０１９０】
本開示の上記及び他の特徴は、添付の図面とともに検討すれば、下記の説明と添付の特許請求の範囲から、更に十分に明らかになるであろう。これらの図面は、本開示によるいくつかの実施形態を示しているに過ぎず、本開示の範囲を限定するとはみなされないという理解のもと、添付の図面を用いて、更に具体的かつ詳細に本開示について説明する。
【図面の簡単な説明】
【０１９１】
【図１】本発明の一実施形態による、歯科インプラントの側面斜視図である。
【図２】本発明による、別の歯科インプラントの側面斜視図である。
【図３】区別したゾーンを備えた、本発明による歯科インプラントの実施形態の側面図である。
【図４】図３のインプラントの縦断面図である。
【図５】図２のインプラントの縦断面図である。
【図６】本発明によるインプラントの異なる実施形態の図である。
【図７】本発明によるインプラントの異なる実施形態の図である。
【図８】本発明によるインプラントの異なる実施形態の図である。
【図９】本発明によるインプラントの異なる実施形態の図である。
【図１０】本発明によるインプラントの異なる実施形態の図である。
【図１１】本発明によるインプラントの異なる実施形態の図である。
【図１２】本発明によるインプラントの異なる実施形態の図である。
【図１３】切削溝を備えた、本発明によるインプラントの異なる実施形態の側面図である。
【図１４】切削溝を備えた、本発明によるインプラントの異なる実施形態の側面図である。
【図１５】切削溝を備えた、本発明によるインプラントの異なる実施形態の側面図である。
【図１６】切削溝を備えた、本発明によるインプラントの異なる実施形態の側面図である。
【図１７】切削溝を備えた、本発明によるインプラントの異なる実施形態の側面図である。
【図１８】切削溝を備えた、本発明によるインプラントの異なる実施形態の側面図である。
【図１９】図１１のインプラントの好ましい実施形態の歯冠部分の側面斜視図である。
【図２０】本発明の実施形態による歯科インプラントの側面図である。
【図２１】図２０のインプラントの断面の概略である。
【図２２】図１、図２、図１１のインプラントの縦断面図である。
【図２３】図２２の一部の拡大図である。
【図２４】骨材料内への埋入後の図１、図２、図１１のインプラントの一部の縦断面図である。
【図２５】上から見た図１、図２、図１１のインプラントの２つの図である。
【図２６】図１、図２及び図１１のインプラントの縦断面斜視図である。
【図２７】図１、図２及び図１１のインプラントの縦断面斜視図である。
【図２８】インプラントの他の内部接続を示す、本発明の別の実施形態による歯科インプラントの上部の縦断面斜視図である。
【図２９】本発明の別の実施形態による歯科インプラントの歯冠部分の側面斜視図である。
【図３０】図２９の歯科インプラントの側面斜視図である。
【図３１】図２９の歯科インプラントの側面図である。
【図３２】本発明の別の実施形態による歯科インプラントの先端部分の側面図である。
【図３３】本発明の別の実施形態による歯科インプラントの底面斜視図である。
【図３４】本発明の別の実施形態による歯科インプラントの側面斜視図である。
【図３５】インプラントの長手方向軸に沿ったインプラントの特定の部分における、偏心の可能な変化を示すグラフである。
【図３６】本発明の第１の実施形態による埋入ツールを示す。図３６（ａ）は埋入ツール全体の側面図である。図３６（ｂ）は埋入ツールの遠位部分を拡大した側面図である。図３６（ｃ）は埋入ツールの遠位部分の斜視図である。
【図３７】本発明の第１の実施形態による埋入ツールを示す。図３７（ａ）は埋入ツールの遠位部分の分解斜視図である。図３７（ｂ）は埋入ツールの遠位部分の分解側面図である。図３７（ｃ）は埋入ツールの遠位部分の分解断面図である。図３７（ｄ）は、埋入ツールの遠位部分の一部が歯科インプラントに挿入されている状態を示す、断面図である。
【図３８】本発明の第１の実施形態による埋入ツールを示す。図３８（ａ）は埋入ツール全体の側面図である。図３８（ｂ）は、図３８（ａ）の線Ｃ−Ｃによる埋入ツールの遠位部分の断面図である。図３８（ｃ）は埋入ツールの遠位部分の側面図である。図３８（ｄ）は、図３８（ｃ）の線Ａ−Ａによる埋入ツールの遠位部分の断面図である。図３８（ｅ）は、埋入ツールの第１の実施形態の変形で、図３８（ｃ）の線Ａ−Ａによる埋入ツールの遠位部分の断面図である。図３８（ｆ）は、図３８（ｃ）の線Ｂ−Ｂによる埋入ツールの遠位部分の断面図である。
【図３９】本発明の第１の実施形態による埋入ツールと歯科インプラントの組み合わせを示す。図３９（ａ）は、埋入ツールがインプラントに取り付けられている状態での組み合わせの側面図である。図３９（ｂ）は、図３９（ａ）の線Ｄ−Ｄによる埋入ツールの遠位部分及びインプラントの歯冠部分の断面図である。図３９（ｃ）は、図３９（ｂ）の線Ｅ−Ｅによるインプラントの歯冠部分の断面図である。
【図４０】本発明の第２の実施形態による埋入ツールを示す。図４０（ａ）及び（ｂ）は異なる角度による埋入ツールの遠位部分の斜視図である。
【図４１】本発明の実施形態による歯科インプラントを示す。図４１（ａ）はインプラントの側面図である。図４１（ｂ）はインプラントの底面図である。図４１（ｃ）は図４１（ｂ）の線Ｈ−Ｈによるインプラントの断面図である。
【図４２】本発明の実施形態による歯科インプラントを示す。図４２（ａ）は図４１（ｃ）に示す矢印Ｋの方向のインプラントの頂部の側面図である。図４２（ｂ）は図４１（ｃ）に示す矢印Ｊの方向のインプラントの頂部の側面図である。図４２（ｃ）は図４１（ｃ）に示す丸で囲んだ領域Ｍの拡大図である。図４２（ｄ）は図４１（ｂ）に示す丸で囲んだ領域Ｇの拡大図である。
【図４３】本発明の別の実施形態による歯科インプラントを示す。図４３（ａ）はインプラントの側面図である。図４３（ｂ）は図４３（ａ）の線Ｂ−Ｂによるインプラントの断面図である。図４３（ｃ）はインプラントの上面図である。
【発明を実施するための形態】
【０１９２】
本発明の好ましい実施形態を、添付の図面を参照しながら説明する。
【０１９３】
同一部分は、すべての図で同じ参照番号で表す。示すように個々の特徴は、そのすべてが本発明の範囲内であると見なされる、更なる変形に組み込まれてもよい。
【０１９４】
図１に示す歯科インプラント１は、歯科補綴またはクラウンとして機能する補綴部分をそこで保持するために、引き抜かれたまたは脱落した歯の場所の患者の顎骨で使用するために提供される。示すように例示的実施形態において、歯科インプラント１は、いわゆる多部品型構成用に設計されて、患者の骨組織への埋入のためいわゆる支柱部として構成される。歯科インプラント１が使用されることを目的とする歯科インプラントシステムは、取付部分またはアバットメントとも称され、インプラント１と協働することができる歯の補綴部分または他の任意の補綴要素を固定するために提供される、それと関連する第２のインプラント部品（図示せず）も含む。しかし、あるいは及び更に本発明によれば、歯科インプラント１は、一体型歯科インプラントシステムで使用するようにも構成される可能性があり、そこでその頂領域の歯科インプラント１は、直接歯の補綴部分または補綴要素を取り付けるための手段も保有する。
【０１９５】
インプラント１は、その本体として、歯根尖端４、歯冠端６、及び歯根尖端４と歯冠端６の間に長手方向に沿って延在する外面８を有する芯体２を含む。一体型構成で、芯体２の歯冠端６は、歯科補綴が適切に及び高い機械的安定度を備えて取り付けられることができるように、適切に設計される可能性がある。しかし示す例で、歯科インプラントシステムの多部品型構成に起因して、歯冠端６は、第２のインプラント部品またはアバットメントとの高い機械的安定度の接続を形成するように設計される。歯の補綴部分または補綴を取付部分またはアバットメントに適切に固定した後、このような高い機械的安定性を提供するために、インプラント１は、アバットメントの対応する接続ピンが嵌入されることができる受容チャネル１０を特徴とする。接続ピンを受容チャネル１０に押し込むことによって、インプラント１及びアバットメントは互いに機械的に接続される。インプラント１及びアバットメントの機械的接続は、関連する接続ねじを介して達成され、それの雄ねじは、インプラント１に提供される雌ねじにねじ込められ、それによって接続ねじのねじ頭は、インプラント１上へアバットメントを押圧する。
【０１９６】
その外面８に、インプラント１の芯体２は、芯体２から外向きに延在する外ねじ１２を備えている。ねじ山１２は、特に自己穿孔式ねじ山として歯根尖端４に近接したゾーンに構成され、それによってインプラント１は、意図した場所にねじ込むことによって、顎骨に嵌入されることができる。ねじ山１２の傾斜度は、均一または可変であり得る。
【０１９７】
そのねじ山１２を含むインプラント１は、特に所望の高一次及び二次固定、ならびに顎骨への歯科インプラント１の咀嚼荷重下で生じる力の均一な転送を考慮して、特に設計されている。この目的のために、インプラントは、多くの特異ゾーンまたはセクションを含み、そのそれぞれは、高一次固定または高二次固定に特異的に寄与すると示される。
【０１９８】
第１に、歯科インプラント１の芯体２は、示すように好ましい実施形態では、歯根尖端４に隣接して位置する円形ゾーン２０を含む。芯円形ゾーン２０で、インプラント１の芯体２は、インプラント１が骨材料内にねじ込められる第１の時間中、骨組織に過剰な応力を加えずにねじ山１２と骨材料との比較的簡単な嵌合ために設計される。この目的のため、芯円形ゾーン２０で、芯体２は円形断面を有する。インプラント１の歯根尖部の芯円形ゾーン２０の位置決めは、高一次固定の可能性を最大にするために、非常に有用であるとみなされる。これは原則として有用であるが、更に具体的には抜歯窩にあり、即時の荷重プロトコルが好ましい可能性がある。有意な歯根尖の嵌合を提供するために、円形ゾーン２０は、インプラントの長手方向で見て、示された実施形態では、少なくとも２．５ｍｍの長さを有する。
【０１９９】
それに対し第２に、芯体２は芯成形ゾーン２２を含む。図に示す実施形態では、芯成形ゾーン２２は、インプラント２の他端の近くに、すなわち歯冠端６の隣に配置され、それによって頂プラットホームゾーン２４を構成するが、あるいは、それは芯体２のいくつかの中央または中間の範囲にも配置される可能性がある。歯科補綴を保持するアバットメントに接続するように設計された歯冠端６に隣接して示した実施形態において、このゾーン２２で、芯体２は、複数の主方向を特徴する非円形断面を備えて設計され、これらの主方向で、断面の中心とその外側輪郭の間の距離に相当する半径は相対的な最大値になり、したがって隣接する方位より高い値になる。
【０２００】
この芯成形ゾーン２２の断面設計に起因して、芯体２が骨組織内にねじ込められるとき、骨組織に加わる圧縮力は、断面の局所半径が最大になるとき（インプラント本体の回転移動に起因）の最大圧縮と、断面の局所半径が最小になるときの最小圧縮の間の振動方法で変化する。したがって、インプラント本体がねじ込められるとき、このゾーンで、周囲の骨組織は、圧縮が低下するとき高圧縮の期間と緩和の期間の間で変化する、変動する圧縮下に置かれる。示す好ましい実施形態では、成形ゾーン２２は、インプラント１の頂端に配置される。したがってインプラント１の埋入の後、成形ゾーン２２は、比較的硬骨組織を特徴とする、患者の顎の頂ゾーンで停止する。埋入の後、極小値を特徴とするこの成形輪郭は、最小値の近くに低骨応力の領域をもたらし、それによって骨材料の強化された再生を可能にして、血管への過剰に強力な圧縮の悪影響を著しく最小化する。その結果、骨材料の再生、更には骨結合は、重要な骨構造の領域の成形ゾーン２２の極小値を提供することによって大幅に向上する。骨結合の目的のために、これらの効果を、頂プレートの少なくとも２．５ｍｍまたは好ましくは少なくとも３ｍｍの最上層に提供することは非常に有用であるとみなされる。したがって、第１の成形ゾーン２２は、インプラントの長手方向で見て、示された実施形態では、少なくとも２．５ｍｍの長さを有する。
【０２０１】
第３にインプラント１の芯体２は、インプラント１の長手方向で見て、芯円形ゾーン２０と芯成形ゾーン２２の間に位置する移行ゾーン２６を含む。ゾーン２０、２２の間の円滑かつ有用な移行を可能にするために、移行ゾーン２６は、芯円形ゾーン２０に近接した範囲の芯円形ゾーン２０の断面に適合する円形断面から、成形ゾーン２２に近接した範囲の成形ゾーン２２の断面に適合する非円形突出部のある断面に変化する（長手方向で見られる）一時的な断面を備える。この移行ゾーン２６に起因して、形状の即時かつ突然の変化、骨組織への剪断効果及び骨組織への他の損傷効果を回避し得る。
【０２０２】
本発明の代替的実施形態を図２に示す。この実施形態は、別途にまたは図１の実施形態と組み合わせて使用することができる。この代替的実施形態では、図１の実施形態と類似の歯科インプラント１’も、芯円形ゾーン２０及び芯成形ゾーン２２を含む芯体２を備えている。しかし、移行ゾーン２６の代わりにまたはそれに加えて、歯科インプラント１’は第２の芯成形ゾーン２６’を含む。第１の芯成形ゾーン２２のように、第２の芯成形ゾーン２６’で、芯体２の断面は複数の主方向を有し、これらの主方向で、断面の中心とその外側輪郭の間の距離に相当する半径は相対的な最大値になり、したがって隣接する方位より高い値になる。第２の芯成形ゾーン２６’は、インプラント１の長手方向で見て、ゾーン２０、２２の間に位置する。ゾーン２０、２２の間の所望の円滑かつ有用な移行を可能にするために、第１の芯成形ゾーン２２のこの実施形態では、芯体２の断面の最大半径対その最小半径の比率として定義した芯偏心パラメータは、第２の芯成形ゾーン２６’より大きい。更なるオプションとして、明らかにこの第２の成形ゾーン２６’はそれ自体が、異なる偏心を有する、この種類の個々の成形ゾーンの配列または数から構成されてもよい。
【０２０３】
図３は、図１、図２のインプラント１、１’の略図を示し、そこでゾーン２０、２２、２６、２６’は識別可能で同定された。示した例で、移行ゾーン２６は、長手方向で見て、インプラント１の歯根尖端４から約２〜３ｍｍの距離で始まる。
【０２０４】
芯体２のこの設計概念、すなわち３つのゾーン２０、２２及び２６または２６’をそれぞれ提供することは、本発明の概念のための実施形態の１つの第１の可能性がある群と考えられる。第１の群の実施形態とは別々にまたは組み合わせて使用することができる、本発明の概念のための実施形態の代替の別個の第２の群で、有用な切削特性及び骨処理のための類似または同等の効果は、芯体２について上述した設計に類似したねじ山１２の外側輪郭の設計によって達成することができる。図４で、インプラント１の実施形態は、組み合わせた本発明の実施形態のこれらの代替の群の両方を特徴とすることが示されるが、それらは同様にそれぞれ独立して使用してもよい。ねじ山１２の外側輪郭の設計のより良好な説明のために、以下で、それは「外側容積」、または図４による長手方向断面図で明確に表されるように、ねじ山１２の外側輪郭によって画定される包囲容積２８と称される。
【０２０５】
示す組み合わせた実施形態では、インプラント１のねじ山１２も同様に、第１または成形ねじ山ゾーン３０を含む。そこで、ねじ山１２を囲む外側容積２８は複数の主方向を有し、これらの主方向で、断面の中心とその外側輪郭の間の距離に相当する半径は相対的な最大値になり、したがって隣接する方位より高い値になる。更にこの実施形態では、ねじ山１２はねじ山円形ゾーン３２を含み、示す好ましい実施形態では、それもインプラント１の歯根尖端４に隣接して配置される。そこで、外面包囲容積２８の断面は基本的に円形であり、インプラントの長手方向で見て、前記第１の成形ゾーン３０と前記第２の円形ゾーン３２の間に配置したねじ山移行ゾーン３４である。そこで、ねじ山１２を包囲する前記外側容積２８の断面形状は、長手方向の座標に特有なパラメータの関数として、前記円形ゾーン３２に隣接する基本的に円形形状から、前記包囲容積２８の断面が、特に断面の一般的形状及び／またはその特有なパラメータの値に関して、前記第１または成形ゾーン３０の断面形状に対応する、形状へ変化する。
【０２０６】
本発明の実施形態のこの群の代替的実施形態を図５に示す。この実施形態は、別途にまたは図４の実施形態と組み合わせて使用することができる。この代替的実施形態では、図４の実施形態と類似の歯科インプラント１’も、ねじ山円形ゾーン３２及びねじ山成形ゾーン３０を含むねじ山１２の包囲容積２８を特徴とする。しかし、ねじ山移行ゾーン３４の代わりにまたはそれに加えて、歯科インプラント１’は第２のねじ山成形ゾーン３４’を含む。第１のねじ山成形ゾーン３０のように、第２のねじ山成形ゾーン３４’で、外側容積２８の断面は複数の主方向を有し、これらの主方向で、断面の中心とその外側輪郭の間の距離に相当する半径は相対的な最大値になり、したがって隣接する方位より高い値になる。第２のねじ山成形ゾーン３４’は、インプラント１の長手方向で見て、ゾーン３０、３２の間に位置する。ゾーン３０、３２の間の所望の円滑かつ有用な移行を可能にするために、第１のねじ山成形ゾーン３０のこの実施形態では、その最小半径に対する外側容積２８の断面の最大半径の比率として定義したねじ山偏心パラメータは、第２のねじ山成形ゾーン３４’より大きい。更なるオプションとして、明らかにこの第２の成形ゾーン３４’はそれ自体が、異なる偏心を有する、この種類の個々の成形ゾーンの配列または数から構成されてもよい。
【０２０７】
インプラント１、１’は、その移行ゾーン２６、２６’、３４、３４’に起因して、圧縮を変化させることにより（成形ゾーン２２、３０で）骨組織の成形及び直接処置への骨組織（芯円形ゾーン２０及び／またはねじ山円形ゾーン３２の）のねじ山１２の第１の嵌合の間に、円滑かつ有用な移行（工程のねじ込め中）のために特異的に設計される。これらのゾーン間の円滑な移行を更にもっと改善するために、移行ゾーン２６の芯体２は、１度と１２度の間の、好ましくは４度と８度の間の円錐／テーパ角を特に備えた円錐または先細形状である。
【０２０８】
芯体２の断面は、断面の最大半径対その最小半径の比率として定義した偏心パラメータによって特徴づけられることができる。円形形状で値１になる偏心パラメータは、円形形状からのそれぞれの断面の偏差によって特徴がある。円形断面を有する芯円形ゾーン２０と非円形断面を有する芯成形ゾーン２２の間に特に円滑な移行を提供するために、移行ゾーン２６のこの偏心パラメータは、長手方向のインプラント１の座標パラメータへの線形従属を有する。示す例で、その芯成形ゾーン２２の芯体２は、約１．１の偏心値を有する。同じ概念は、ねじ山１２の移行ゾーン３４、及びねじ山成形ゾーン３０の外側容積２８の偏心パラメータで使用することができる。
【０２０９】
以下で、インプラント１、１’の個々の要素及び部品ならびにその形状パラメータに関する種々の考慮事項は、インプラント１による実施形態の群を参照することによって考察する。明らかに、それらは同様に、インプラント１’による実施形態の群に、または実施形態例のこれらの群の組み合わせに適用されてもよい。
【０２１０】
インプラント１の長手方向の種々の芯ゾーン２０、２２、２６（またはそれぞれ２６’）及び種々のねじ山ゾーン３０、３２、３４（またはそれぞれ３４’）の位置及び境界は、異なっている実施形態で異なってもよく、そのうちの７つは図６〜図９の一般例として示される。これらの表示のそれぞれで、図６ａ、図７ａ、図８ａ、図９ａは、各インプラント１の斜視図を示し、図６ｂ、図７ｂ、図８ｂ、図９ｂは、各インプラント１の長手方向断面図を示す。図６ｃ〜図６ｅ、図７ｃ〜７ｅ、図８ｃ〜８ｅ及び図９ｃ〜９ｅは、芯体２の外側輪郭及び包囲容積２８の外側輪郭の断面を示す。
【０２１１】
図６の実施形態では、その断面の芯体２及び包囲容積２８は、頬側骨を増加させ、骨の正常化を補助するために、頂中央部分〜歯冠端６まで三方楕円である。
【０２１２】
それに対し図７の実施形態では、移行線４上方の頂ゾーン４２で、芯体２の断面は、三方楕円の包囲容積２８の外側輪郭を有する円形（図７ｃに示すように）である。骨の正常化効果及び増加した頬側骨のための外側三方楕円形状を維持すると共に、トルク及び初期安定性ならびに埋入中のインプラント強度を改善するために、これは行われる。
【０２１３】
図８で示す実施形態では、芯体２の断面は、インプラント１の全体の長さにわたって円形であり、包囲容積２８の外側輪郭だけは、歯根尖端の近くの円形から歯冠端６の近くの三方楕円形に変化する。
【０２１４】
図９は、インプラント１の中央の芯体２の断面（図９ｄ）が円形であるが、頂ゾーン４２で三方楕円形である、実施形態を示す。図９ｄに示すように、中央領域で、芯体２の円形断面を有する領域は、包囲容積２８の三方楕円断面の領域と重なり合う。
【０２１５】
例として図１０は、それぞれの形状のＣＮＣ機械加工のための可能性がある入力データと共に、インプラント１の実施形態を示す。図１０ａで、インプラント１は長手方向断面図に示されるが、図１０ｂは側面図のインプラント１を示す。図１０ｃは、インプラント１の実施形態のねじ山の外側容積２８の長手方向断面図であり、前記インプラントは最小半径の側に存在している。外側容積２８の輪郭は、図１０ｃに示される線の少なくとも１つに適合する工具の輪郭を備える、ＣＮＣ機械加工によって得られてもよい。原材をこの形状に機械加工した後、ねじ山１２はねじ山溝を彫刻することによって機械加工され、その深さは図１０ｄに示すように輪郭によって付与される。これにより、上述のとおり芯体２の最終形状をもたらす。
【０２１６】
インプラント１の設計の三方楕円形は、円形モードが図１０ｆに示される、ＣＮＣ機械加工によって得られてもよい。図１０ｆからわかるように、差分楕円形パラメータｅは、芯体２／外側容積２８の形状についての代替的定義であり、断面の最大半径とその最小限の半径の差により定義され、約４ｍｍの通常直径において、好ましくは約０．２３ｍｍとなるように選択される。
【０２１７】
図１０ｃは、前記軸ｙに沿ってゾーンを画定する軸ｙ（インプラント長手方向軸）に沿った複数の長手方向座標／位置Ｙ０１〜Ｙ０５も示す。Ｙ０１は、座標０ｍｍの位置である。図１０ｃで示す実施形態では、楕円形パラメータｅの値は、前記軸に沿った座標ｙに応じて変化する。例えば第１のゾーンＹ０１〜Ｙ０２で、楕円形パラメータｅは、０．１０と０．５０ｍｍの間、より好ましくは０．２０と０．２５ｍｍの間に含まれて／それから選択される定数値を有することができる。更に、前記ゾーンＹ１〜Ｙ２（外側ゾーン１または第１の外側ゾーン）は、一定の偏心を有するゾーンであり得る。前記ゾーンＹ１〜Ｙ２で、外側容積２８の最大直径ＯＤは定数であり得て、４ｍｍの値を有してもよい。ゾーンＹ２〜Ｙ３（外側ゾーン２または第２の外側ゾーン）内で、楕円形パラメータｅは、位置Ｙ２で０．２０と０．３０ｍｍの間に含まれて／それから選択される値、及び位置Ｙ０３の０ｍｍの値から変化する値を有してもよい。前記ゾーンＹ０２〜Ｙ０３で、外側容積２８の最大直径ＯＤは４と３．５４ｍｍの間で変化してもよい。楕円形パラメータの偏差及び／または上で定義した偏心距離の変化は、前記ゾーンＹ２〜Ｙ３で線形でもよい。最後に楕円形パラメータｅは、位置Ｙ０３とＹ０５の間に０ｍｍの値を有してもよい。非限定例として、外側容積２８は、３．５４と３．４０ｍｍの間を変化する直径を備えた、位置Ｙ０３とＹ０４（外側ゾーン３または第３の外側ゾーン）の間に円錐形を有することができる。外側容積２８は、３．４０と１．８０ｍｍの間を変化する直径を備えた、位置Ｙ０４とＹ０５（外側ゾーン４または第４の外側ゾーン）の間に円錐形も有することができる。
【０２１８】
明らかに各ゾーンの長さは、インプラントの全長に依存するが、１３ｍｍの全長を有するインプラントに関する非限定例として、Ｙ２はＹ１から２．３０ｍｍに位置でき、Ｙ３はＹ１から５ｍｍに位置でき、Ｙ４はＹ１から１１．７０ｍｍに位置でき、及びＹ５はＹ１から１３ｍｍに位置できる。
【０２１９】
図１０ｄは、図１０ａのインプラント１の芯体２の長手方向断面を示す。図１０ｄは、軸ｙに沿って位置する複数の長手方向座標／位置Ｙ６〜Ｙ０９も示す。前記位置は更に、前記軸ｙに沿ってゾーンを定める。Ｙ１は、座標０ｍｍの位置である。図１０ｄで示す実施形態では、楕円形パラメータｅの値は、前記軸に沿った座標ｙに応じて変化する。例えば、第１の領域Ｙ１〜Ｙ６で、楕円形パラメータｅは、０．１０と０．５０ｍｍの間に含まれて／それから選択される定数値を有することができる。前記第１のゾーンで、最大芯径ＯＤは、４と３．６０ｍｍの間で長手方向軸に沿って変化する。前記ゾーンＹ１〜Ｙ６（芯ゾーン１または第１の芯ゾーン）は、一定の偏心距離を有することができる。ゾーンＹ６〜Ｙ７（外側ゾーン２または第２の外側ゾーン）内で、楕円形パラメータｅは、位置Ｙ６で０．１０と０．５０ｍｍの間に含まれて／それから選択される値、及び位置Ｙ７の０ｍｍの値から変化する値を有してもよい。楕円形パラメータの偏差は、前記ゾーンＹ６〜Ｙ７で線形でもよい。前記ゾーンＹ６〜Ｙ７で、最大芯径ＯＤは３．３０と２．７０ｍｍの間で変化してもよい。最後に楕円形パラメータｅは、位置Ｙ０７とＹ０９の間に０ｍｍの値を有してもよい。非限定的な実施例として、芯体２は、２．７０と２．２ｍｍの間で変化する芯径を有する位置Ｙ０７とＹ０８の間に円錐形（芯ゾーン３または第３の芯ゾーン）、及び２．２と１．６ｍｍの間で変化する芯径を有する位置Ｙ０８とＹ０９の（芯ゾーン４または第４の芯ゾーン）間に円錐形を有してもよい。
【０２２０】
明らかに各ゾーンの長さは、インプラントの全長に依存するが、１３ｍｍの全長を有するインプラントに関する非限定例として、Ｙ６はＹ１から２．３０ｍｍに位置でき、Ｙ７はＹ１から５ｍｍに位置でき、Ｙ８はＹ１から１１．７０ｍｍに位置でき、及びＹ９はＹ１から１３ｍｍに位置できる。
【０２２１】
本発明の更に別の実施形態を図１１に示す。この実施形態は、別途にまたは図１及び／または図２の実施形態と組み合わせて使用することができる。図１１に示すこの代替的実施形態では、図１及び／または図２の実施形態と類似の歯科インプラント１’’も、芯円形ゾーン２０、芯成形ゾーン２２，円形ねじ山ゾーン３２及びねじ山成形ゾーン３０を含む芯体２を備えているが、この代替的実施形態はこれらのゾーンのうちの１つ以上なしで使用されてもよい。この代替的実施形態では、歯冠部分のねじ山１２は、ねじ山１２の外側幅または面で画定する追加の溝３８と重なり合う。この追加の溝は、インプラントへの骨付着を促進する。その溝深さによるこの溝３７は、その底部で底部レベルを画定する。代替的実施形態の設計のより良好な説明において、以下で、それは、ねじ山１２の溝３８の底部レベルによって画定される「底部容積」と呼ばれる。換言すれば、この「底部」容積（「溝芯容積」とも称される）は、すべての溝の最内側点、またはインプラント１’’の長手方向軸に最も近い溝のすべての点を通過する容積である。図１１に示す組み合わせた実施形態では、インプラント１のねじ山１２の溝３８も同様に、第１または成形溝ゾーン４０を含む。そこでねじ山１２の底部容積の断面は複数の主方向を有し、これらの主方向で、断面の中心とその外側輪郭の間の距離に相当する半径は相対的な最大値になり、したがって隣接する方位より高い値になる。
【０２２２】
図１０の類似で、例として図１２は、インプラント１’’においてそれぞれの形状のＣＮＣ機械加工のための可能性がある入力データを示す。特に図１２ａは、外側容積２８の右側面図を示す。図１２ｂは、外側容積２８の縦断面図である。図１２ｃは、外側容積２８の左側面図である。図１２ｄは、芯体２の右側面図である。図１２ｅは、芯体２の縦断面図である。図１２ｆは、芯体２の左側面図である。図１２ｇは、底部容積の右側面図である。図１２ｈは、底部容積の縦断面図である。図１２ｉは、底部容積の左側面図である。図１２ｊは、ＣＮＣ機械加工の円形モードである。図１２ｊからわかるように、差分楕円形パラメータは、芯体２／外側容積２８／底部容積の形状についての代替的定義であり、断面の最大半径とその最小半径の間の差異によって定義され、約４．２０ｍｍの通常最大直径において、好ましくは約０．１０と０．５０の間で選択され、より好ましくは約０．２３ｍｍであり得る。
【０２２３】
図１２の実施形態では、インプラントの長手方向軸ｙに沿った芯体２／外側容積２８／底部容積について楕円形パラメータｅ及びしたがって偏心パラメータの変化は、図１０に関して説明したものに類似し、言及は前記説明でなされている。図１０及び図１２の実施形態の主要な差異は、インプラントの長さ及び図１２の実施形態の溝の存在である。非限定例として、図１２のインプラントは、９ｍｍの全長を有してもよく、Ｙ０１から以下の座標、
−外側容積２８（図１２ｂを参照）について、２．３０ｍｍのＹ０２、４．５ｍｍのＹ０３、８．１０ｍｍのＹ０４及び９ｍｍのＹ０５；
−芯体について、２．３０ｍｍのＹ０７、５ｍｍのＹ０８、７ｍｍのＹ０９及び９ｍｍのＹ１０；
−「底部容積」または「溝芯容積」について、０．７５ｍｍのＹ１１、２．３０ｍｍのＹ１２、４．５０ｍｍのＹ１３及び７．９０ｍｍのＹ１４；を備えた位置を有してもよい。
【０２２４】
非限定例として、位置Ｙ０１とＹ０２の間に、インプラントは、４．２０ｍｍの最大外径ＯＤを有してもよい。位置Ｙ０２とＹ０３の間に、インプラントは、４．２０と３．８０ｍｍの間で変化する最大外径ＯＤを有してもよい。位置Ｙ０３とＹ０４の間に、インプラントは、３．８０と３．５７ｍｍの間で変化する外径を備えた円錐形を有してもよく、位置Ｙ０４とＹ０５との間で、インプラントは、３．５７と１．９０ｍｍの間で変化する外径を有してもよい。
【０２２５】
更に非限定例として、位置Ｙ０１とＹ０７の間に、インプラントは、４．２０と３．７８ｍｍの間で変化する最大芯径ＯＤを有してもよい。位置Ｙ０７とＹ０８の間に、インプラントは、３．７８と２．８４ｍｍの間で変化する最大芯径を有してもよい。位置Ｙ０８とＹ０９との間に、インプラントは、２．８４と２．３１ｍｍの間で変化する外径を有してもよく、位置Ｙ０９とＹ１０との間に、インプラントは、２．３１と１．６８ｍｍの間で変化する外径を有してもよい。
【０２２６】
更に「底部」容積または「溝芯容積」は、ｙ軸に沿って変化する差分楕円形パラメータｅを有してもよい。非限定例として、楕円形パラメータｅは、０．１０と０．５０ｍｍの間に含まれる／それから選択される定数値または変化値を有してもよい。一実施形態において、「底部」容積または「溝芯容積」は、以下のとおり変化するパラメータを有してもよい。
−Ｙ１からＹ１１（第１の底部容積ゾーン）で、差分楕円形パラメータｅは、０．１０と０．５０ｍｍの間に含まれる値（例えば定数）を有してもよく、偏心は一定でもよい。
−Ｙ１１からＹ１２（第２の底部容積ゾーン）で、ｅは、０．２０と０．３０ｍｍの間で選択される始動値から０ｍｍの最終値で変化してもよく、変化は線形でもよく、偏心も直線的に変化してもよい。
−Ｙ１２からＹ１３（第３の底部容積ゾーン）で、ｅは０ｍｍの値を有してもよく、「底部」容積または「溝芯容積」は軸ｙに向かって漸減する円錐形を有してもよい。
−Ｙ１３からＹ１４（第４の底部容積ゾーン）で、ｅは０ｍｍの値を有してもよく、「底部」容積または「溝芯容積」は円錐形を有してもよい。
【０２２７】
差分楕円形パラメータｅ（及びしたがって偏心値）は、芯体２、外側容積２８及び／または底部容積のそれぞれ１つについて、所与の断面で異なり得るという点に留意する必要がある。楕円形パラメータｅは、０．１０と０．５０ｍｍの間に含まれる／それから選択される値を有することができる。いくつかの実施形態では、楕円形パラメータｅは、０．１５、０．２０、０．２３または０．３０ｍｍの値を有することができる。
【０２２８】
本発明によるインプラントはしたがって、
−最大、例えば一定の偏心を有するインプラントの長手方向軸ｙに沿って延在する少なくとも１つの歯冠ゾーン（第１の成形ゾーンとも呼ばれる）または部分を有する、包囲容積２１及び／または芯体２及び／または溝芯容積を含むことができる。前記最大偏心は１．０５と１．２の間に含まれることができ、例えばインプラントの全長の０と８０％の間に延在することができる。いくつかの実施形態では、歯冠ゾーンは、インプラントの全長の約３０％、４５％、６０％または７０％に延在し、
−少なくとも１つの移行ゾーンまたは部分は前記最大偏心と最小偏心の間で変化する偏心を有するインプラントの長手方向軸ｙに沿って延在し、前記変化は線形であることができ、
−少なくとも１つの歯根尖ゾーン（円形ゾーンとも呼ばれる）または部分は、前記最大一定偏心を有するインプラントの長手方向軸ｙに沿って延在する。
【０２２９】
本発明によるインプラントはしたがって、
−最大、例えば一定の偏心を有するインプラントの長手方向軸ｙに沿って延在する少なくとも１つの歯冠ゾーン（第１の成形ゾーンとも呼ばれる）または部分を有する、包囲容積２１及び／または芯体２及び／または溝芯容積を含むことができる。前記最大偏心は、１．０５と１．２の間に含まれることができる。歯冠ゾーンは、インプラントの全長の少なくとも１０％、少なくとも１５％、少なくとも２０％、または少なくとも２５％に延在することができ、
−少なくとも１つの移行ゾーンまたは部分は前記最大偏心と最小偏心の間で変化する偏心を有するインプラントの長手方向軸ｙに沿って延在し、前記変化は線形であることができ、移行ゾーンは、インプラントの全長の少なくとも１０％、少なくとも１５％、少なくとも２０％、または少なくとも２５％に延在することができ、
−少なくとも１つの歯根尖ゾーン（円形ゾーンとも呼ばれる）または部分は、前記最大一定偏心を有するインプラントの長手方向軸ｙに沿って延在する。歯根尖ゾーンは、インプラントの全長の少なくとも３０％、少なくとも３５％、少なくとも４０％、少なくとも４５％または少なくとも５０％に延在することができる。
【０２３０】
下記の表は、インプラントの全長に応じて、インプラントの各ゾーンの長さの異なる非限定的な可能性がある値を示す。
2019503236.tif 000003
【０２３１】
図３５は、特定の実施形態のインプラントの長手方向軸に沿った位置による、芯体２の及び／またはねじ山包囲領石２８の及び／または溝成形ゾーン４０の偏心の異なる値（変化または展開）を示すグラフである。図３５でわかるように、芯体２の及び／またはねじ山包囲領石２８の及び／または溝成形ゾーン４０の歯根尖ゾーンは、位置Ａと位置Ｂの間に１に等しい一定の最小偏心を有することができる。芯体２及び／またはねじ山包囲領石２８及び／または溝成形ゾーン４０は、位置Ｂで開始する移行ゾーンも有することができ、偏心は、位置Ｃでの最大偏心値まで、前記一定の最小偏心から変化する。位置Ｃの後、芯体２及び／またはねじ山包囲領石２８及び／または溝成形ゾーン４０は、歯冠ゾーンを有することができ、そこで偏心は一定の最大値を有する。前述したように、前記一定の最大偏心は１．０５と１．２の間に含まれることができる。
【０２３２】
いくつかの実施形態において、特に芯体２及び／またはねじ山包囲容積２８について、位置Ａは、インプラントの歯根尖端及びインプラントの歯冠端を表すことができ、位置Ｄはインプラントの歯冠端を表すことができる。位置Ａ，Ｂ，Ｃ及びＤは、芯体２の、ねじ山包囲容積２８の、または溝成形ゾーン４０の同じ座標を必ずしも有しない。芯体２の、ねじ山包囲容積２８の、または溝成形ゾーン４０の最歯根尖位置であるとして、位置Ａは理解されるべきである。図３５でわかるように、偏心曲線の形状は鋭角部を有さず、それはすべての位置で１つのみの接線を有する実線である。
【０２３３】
上述のように芯体２及び／またはねじ山１２の幾何学的設計に加えて、その詳細も独立発明と考えられている好ましい代替的実施形態では、更なる手段は、高一次固定での骨組織との確実な嵌合を支援するために提供されてよい。この目的のため、図１３〜図１８に示す実施形態では、切削溝４６はインプラント１、１’、１’’のねじ状部分に提供される。図１３〜図１８はそれぞれ、各インプラントの斜視図を示し、種々の芯／ねじ山ゾーン２０、２２、２６、３０、３２、３４はハッチング線で変化を示す。これらの実施形態において、選択部分で、またはすべての芯体２及びねじ山１２で、複数の切削溝４６、好ましくは芯体２及び／またはねじ山１２の主方向の数に等しい切削溝４６は、インプラント１の移行ゾーン２６に及び／または他のゾーン２０、２２に提供されてもよい。これらの切削溝４６はそれぞれ、インプラント１にねじ込まれる際、骨材料を除去する切削端４８（図１９を参照）を特徴とし、それによって、ねじ込まれる間、インプラント１の強化した切削能力を可能にする。明らかに溝３８は図１３〜図１８の実施形態で示されていないが、別の代替的実施形態では、示されるこれらのいずれかは溝３８を備えていてもよい。配置及び／または設計に関して、切削溝４６は、独立の発明と考えられている、ならびに図に示すように、上述したようにインプラント１及び／またはインプラント１’及び／またはインプラント１’’の特徴と共に、または従来のインプラントもしくはねじシステムで使用されてもよい、特定の特徴を有する。
【０２３４】
図１３〜図１５は、切削溝の位置及び／または長さが、好ましくは個々のインプラント設計の特定の要求に従って変化する、図１のインプラント１の実施形態を示す。これらの実施形態は、長手方向に、移行ゾーン２８、３４の一部及び成形ゾーン２２、３０の一部に沿って延在する、切削溝４６の数により変化を形成する。
【０２３５】
図１３に示す実施形態では、芯体２及び外側ねじ山は、芯円形ゾーン２０及びねじ状円形ゾーン３２の両方が配置される、すなわち歯根尖端４に隣接する外側輪郭に適合するように構成される。これらに隣接して、芯移行ゾーン２６及びねじ山移行ゾーン３４の両方は、重なり合うやり方で配置される。歯冠端６に隣接して、芯成形ゾーン２２０はねじ山成形絵ゾーン３０と共に配置され、両方ともこの実施形態で三方楕円断面を有する。
【０２３６】
それに対し図１４は、異なるタイプ及び断面のゾーンが部分的に重なり合う実施形態を示す。特に歯根尖端４に隣接して、芯円形ゾーン２０及びねじ山円形ゾーン３２の両方は配置され、それぞれは歯根尖端４から開始する。芯２において、ハッチング線の変化で示されるように−長手方向で見て、ねじ山１２がまだその円形ゾーン３２内にある一方で、芯円形ゾーン２０から芯移行ゾーン２６への移行は４３に配置される。交差位置４３ａで、コア移行ゾーン２６は終わり、コア成形ゾーン２２は開始し、コア成形ゾーン２２内の位置で、ねじ山円形ゾーン３２はねじ山移行ゾーン３４内を横切る。歯冠端１０に更に向かう位置で、交差位置４３ｂで、芯成形ゾーン２２は再び終わり、別の移行ゾーン２６に移行する。同じ交差位置４３ｂで、ねじ山移行ゾーン３４はねじ山成形ゾーン３０内に移行する。したがって、この本実施形態では、芯及びねじ山の種々のゾーンは、種々の組み合わせで部分的に互いに重なり合う。
【０２３７】
芯体２及び外側ねじ山１２が、芯円形ゾーン２０及びねじ状円形ゾーン３２の両方が配置される、すなわち歯根尖端４に隣接する外側輪郭に適合するように構成される実施形態を、図１５は再度示す。これらに隣接して、芯移行ゾーン２６及びねじ山移行ゾーン３４の両方は、重なり合うやり方で配置される。歯冠端１０に隣接して、芯成形ゾーン２２はねじ山成形絵ゾーン３０と共に配置され、両方ともこの実施形態で三方楕円断面を有する。
【０２３８】
図１６〜図１８による例に示すように、切削溝４６は、インプラント１の長手方向軸と基本的に平行（図１６の例）、インプラント１の長手方向軸に対して傾斜（図１７のように）、または図１８に示すように芯体２の外面８に湾曲して巻きつくなどの種々の配向を有してもよい。
【０２３９】
別の好ましい実施形態は、インプラント１’’の基本的なインプラント設計に基づいて図１９に示される。図１９は、インプラント１’’の頂または歯冠部分の側面図を示す。明らかに、切削溝４６の数及び配置に関して、示される概念は同様に、任意の他の好ましいインプラント概念ために、または従来のインプラント／ねじ設計のために使用されてもよい。更にそれ自体が独立の発明とみなされている図１９で示す実施形態において、切削溝４６はインプラント１’’のねじ状領域に配置される。「ｚ方向」の、すなわちインプラント１’’の長手方向のその配置に関して、それらは、その隣接する切削溝４６に対する移動により配置され、その結果、その位置で、切削溝４６はねじ山１２の傾斜度に従う。この設計によって、それは、インプラント１’’を骨組織内へねじ込める際、個々のねじ山１２を骨組織に嵌合することが、連続の切削端４６による同じ骨ゾーンへの切削効果を提供することを確実にすることができる。
【０２４０】
図２０は、長手方向に、移行ゾーン２８、３４の一部及び成形ゾーン２２、３０の一部に沿って延在する、切削溝４６の数による変化における、図１のインプラント１を示す。図２１は、図２０に示す位置の図２０のインプラント１の断面を示す（概略的に）。図２１でわかるように、芯体２及びその外面８の断面は三方楕円形を有する。換言すれば、その芯成形ゾーン２２で、芯体２の断面（及びねじ山１２の包囲容積２８の断面）は、複数の（すなわち３つの）主方向を有する。これらの主方向で、断面の中心５０とその外側輪郭の間の距離に相当する半径は相対的な最大値（「最大半径」）になり、したがって隣接する方位より高い値になる。図２１の図中で、これらの主方向の１つは、線５２によって表される垂直上向き方向に並行に配向される。この主方向の芯体２の外側輪郭の半径の極大値は、位置５４にある。中心５０に関して主方向の対称な配置に起因する、他の２つの主方向は、線５２に対して１２０度の角度にある。
【０２４１】
この例の切削溝４６も中心５０周囲に対称に配置され、すなわち２つの隣接する切削溝の間の角度も同様に１２０度である。回転配向の切削溝４６は、半径の極大値がねじ込み工程中に超えた後、骨組織の弛緩効果を考慮して、骨材料の切削効率を最大化するために適切に配置される。この目的のため、各切削溝４６は、中心５０または芯体２の長手方向中心軸の周囲の配向方向で見て、隣接した主方向に対して所与の回転ずれで配置される。図２１で、芯体２を上面（そこで埋入の際、芯体は右手方向（または時計回り）に回される）から示し、回転ずれは、線５２によって表される主要な最大値と、切削溝４６のそれぞれの切削端４８の方を向いた点線５６によって表される次の続く切削端４６の間の角度αによって表される。
【０２４２】
示す実施形態では、この角αは、それ自体が独立した発明とみなされる選択基準に従って選択される。この選択基準によれば、点線５６と外面８の交差点、すなわち中心５０から切削端４８の放射状延長部の外側限界によって画定される切削端の半径が、最大半径未満の２０と７５μｍの間になるように、切削縁４８は配置されなければならない。この基準は、圧縮後このおおよその量によって、その密度が元に戻るまたは弛緩することによる、骨の特異的弾性を考慮する。示す実施形態では、切削端の半径は最大半径より小さい約３５μｍになるように選択され、そこで芯体の残りの形状パラメータに従って、約１０６度の好ましい角αに転換される。
【０２４３】
この好ましいオフセット角は更に、骨材料の弾性を確実に考慮するために、最大半径の値によって変化してもよい。芯体２及び／または外側容積２８の好ましい先細形状設計のため、この最大半径は、インプラント１の長手方向の座標の関数として変化してもよく、それによって更に、長手方向のこの座標に依存する好ましいオフセット角を提供する。結果として、得られた切削溝４６は、インプラント１の芯体２の周囲に螺旋状でもよい。
【０２４４】
原則として、ねじ山１２は、任意の便利なねじ山輪郭、特に平坦なねじ山であってよい。ねじ山１２の自由幅５８は、インプラント１の長手方向の各位置に依存して、歯根尖端４からの距離の増加と共に連続的に増加している。この設計で、歯根尖端４に近接した領域のねじ山１２は、比較的鋭角で小さな外側幅を特徴とすることができ、それによって、ねじ山１２が骨組織に入るとき、高切削能力を提供する。骨組織の特定の位置にインプラント１がねじ込められる（すなわちより遠くの骨組織に入るインプラント）工程で、ねじ山１２の幅５８は連続的に増加し、それによって、骨組織のそれぞれの局所間隙を連続的に広げて、骨組織とインプラントの間の接触領域を常に強化する。
【０２４５】
図に示す発明の実施形態では、芯体２及び／またはねじ山１２の非円形断面と有用に相互作用するために、ねじ山１２は、特定の輪郭を有するように設計される。それ自体も独創的とみなされている、特に独立の発明とみなされている、この変形で、図２２及び図２３の拡大した表示でわかるように、ねじ山１２は、歯根尖面６０及び歯冠面６２を備える輪郭を好ましくは有する。そこで歯根尖面６０は、インプラント１の長手方向軸６４に基本的に直交するように配置され、すなわち、歯根尖面６０の面法線はインプラント１の長手方向軸６４と基本的に平行に配向される。更に歯冠面６２は、長手方向軸６４に対して約６０度の角度で配向され、すなわち歯冠面６２の面法線は、インプラント１の長手方向軸６４に対して約３０度の角度で配向される。この角度は、線６６によって表される。換言すれば、ねじ山１２は全体で、いわゆるバットレスねじ山を形成する。
【０２４６】
それ自体が独立の発明とみなされている歯根尖面６０の配向の特定の選択に起因する、非円形、例えば三方楕円形形状の潜在的効果は補正されてもよい。この効果は、ねじ山１２が挿入されて、接触している骨の振動である。これは、インプラント１が埋め込まれるとき、ねじ山１２が間隔をおいて骨と接触しているだけであることを意味する。
【０２４７】
ねじ山１２の歯根尖側を長手方向軸に対して９０度にすることによって、歯根尖面は、埋入の後、ねじ山の完全長にわたって改善した接触になる。これは、図２４に従って拡大した部分に示される。長手方向断面の図２４は、骨材料７０に埋入された後のインプラント１の一部を示す。
【０２４８】
更にそれ自体が独立の発明とみなさる、好ましい実施形態では、その歯根尖面６０でのねじ山１２の深さは、埋入の後の強化した高一次固定に関して選択される。この目的のため、この好ましい実施形態は、埋入の後の、芯及び／またはねじ山成形ゾーン２２、３０で及び／または芯及び／またはねじ山移行ゾーン２６、３４で、咀嚼力を吸収するために、理想的には、ねじ山の歯根尖面６０は、最大限に可能な範囲まで骨材料７０と物理的に接触しなければならないことを考慮に入れる。この点において、成形／移行ゾーンの最小半径のゾーンは、直前の最大値が通過した、埋入後の最終位置を推定し、それによって骨組織が押し出される空洞７２を作製する。それにもかかわらず、ねじ山の歯根尖面６０が骨材料７０の一部に載ることができる、骨材料に確実なプラットホーム７４を提供するために、その舌尖表面６０のねじ山１２の深さは、包囲容積２８の外側輪郭の最大半径と最小半径の差異より大きくなるように、好ましくは少なくとも２倍になるように選択される。
【０２４９】
更にそれ自体が独立の発明とみなされている、更に別の好ましい実施形態では、インプラント１（同様にインプラント１’、１’’）は、インプラント１と関連するアバットメントを互いに機械的に接続するための最新の接続システム８０を備えている。以下に、最新の接続システム８０についての種々の実施形態が、インプラント１を基準にして記載される。明らかに、すべての実施形態は、例えば上述のようにインプラント１’’、１’’’による他の任意のインプラント型のために、同様に有利に使用されてもよい。
【０２５０】
接続システム８０は、インプラント１は、アバットメントの対応する接続ピンが嵌入されることができる受容チャネル１０を特徴とする。図２５ａ及び図２５ｂで、図４の矢印８２が表す方向からのインプラント１の上面を示す。図２５でわかるように、インプラント１の非円形ゾーン２２、３０の断面または外側輪郭は三方楕円形であり、それによって、移行ゾーン２６、３４及び成形ゾーン２２、３０にそれぞれ３つの主方向を提供する。断面の各半径が極大値を有する、これらの主方向は、芯体２の長手方向中心軸に対して対称に配置される。図２５の表示からも明らかなように、ねじ山１２の外側輪郭で定義されるインプラント１の外側プロファイルは、芯体２の外側輪郭に適合する、またはそれに「従う」。したがって、芯体２の半径が極大値を有するその配向で、ねじ山１２の外側輪郭は同様に極大値をとる。更に、移行ゾーン２６の芯体２の円錐形または先細形状に起因して、成形ゾーン２２の芯体２の最小半径は、円形ゾーン２０のねじ山１２の外側輪郭の半径より大きい。
【０２５１】
更に受容チャネル１０は、インプラント１のねじ山１２の外側輪郭及び芯体２の外側輪郭の両方に適合する、またはそれに「従う」、外部プロファイルまたは外部輪郭も有する。したがって、芯体２の半径及びねじ山１２の外側輪郭が極大値を有するその配向で、受容チャネル１０の輪郭は同様に極小値をとり、すなわち、それも三方楕円形である。更に受容チャネル１０も先細りになり、その断面は底端８４に接近すると狭くなる。この形状に起因して、アバットメントのその関連する接続ピンと共に受容チャネル１０は、埋入されるとき、アバットメントの正しい回旋性を保証する、いわゆる割出し構造を提供する。図２５ならびに図２６及び図２７によるインプラント１の長手方向断面図でもわかるように、アバットメントの適切なアセンブリにおいて、その下方または底端８４の受容チャネル１０は、割出し輪郭８６を備える。図２６、図２７示す好ましい実施形態のこの「第２の割出し」はトルクス（登録商標）様断面を有し、適切なツールを埋入することによって、インプラントの埋入に必要なトルクを伝導するために使用してもよい。割出し輪郭８６に起因して、このトルクを、実際の受容チャネル１０の割出し輪郭に影響を及ぼさずに加えることができる。
【０２５２】
図２８に示すように、第２の割出しを備えたインプラント１’’’の代替的実施形態では、第２の割出し輪郭は、その非円形断面を備えた受容チャネル１０により提供されるように、第１の割出し輪郭と一体化してもよい。図示した実施形態に従うこれは、受容チャネル１０の先細状側壁に切り込まれる、多くの細孔８８によって達成される。インプラント１’’’を骨材料内に埋入するのに必要なトルクを加えるために、ねじ回し方式に対応するツールは細孔８８に嵌合するのに適用してもよく、それによって、受容チャネル１０の内側表面に負荷がなく、したがって埋入の間、損傷を受けることができないことを確認する。示した実施形態で受容チャネル１０の三方楕円形断面に関して、細孔８８は横断面に「適合して」配置されることができる、すなわち、それは半径の極大値を特徴とする主方向に配置されてもよい、またはそれは主方向に対して一定のオフセットに配置されてもよい。
【０２５３】
図２６〜図２８で示すように、すべての好ましい実施形態では、インプラント１、１’、１’’、１’’’は更に高度に有用な機能を備えており、更にそれ自体がまたは上述の機能の任意の数と組み合わせて、独立の発明とみなさる。この特徴によれば、その内側接続システム８０の一部としてのインプラント１、１’、１’’、１’’’は、関連する第２のインプラント部品（例えばアバットメント）の接続ピンなどをインプラント１、１’、１’’の受容チャネルに適切かつ完全に嵌入した後、ユーザーにフィードバックを伝えるフィードバック構造９０を含む。このフィードバックを提供するために、フィードバックシステム９０は、その底端８４で示した実施形態で受容チャネル１０を円形に包囲する、受容チャネルの内側表面に配置された細孔または溝９２を含む。この円形溝９２は、欧州特許出願第１６１５１２３１．４号に記載のものなどの歯科嵌合の１つ以上の対応する突起部（複数可）、及び／または同じ出願人による欧州特許出願第１５１７８１８０．４号に記載のものなどの保持要素の突起部と相互作用できる、またはそれを受容することができ、両方の出願は参照により本明細書に組み込まれる。接続ピンが受容チャネル１０に完全かつ十分に埋入されるとすぐに、これらの突起部は可聴な「カチリ」という音で溝９２内にはまり、それによって、ユーザーは接続ピンの受容チャネル１０への適切な埋入が完了したことを確認する。
【０２５４】
図２９、図３０及び図３１（側面図）で示すようにインプラント１’’’’の更に別の代替的実施形態では、歯冠端６は特定の成形された設計を有する。更にそれ自体がまたは上述の機能の任意の数と組み合わせて、独立の発明とみなさるこの特徴は、埋入の際、  改善した全体的システム強度と共にインプラント１’’’’の改善した位置の配向を提供する。このことは、インプラント１’’’’の頂／上または歯冠面１００の幅、すなわちインプラント１’’’’の壁幅が、図２９及び図３０に示すように、逆勾配ならびに頂部分及び谷部分の結果として、谷部分で大きな幅及び山部分で小さな幅に変化するという事実によって実現される。
【０２５５】
具体的には、インプラント１’’’’の歯冠面１００は、歯冠面１００の最高点及び最低点を備える波状、波形または正弦曲線輪郭を有する。すなわち、インプラント１’’’’の長手方向の最大高さ及び最小高さは、インプラント１’’’’の歯冠端６の円周に沿って交互に配置される。歯冠面１００の最高点で、好ましくはこれらの最高点の近くで、インプラント１’’’’の歯冠端６は先細形状または構成、すなわち逆勾配形状または構成を有する。その結果、インプラント１’’’’の長手方向に垂直な歯冠端６の断面の横方向寸法または延伸は、インプラント１’’’’の歯根尖端４からインプラント１’’’’の歯冠端６に向かう方向に沿って減少する（図２９及び図３０を参照）。
【０２５６】
インプラント１’’’’のこの波状、波形または正弦曲線輪郭、及び逆勾配形状または構成に起因して、インプラント１’’’’の壁幅、すなわち歯冠端６でのインプラント１’’’’の壁の幅も変化する。具体的には、壁幅は、歯冠面１００の最低点でより大きく、歯冠面１００の最高点でより小さい。
【０２５７】
それ自体がまたは上述の機能の任意の数と組み合わせて、歯冠面１００の上述の特徴は独立の発明と考えられる。これらの特徴は、インプラントの配向の特に確実かつ単純な識別を可能にする。図２９に示す実施形態では、その芯成形ゾーン２２の及び更にねじ山成形ゾーン３０−輪郭に適合する好ましい設計に起因して−のインプラント１’’’’は、三方楕円断面を有する、すなわち各断面が、半径が極大値である３つの主方向を特徴とする。この断面形状との同期化において、これらの主方向に適合する位置で、インプラント１’’’’の長手方向軸に平行方向に示されるように、歯冠端６は更に極大値を有する。換言すれば、インプラント１’’’’の歯冠面１００は平らな表面でなくて、むしろ上述されるように、成形ゾーン２２、３０で定義される主方向に配置されるその最高点を有する、波形、正弦曲線構造を有する。
【０２５８】
インプラント１’’’’’の更に別の好ましい実施形態では、先端または歯根尖端４は、特にこのセクションの外側ねじ山１２に対して、骨材料内への埋入を容易にするために特に設計されてもよい。この目的のため、少なくともねじ山１２の歯根尖部は、図３２でわかるように鋸歯状である。この実施形態では、少なくとも切削端を有する複数の溝１０２は、ねじ山１２の歯根尖及び／または歯冠面で定義されることができる。
【０２５９】
ねじ山１２の歯根尖半分で少なくとも定義される（または、粉砕したもしくは切削した）ことができる、少なくとも１つの中断した歯根尖切削溝１０４を有する、本発明によるインプラントの実施形態を図３３は示す。図３３でわかるように、前記切削溝はインプラントの芯内に延在しない。この実施形態によるインプラントは、このような切削溝のうちの２つ以上を有することもできる。またこの実施形態では、ねじ山は鋸歯状のねじ山と考えることができる。
【０２６０】
前記鋸歯状のねじ山は、患者の抜歯窩で使用されるとき、孔へのインプラントの埋入を助ける。窩壁の角度がインプラントの軸に対して垂直ではないので、壁の片面は最初にインプラントに接触し、インプラントの位置決めに影響する。この効果を低減するのを助けるために、鋸歯状のねじ山は、インプラント側面の骨を切削する。
【０２６１】
更にそれ自体がまたは上述の機能の任意の数と組み合わせたこれらの特徴は、独立の発明とみなさる。
【０２６２】
上述の実施形態のいずれかの、またはこれらの任意の組み合わせのインプラント１、１’、１’’、１’’’、１’’’’、１’’’’’は、その全体の全長において好ましくは、患者の個別治療によって与えられる特定の要件に従って設計される。上の図で示した実施形態では、それぞれのインプラントの全長の通常の「標準」値は約１３ｍｍであり得る。他の実施形態では、インプラントは、例えば約７ｍｍの全長を有する「短いバージョン」で設計されてもよい。この実施形態の一例を図３４に示す。
【０２６３】
図３６は、本発明の第１の実施形態による埋入ツール２００を示す。
【０２６４】
埋入ツール２００は、患者の骨組織内に歯科インプラントを埋入するための埋入ツールである。埋入ツール２００は、図３６（ａ）に示すように近位部分２０２及び遠位部分２０４を含む。遠位部分２０４は、インプラントを骨組織内にねじ込めるために、インプラントと協調するように構成される。
【０２６５】
遠位部分２０４は保持要素２０６を有する。保持要素２０６は、埋入ツール２００を歯科インプラントに取り付けるための取付部分２０８を含む。保持要素２０６は、埋入ツール２００の長手方向に対して垂直な全方向に、すなわち保持要素２０６のすべての横断方向に沿って、少なくとも弾性変形可能である。取付部分２０８は、埋入ツール２００の長手方向に対して実質的に垂直な複数の方向に、すなわち保持要素２０６の複数の横断方向に沿って、延在する１つの突起部２１０（図３６（ｂ）を参照）を含む。
【０２６６】
保持要素２０６は、埋入ツール２００の２つの部分のうちの１つ、すなわち近位部と一体化して形成される（図３７（ａ）及び（ｂ）を参照）。具体的には、保持要素２０６は、保持要素２０６と保持要素２０６の長手方向の近位部の間に配置される、２つの連結部２１２により埋入ツール２００の近位部と一体化して形成される（図３６（ｃ）及び図３７（ａ）を参照）。連結部２１２のそれぞれは、例えば図３７（ａ）及び（ｂ）に概略的に示されるように、保持要素２０６の円周方向に保持要素２０６の一部のみに沿って延在する。連結部２１２は、保持要素２０６の半径方向で互いに対して実質的に反対側に配置される。
【０２６７】
保持要素２０６は、保持要素２０６の長手方向に対して実質的に円形断面を有する、実質的に円筒状形状を有する（図３７（ａ）を参照）。保持要素２０６は、中空の管状体として形成される。保持要素２０６は、閉環形または閉円環形（すなわち、その円周に開口部のない環形状）を有する。そのすべての横断方向に沿って保持要素２０６の弾性変形性は、保持要素２０６の材料及び壁厚を適切に選択することによって提供される。
【０２６８】
保持要素２０６は、例えば、金属（例えばチタン、チタン合金またはステンレス鋼）、ポリマーまたは複合材料から作製されてもよい。保持要素２０６は、埋入ツール２００を歯科インプラントに取り付けるとき、その横断方向に弾性的に圧縮されることができる（図３７（ｄ）及び図３９を参照）。
【０２６９】
取付部分２０８の突起部２１０は、図３７（ｄ）及び図３９に関連して以下で詳細に述べるように、埋入ツール２００がスナップ嵌めによって歯科インプラントに取り付けられるのを可能にする。
【０２７０】
図３７（ａ）に示すように、取付部分２０８の突起部２１０は、２つの連結部２１２の間に提供される。このように、取付部分２０８と歯科インプラントの特に確実かつ効果的なスナップ嵌めは、確実にされることができる。
【０２７１】
埋入ツール２００の遠位部分２０４は駆動領域２１４を有する（図３６〜図３８を参照）。駆動領域２１４で、埋入ツール２００の長手方向に垂直な遠位部分２０４の断面は複数の主方向を有し、これらの主方向で、断面の中心とその外側輪郭の間の距離に相当する半径は相対的な最大値になり、したがって隣接する方位より高い値になる（図３８（ｄ）を参照）。
【０２７２】
埋入ツール２００の遠位部分２０４の駆動領域２１４は、インプラントと協調する。駆動領域２１４は抗回転構造を構成する。駆動領域２１４は、ツール２００とインプラントが、例えば部分的にツール２００の遠位部分２０４をインプラント窩内に導入することによって、互いに嵌合するとき、ツール２００の長手方向軸周囲で埋入ツール２００とインプラントの間の相対回転を回避するように構成される。
【０２７３】
駆動領域２１４は、以下に更に詳述されるように、インプラントの対応する抗回転構造、すなわち駆動部分と協働するように構成される（図３７（ｄ）及び図３９を参照）。
【０２７４】
断面の各半径が極大値を有する、埋入ツール２００の駆動領域２１４の主方向は、埋入ツール２００の長手方向中心軸に対して軸方向に対称に配置される（図３８（ｄ）を参照）。駆動領域２１４の主方向の数は３つであり、すなわち駆動領域２１４は、図３８（ｄ）に示すように三方楕円断面を有する。埋入ツール２００の長手方向に対する主方向の対称な配置と組み合わせて、この三方楕円形は、１２０度の２つの隣接した主方向の間の回転オフセット角をもたらす。
【０２７５】
駆動領域２１４は先細形状を有し、その結果、駆動領域２１４で、埋入ツール２００の長手方向に垂直な遠位部分２０４の断面の横方向寸法または延伸は、埋入ツール２００の近位端から埋入ツール２００の遠位端に向かう方向に沿って減少する（図３６、図３７及び図３８を参照）。
【０２７６】
駆動領域２１４は、保持要素２０６の近位に配置される。
【０２７７】
駆動領域２１４の断面形状は、その長手方向軸周囲で埋入ツール２００に適用される回転力のインプラントへの効率的、確実及び均一な移行を可能にする。
【０２７８】
図３８（ｅ）に示す埋入ツール２００の第１実施形態の変更で、ツール２００には駆動領域がない。むしろ図３８（ｅ）で示すように、図３８（ｃ）の線Ａ−Ａに沿った断面は円形形状を有する。
【０２７９】
埋入ツール２００の遠位部分２０４は更に駆動セクション２１６を有する駆動セクション２１６で、埋入ツール２００の長手方向に垂直な遠位部分２０４の断面は、断面の円周に沿って交互に配置される、複数の放射状凸部２１８及び複数の放射状凹部２２０を有する（図３８（ｆ）を参照）。放射状凸部２１８の放射状の最外側点２２２、２２４のそれぞれは、図３８（ｆ）に示すように、断面の中央周辺の対応する円にある。
【０２８０】
駆動セクション２１６の埋入ツール２００の遠位部分２０４の断面は、同数の、すなわちそれぞれ６つの放射状凸部２１８と放射状凹部２２０を有する。
【０２８１】
放射状凸部２１８は、第１の放射状凸部及び第２の放射状凸部を含む。そこで、第１の放射状凸部の放射状の最外側点２２２のすべては、断面の中央周辺の単一の第１の円にあり、及び第２の放射状凸部の放射状の最外側点２２４のすべては、断面の中央周辺の単一の第２の円にある。第２の円は、第１の円より小さい半径を有する（図３８（ｆ）を参照）。第１の放射状凸部及び第２の放射状凸部は、それらの間に配置された対応する放射状凹部２２０と共に、断面の円周に沿って交互に配置される。第１の放射状凸部の数は、第２の放射状凸部の数と同じである。
【０２８２】
駆動セクション２１６の断面の放射状凸部２１８及び／または放射状凹部２２０はそれぞれ、曲線形状、例えば少なくとも部分的に円形形状、少なくとも部分的に楕円形状、少なくとも部分的に卵形状などを有する。放射状凸部２１８及び放射状凹部２２０は、互いに直接隣接して配置される。
【０２８３】
放射状凹部２２０の放射状の最内側点２２６は、断面の中央周辺の単一の円２２８にある。したがって放射状凹部２２０のすべての放射状の最内側点２２６は、断面の中央周辺の同じ円２２８にある。
【０２８４】
駆動セクション２１６は、０．５〜１．２ｍｍの範囲で埋入ツールの長手方向に長さを有してもよい。
【０２８５】
埋入ツール２００の遠位部分２０４の駆動セクション２１６は、インプラントと協調する。駆動セクション２１６は抗回転構造を構成する。駆動セクション２１６は、ツール２００とインプラントが、例えば少なくとも部分的にツール２００の遠位部分２０４をインプラント窩内に導入することによって、互いに嵌合するとき、ツール２００の長手方向軸周囲で埋入ツール２００とインプラントの間の相対回転を回避するように構成される。
【０２８６】
駆動セクション２１６は、以下に更に詳述されるように、インプラントの対応する抗回転構造、すなわち駆動ゾーンと協働するように構成される（図３７（ｄ）及び図３９を参照）。
【０２８７】
したがって本発明の第１の実施形態による埋入ツール２００の遠位部分２０４は、駆動領域２１４及び駆動セクション２１６を有する。駆動領域２１４は、駆動セクション２１６の近位に配置される（図３６〜図３８を参照）。
【０２８８】
インプラントの２つの対応する抗回転構造（すなわち駆動領域及び駆動セクション）と協働できる、埋入ツール２００の遠位部分２０４の２つの抗回転構造（すなわち駆動領域２１４及び駆動セクション２１６）の存在に起因して、骨組織へのその埋入の際、インプラントに適用される回転力または荷重は、２つの構造により分担されることができる。したがって、インプラントのこれらの２つの構造のいずれかへの任意の損傷を最小限度に抑えることができる。そうしてインプラントのこれらの構造の１つまたは両方は、インプラントの骨組織への埋入後、アバットメント、スキャンポスト、インプレッションポストなどについての指標として確実かつ効率的に使用することができる。
【０２８９】
駆動領域２１４及び駆動セクション２１６は、インプラントに対して埋入ツール２００を正確に配置するのに更に有用である。これらの要素の断面形状に起因して、ツール２００とインプラントの間の３つの相対回転位置だけが可能である。
【０２９０】
埋入ツール２００の遠位部分２０４は、上述されるように保持要素２０６を更に有する。駆動セクション２１６、保持要素２０６及び駆動領域２１４は、埋入ツール２００の遠位端から埋入ツール２００の近位端に向かう方向にこの順序で配置される。
【０２９１】
埋入ツール２００は２つの分離部、すなわち遠位部２３０及び近位部２３２からなり、それらは図３７（ａ）〜（ｃ）に示すように互いに取り付けられている。
【０２９２】
埋入ツールの遠位部２３０は、埋入ツール２００の近位部２３２の対応する凹部に適合する凸部を有する（図３７（ｃ）及び（ｄ）を参照）。遠位部２３０及び近位部２３２は、凸部を凹部内に挿入することによって互いに取り付けられる。凸部は、凸部の遠位に配置される遠位部２３０のプレス嵌め肩２３４を用いた摩擦嵌合によって、凹部内部の所定位置に保持される（図３７（ｂ）を参照）。プレス嵌め肩２３４は、液体に対する封止機能を更に有する。
【０２９３】
凸部及び凹部は、埋入ツール２００の長手方向軸の周囲で互いに対して遠位部２３０及び近位部２３２の任意の回転を防ぐために、対応する抗回転構造を有する。遠位部２３０の抗回転構造は、埋入ツール２００の長手方向に対して垂直な断面、すなわち凸部の外側断面を有し、それは非円形、すなわち実質的に正方形である（図３７（ａ）を参照）。埋入ツール２００の遠位部２３０の抗回転構造は、埋入ツール２００の近位部２３２の対応する抗回転構造と協働することができる。埋入ツール２００の近位部２３２の抗回転構造は、埋入ツール２００の長手方向に対して垂直な断面、すなわち凹部の内側断面を有し、それは非円形、すなわち実質的に正方形である。遠位部２３０及び近位部２３２の抗回転構造の断面は、実質的に同一である。
【０２９４】
遠位部２３０は駆動セクション２１６を含み、ならびに近位部２３２は保持要素２０６及び駆動領域２１４を含む。このように埋入ツール２００の製造、特に保持要素２０６の製造は、特に単純化されることができる。
【０２９５】
保持要素２０６は近位部２３２と一体化して形成される。図３７（ｄ）及び図３９は、本発明の第１の実施形態による埋入ツールと本発明の実施形態による歯科インプラント２０１の組み合わせを示し、その状態で、埋入ツール２００の遠位部分２０４の一部はインプラント２０１内に埋め込まれる。これらの図面に示される状態で、埋入ツール２００はインプラント２０１と完全に嵌合される。
【０２９６】
歯科インプラント２０１は金属（例えばチタン、チタン合金またはステンレス鋼）から作製される。
【０２９７】
歯科インプラント２０１は、患者の骨組織内への埋入のためのものである。歯科インプラント２０１は、図３９（ａ）に示すように、歯根尖端２０７及び歯冠端２０９を有する芯体２０５を含む。
【０２９８】
歯科インプラント２０１は、保持要素２０６を含む埋入ツール２００の遠位部分２０４の一部を受容するために、インプラント２０１の歯冠部分に形成した窩またはチャネル２３６を有する（図３７（ｄ）及び図３９（ｂ）を参照）。芯体２０５はチャネル２３６を含む。チャネル２３６は歯冠端２０９に対して開き、歯冠端２０９から歯根尖端２０７に向かってインプラント２０１の長手方向に延在する（図３９（ａ）及び（ｂ）を参照）。
【０２９９】
インプラント２０１の歯冠部分は、保持要素２０６の取付部分２０８の突起部２１０を受容するために空洞２３８を備えて形成される（図３７（ｄ）及び図３９（ｂ）を参照）。したがって保持要素２０６の取付部分２０８は、スナップ嵌めによってインプラント２０１の歯冠部分内に確実に保持されることができる。
【０３００】
更に歯科インプラント２０１は、インプラント２０１を患者の顎骨組織内にねじ込めるための外側ねじ状部分２０３を有する（図３９（ａ）及び（ｂ）を参照）。
【０３０１】
埋入ツール２００がインプラント２０１に取り付けられるとき、埋入ツール２００の遠位部分２０４の一部は、インプラント２０１のチャネル２３６に埋入される。その結果、保持要素２０６の取付部分２０８の突起部２１０は、インプラント２０１の歯冠部分に形成された空洞２３８に受容される。したがって保持要素２０６は、スナップ嵌めによってこの歯冠部分内にしっかり保持されて、そうして埋入ツール２００をインプラント２０１にしっかり取り付ける。
【０３０２】
埋入ツール２００をインプラント２０１に取り付ける工程で、保持要素２０６のチャネル２３６内への埋入の際、保持要素２０６は、その横断方向に最初に弾性的に変形し、すなわち弾性的に圧縮され、その後突起部２１０が空洞２３８に受容されると、その最初の形状に回復する。突起部２１０のこの「スナップ嵌め」工程は、埋入ツールがインプラント２０１に適切に埋め込まれたことを示す、可聴及び触覚フィードバックを埋入ツール２００のユーザー（例えば歯科技工室の臨床医または技師）に提供する（図３７（ｄ）及び図３９を参照）。
【０３０３】
埋入ツール２００のこの完全に嵌合した状態において、埋入ツール２００は、インプラント２０１を拾いあげて、それが骨組織内に埋め入れられることになっている埋入部位へ運ぶために使用してもよい。ツール２００とインプラント２０１との確実な嵌合に起因して、それが所望の位置に達する前に、埋入ツール２００から外れるインプラント２０１の任意の危険度は確実に回避されることができる。
【０３０４】
更に埋入ツール２００のこの完全に嵌合された状態で、埋入ツール２００の遠位部分２０４の駆動領域２１４及び駆動セクション２１６は、図３９（ｂ）及び（ｃ）に示されるように、インプラント２０１の駆動部分２４０及び駆動ゾーン２４２とそれぞれ嵌合している。インプラント２０１の芯体２０５は駆動部分２４０及び駆動ゾーン２４２を有する。駆動ゾーン２４２は、図３９（ｂ）に示すように、駆動部分２４０の頂端に配置される。インプラント２０１の駆動部分２４０で、インプラント２０１の長手方向に対して垂直なインプラント２０１のチャネル２３６の断面、すなわち内側断面は、複数の主方向を有し、これらの主方向で、断面の中心とその外側輪郭の間の距離に相当する半径は相対的な最大値になり、したがって隣接する方位より高い値になる。埋入ツール２００の駆動領域２１４とインプラント２０１の駆動部分２４０の断面は、実質的に同一である。
【０３０５】
駆動部分２４０は先細形状を有し、その結果、駆動部分２４０で、インプラント２０１の長手方向に垂直なチャネル２３６の断面の横方向寸法は、図３９（ｂ）に示すように、歯冠端２０９から歯根尖端２０７に向かう方向に沿って減少する。
【０３０６】
インプラント２０１の駆動ゾーン２４２で、インプラント２０１の長手方向に垂直なインプラント２０１のチャネル２３６の断面、すなわち内側断面は、断面の円周に沿って交互に配置される、複数の放射状凸部及び複数の放射状凹部を有し、断面の円周に沿って交互に配置される複数の放射状凹部を有することができる。そこで放射状凸部の放射状の最外側点のそれぞれは、図３９（ｃ）に示すように、断面の中央周辺の対応する円にある。
【０３０７】
駆動ゾーン２４２のインプラント２０１のチャネル２３６の断面は、同数の、すなわちそれぞれ６つの放射状凸部と放射状凹部を有する（図３９（ｃ）を参照）。
【０３０８】
駆動ゾーン２４２の放射状凸部は、第１の放射状凸部及び第２の放射状凸部を含む。そこで、第１の放射状凸部の放射状の最外側点すべては、断面の中央周辺の単一の第１の円にあり、及び第２の放射状凸部の放射状の最外側点のすべては、断面の中央周辺の単一の第２の円にある。第２の円は、第１の円より小さい半径を有する。第１の放射状凸部及び第２の放射状凸部は、それらの間に配置された対応する放射状凹部と共に、駆動ゾーン２４２の断面の円周に沿って交互に配置される。第１の放射状凸部の数は、第２の放射状凸部の数と同じである。
【０３０９】
駆動ゾーン２４２の断面の放射状凸部及び放射状凹部はそれぞれ、曲線形状、例えば少なくとも部分的に円形形状、少なくとも部分的に楕円形状、少なくとも部分的に卵形状などを有する。放射状凸部及び放射状凹部は、互いに直接隣接して配置される。
【０３１０】
放射状凹部の放射状の最内側点は、断面の中央周辺の単一の円にある。したがって放射状凹部のすべての放射状の最内側点は、断面の中央周辺の同じ円にある。
【０３１１】
駆動ゾーン２４２は、０．５〜１．２ｍｍの範囲で歯科インプラント２０１の長手方向に長さを有してもよい。
【０３１２】
埋入ツール２００の駆動セクション２１６とインプラント２０１の駆動ゾーン２４２の断面は、実質的に同一である。
【０３１３】
したがってインプラント２０１は、埋入ツール２００の遠位部分２０４の駆動領域２１４及び駆動セクション２１６と、インプラント２０１の駆動部分２４０及び駆動ゾーン２４２の間のそれぞれの協調または相互作用によって、骨組織内へねじ込められることができる。上述のように、駆動部分２４０及び駆動ゾーン２４２と協働できる、駆動領域２１４及び駆動セクション２１６の存在に起因して、骨組織へのその埋入の際、インプラント２０１に適用される回転力または荷重は、２つの構造により分担されることができ、そうしてインプラント２０１への損傷の危険性を最小限度に抑える。
【０３１４】
図４０は、本発明の第２の実施形態による埋入ツール３００を示す。第２の実施形態による埋入ツール３００は、とりわけ埋入ツール３００が単一材料片からなるという点で、第２の実施形態による埋入ツール２００とは異なる。したがって埋入ツール３００のすべての要素は、互いに一体化して形成される。
【０３１５】
埋入ツール３００の一般的な構造及び機能は、埋入ツール２００と実質的に同じである。具体的には、埋入ツール３００は近位部分（図示せず）及び遠位部分３０４を含む。遠位部分３０４は、図４０（ａ）及び（ｂ）に示すように、埋入ツール３００の遠位端から埋入ツール３００の近位端に向かう方向にこの順序で配置される、駆動セクション３１６、保持要素３０６及び駆動領域３１４を有する。更に埋入ツール３００は、特に保持要素３０６の製造に関して、埋入ツール３００の製造を容易にする、駆動セクション３１６で切欠部３２０を有する。
【０３１６】
図４１及び図４２は、本発明の実施形態による歯科インプラント４０１を示す。
【０３１７】
歯科インプラント４０１は、患者の顎骨または骨組織内への埋入のための自己穿孔式歯科インプラントである。歯科インプラント４０１は、図４１（ａ）に示すように、歯根尖端４０４、歯冠端４０６、及び歯根尖端４０４と歯冠端４０６の間でインプラント４０１の長手方向に沿って延在する外面４０８を有する芯体４０２を含む。
【０３１８】
歯科インプラント４０１は金属（例えばチタン、チタン合金またはステンレス鋼）から作製される。
【０３１９】
インプラント４０１は、芯体４０２から外向きに延在するねじ山４１２を更に含む（図４１（ａ）及び（ｃ）ならびに図４２（ａ）及び（ｂ）を参照）。ねじ山４１２は約１０度のねじ山角度を有する。
【０３２０】
ねじ山４１２は、芯体４０２の歯根尖端４０４に向いている歯根尖面４１４、及び芯体４０２の歯冠端４０６に向いている歯冠面４１６を有する。ねじ山４１２は、そこに形成した第１の縦溝４１８、すなわち第１の切削溝４１８を有する（図４１（ａ）及び（ｂ）ならびに図４２（ｂ）を参照）。第１の縦溝４１８は、ねじ山４１２の歯根尖端からねじ山４１２の歯冠端に向かって延在する。図４２（ｂ）に示すように、第１の縦溝４１８は、ねじ山４１２の第１の３つの完全な回転を越えて延在する。
【０３２１】
ねじ山４１２は、その歯根尖部で、その歯冠面４１６に形成された凹部４２０を有し、凹部４２０は、ねじ山４１２の厚みの一部に沿って歯冠面４１６から歯根尖面４１４に向かう方向に延在する。凹部４２０は、図４１（ａ）及び図４２（ｂ）に示すように、第１の縦溝４１８に対して開いている。凹部４２０は、第１の縦溝４１８に隣接して、すなわち直接隣接して提供される。凹部４２０は、切削機能、すなわち骨組織を切削する機能を有する。
【０３２２】
ねじ山４１２は更に、第２の縦溝４１８’及び第３の縦溝４１８’’を有する（図４１（ａ）及び（ｂ）ならびに図４２（ａ）及び（ｄ）を参照）。第１〜第３の縦溝４１８、４１８’、４１８’’は、ねじ山４１２の長さに沿って及びねじ山４１２の円周に沿って、千鳥配列または位置をずらした配置で配置される。具体的には第２の縦溝４１８’は、図４１（ａ）に示すように、ねじ山４１２の長さ及び円周に沿って、第１の溝４１８に対して千鳥配列にまたは位置をずらして配置される。第３の縦溝４１８’’は、インプラント４０１の半径方向に第１の縦溝４１８に対して対向配置され、ねじ山４１２の実質的に同じ高さまたは長さの位置に配置される（図４１（ｂ）ならびに図４２（ａ）及び（ｂ）を参照）。第１〜第３の縦溝４１８、４１８’、４１８’’及び凹部４２０は、インプラント４０１を自己穿孔式にする。
【０３２３】
第１及び第３の縦溝４１８、４１８’’は、インプラント４０１の長手方向に対して傾いたもしくは傾斜した方向に延在する（図４２（ａ）及び（ｂ）を参照）。第２の縦溝４１８’は、インプラント４０１の長手方向に実質的に平行な方向に延在する（図４１（ａ）を参照）。
【０３２４】
第１〜第３の縦溝４１８、４１８’、４１８’’は、縦溝の幅方向に、芯体４０２の円周の一部に沿って延在する。
【０３２５】
歯冠面４１６から歯根尖面４１４に向かう方向への凹部４２０の延伸は、歯冠面４１６に平行な方向に沿って変化する（図４１（ｃ）ならびに図４２（ｂ）及び（ｃ）を参照）。特に凹部４２０の深さは、図４２（ｂ）に示すように、第１の縦溝４１８から周囲方向に離れる方向に沿って減少する。このように、凹部４２０の特に効果的な切削機能を達成する。
【０３２６】
したがって凹部４２０の最大深さは、第１の縦溝４１８に直接隣接して配置される凹部４２０の部分に存在する。
【０３２７】
具体的には、凹部４２０は、図４１（ｃ）ならびに図４２（ｂ）及び（ｃ）に示すように、おおよそ１／４球形状を有する。凹部４２０のこの形状は、凹部４２０及びしたがって更にインプラント４０１が特に単純かつ費用効率の高い方法で製造されるのを可能にする。
【０３２８】
凹部４２０は、インプラント４０１の回転方向の第１の縦溝４１８の上流側に配置される（図４２（ｂ）を参照）。
【０３２９】
凹部４２０は、図４１（ａ）及び（ｃ）ならびに図４２（ｂ）に示すように、ねじ山４１２の第１の完全な回転で、すなわちねじ山４１２の最歯根尖での完全な回転で、ねじ山４１２の歯冠面４１６に形成される。凹部４２０のこの配置は、インプラント４０１の顎骨または骨組織との特に安定かつ頑丈な嵌合を可能にする。
【０３３０】
凹部４２０は、効率的に骨材料を切削し、除去して、更に芯体４０２の歯冠端４０６に向かって除去された骨材料を輸送するのを助ける。
【０３３１】
本実施形態のインプラント４０１は、低減した力及び高度な精度で骨組織へのその埋入を可能にする。このように、インプラント４０１と骨組織の特に安定かつ頑丈な接続または嵌合、すなわち高い埋入安定性は、達成されることができる。
【０３３２】
ねじ山４１２の歯冠面４１６の凹部４２０の配置に起因して、これらの効果は、ねじ山４１２の実質的にすべてのインプラントのねじ山角度について、特に小さなインプラントのねじ山角度（例えば約１０度のねじ山角度）について達成することができる。
【０３３３】
図４３は、本発明の実施形態による歯科インプラント５０１を示す。
【０３３４】
歯科インプラント５０１は、患者の顎骨または骨組織内への埋入のための自己穿孔式歯科インプラントである。歯科インプラント５０１は、図４３（ａ）に示すように、歯根尖端５０４、歯冠端５０６、及び歯根尖端５０４と歯冠端５０６の間でインプラント５０１の長手方向に沿って延在する外面５０８を有する芯体５０２を含む。インプラント５０１は、芯体５０２から外向きに延在するねじ山５１２を更に含む（図４３（ａ）及び（ｂ）を参照）。
【０３３５】
歯科インプラント５０１は金属（例えばチタン、チタン合金またはステンレス鋼）から作製される。
【０３３６】
歯科インプラント５０１の外側形状は、例えば図１、図３、図６及び図７に示される上述の歯科インプラントのいずれか、例えば歯科インプラント１と実質的に同一でもよい。
【０３３７】
具体的には、歯科インプラント５０１は第１の芯成形ゾーンを有してもよく、そこで芯体５０２の断面は複数の主方向を有し、これらの主方向で、断面の中心とその外側輪郭の間の距離に相当する半径は相対的な最大値になり、したがって隣接する方位より高い値になる。特に、第１の芯成形ゾーンの芯体５０２は三方楕円断面を有してもよい（図４３（ｃ）を参照）。
【０３３８】
歯科インプラント５０１は、芯体５０２の断面が基本的に円形に成形される芯成形ゾーンを有してもよい。
【０３３９】
歯科インプラント５０１は、芯成形ゾーンと芯円形ゾーンの間に位置する芯移行ゾーンを有してもよい。芯移行ゾーンで、芯体５０２の断面形状は、長手方向の座標に特有なパラメータの関数として、芯円形ゾーンに隣接する基本的に円形形状から、芯体５０２の断面が第１の芯成形ゾーンの断面形状に対応する、形状へ連続的に変化する。特に芯移行ゾーンの芯体５０２は、三方楕円断面を有してもよい。
【０３４０】
歯科インプラント５０１は、インプラント５０１の歯冠部分に形成した窩またはチャネル５１０を有する（図４３（ａ）〜（ｃ）を参照）。チャネル５１０はインプラント５０１の歯冠端５０６に対して開き、歯冠端５０６からその歯根尖端５０４に向かってインプラント５０１の長手方向に延在する。
【０３４１】
芯体５０２は、インプラント５０１の長手方向に対して垂直なチャネル５１０の断面が実質的に六角形状を有する、六角噛合凹部５１５を有する。
【０３４２】
チャネル５１０は、円錐部分５１４、六角噛合凹部５１５、及びインプラント５０１の歯冠端５０６からインプラント５０１の歯根尖端５０４に向かう方向にこの順番で配置される、内側ねじ状部分５１６を含む（図４３（ｂ）及び（ｃ）を参照）。円錐部分５１４及び六角噛合凹部５１５は、アバットメント及び埋入ツール２００、３００の先端部分を受容するように構成され、内側ねじ状部分５１６は、アバットメントを歯科インプラント５０１に固定するための連結ねじを受容するように構成される。
【０３４３】
円錐部分５１４は歯科インプラント５０１の長手方向軸に対して内向きに先細になる側壁を有し、インプラント５０１の歯冠端５０６のチャネル５１０により広い最初の開口部を提供する。円錐部分５１４の特定の形状は、歯科インプラント５０１の長手方向軸に対する円錐半角を画定する。この円錐半角は約１０度と約２０度の間でもよい。すなわち、円錐部分５１４の内壁と歯科インプラント５０１の長手方向中心線の間の角度は、約１０度と約２０度間でもよい。一実施形態において、円錐半角は約１２度である。
【０３４４】
インプラント５０１の長手方向の円錐部分５１４の長さとインプラント５０１の長手方向の六角噛合凹部５１５の長さの間の比は、約１：１でもよい。円錐部分５１４の長さは少なくとも約１ｍｍでもよく、六角噛合凹部５１５の長さは少なくとも約１ｍｍでもよい。円錐部分５１４の長さは、インプラント５０１の上面から、円錐部分５１４の先細面が終了するチャネル５１０の部分まで垂直方向に測定した距離である。六角噛合凹部５１５の長さは、円錐部分５１４の端から六角噛合凹部５１５の端まで垂直方向に測定される。
【０３４５】
円錐部分５１４及び六角噛合凹部５１５の比率ならびに長さは、十分に長い先細形状接続の利点を有利に組み合わせて、効果的な封止及び十分に長い六角噛合凹部５１５を提供する。その結果、インプラント５０１が患者の顎骨内に埋め込まれるとき、十分な駆動トルクがインプラント５０１に伝送されることができる。
【０３４６】
上述の本発明の歯科インプラントのすべての実施形態の特徴は、互いと組み合わせる、または互いに分離してとられることができる。上述の本発明の埋入ツールのすべての実施形態の特徴は、互いと組み合わせる、または互いに分離してとられることができる。
【符号の説明】
【０３４７】
１，１´，１´´，１´´´，１´´´´，２０１，４０１，５０１    歯科インプラント
２，２０５，４０２，５０２    芯体
４，２０７，４０４，５０４    歯根尖端
６，２０９，４０６，５０６    歯冠端
８，４０８，５０８    外面
１０，２３６，５１０    受容チャネル
１２，２０３，４１２，５１２    ねじ山
２０    芯円形ゾーン
２２    芯成形ゾーン
２４    頂プラットホームゾーン
２６    芯移行ゾーン
２６´    第２の芯成形ゾーン
２８    包囲容積
３０    ねじ山成形ゾーン
３２    ねじ山円形ゾーン
３４    ねじ山移行ゾーン
３４´    第２のねじ山成形ゾーン
３８    溝
４０    溝成形ゾーン
４２    頂ゾーン
４３    交差位置
４４    移行線
４６    切削溝
４８    切削端
５０    断面の中央
５２    線
５４    地点
５６    点線
５８    自由幅
６０    歯根尖面
６２    歯冠面
６４    長手方向軸
６６    線
７０    骨組織
７２    空洞
７４    プラットホーム
８０    接続システム
８２    矢印
８４    底端
８６    割出し輪郭
８８    細孔
９０    フィードバック構造
９２    溝
１００    歯冠面
１０２    溝
１０４    歯根尖切削溝
２００，３００    埋入ツール
２０２    近位部分
２０４，３０４    遠位部分
２０６，３０６    保持要素
２０８    取付部分
２１０    突起部
２１２    連結部
２１４，３１４    駆動領域
２１６，３１６    駆動セクション
２１８    放射状凸部
２２０    放射状凹部
２２２，２２４    放射状凸部の放射状の最外側点
２２６    放射状凹部の放射状の最内側点
２２８    断面中心円周の円
２３０    遠位部
２３２    近位部
２３４    プレス嵌め肩
２３８    空洞
２４０    駆動部分
２４２    駆動ゾーン
３２０    切欠部
４１４    歯根尖ねじ山面
４１６    歯冠ねじ山面
４１８，４１８’，４１８’’    縦溝
４２０    凹部
５１４    円錐部分
５１５    六角噛合凹部
５１６    内部のねじ状部分
【図１】
2019503236.tif 000004
【図２】
2019503236.tif 000005
【図３】
2019503236.tif 000006
【図４】
2019503236.tif 000007
【図５】
2019503236.tif 000008
【図６】
2019503236.tif 000009
【図７】
2019503236.tif 000010
【図８】
2019503236.tif 000011
【図９】
2019503236.tif 000012
【図１０】
2019503236.tif 000013
【図１１】
2019503236.tif 000014
【図１２】
2019503236.tif 000015
【図１３】
2019503236.tif 000016
【図１４】
2019503236.tif 000017
【図１５】
2019503236.tif 000018
【図１６】
2019503236.tif 000019
【図１７】
2019503236.tif 000020
【図１８】
2019503236.tif 000021
【図１９】
2019503236.tif 000022
【図２０】
2019503236.tif 000023
【図２１】
2019503236.tif 000024
【図２２】
2019503236.tif 000025
【図２３】
2019503236.tif 000026
【図２４】
2019503236.tif 000027
【図２５】
2019503236.tif 000028
【図２６】
2019503236.tif 000029
【図２７】
2019503236.tif 000030
【図２８】
2019503236.tif 000031
【図２９】
2019503236.tif 000032
【図３０】
2019503236.tif 000033
【図３１】
2019503236.tif 000034
【図３２】
2019503236.tif 000035
【図３３】
2019503236.tif 000036
【図３４】
2019503236.tif 000037
【図３５】
2019503236.tif 000038
【図３６】
2019503236.tif 000039
【図３７】
2019503236.tif 000040
【図３８】
2019503236.tif 000041
【図３９】
2019503236.tif 000042
【図４０】
2019503236.tif 000043
【図４１】
2019503236.tif 000044
【図４２】
2019503236.tif 000045
【図４３】
2019503236.tif 000046
【国際調査報告】
2019503236.tif 000047
2019503236.tif 000048
2019503236.tif 000049
2019503236.tif 000050
2019503236.tif 000051
2019503236.tif 000052
2019503236.tif 000053